(57)【要約】本願の実施形態は、端末の電力消費の無駄に関する先行技術の課題を解決するための通信方法及び装置に関する。解決方法は、端末によって、第１時間領域オフセットを示すために使用される情報及び／又は低電力消費を示すために使用される情報をネットワークデバイスへ送信することと、端末によって、ネットワークデバイスによって送信された第１情報を受信することとを含み、第１情報は、第１時間領域リソース割り当てを決定するために端末によって使用される。このようにして、ＤＣＩの時間領域位置と、ネットワークデバイスによって端末に割り当てられた第１時間領域リソース割り当て又はネットワークデバイスが端末に決定するよう指示する第１時間領域リソース割り当てにおいて含まれている／指示されている時間領域リソースの開始位置との間には、比較的に長いインターバルがある。
2021536199.tif 000002
【特許請求の範囲】
【請求項１】
端末によって、第１時間領域オフセットを示すために使用される情報及び／又は低電力消費を示すために使用される情報をネットワークデバイスへ送信することと、
前記端末によって、前記ネットワークデバイスによって送信された第１情報を受信することと
を有し、
前記第１情報は、第１時間領域リソース割り当てを決定するために前記端末によって使用される、
通信方法。
【請求項２】
前記第１情報は、前記第１時間領域リソース割り当てを有するか、あるいは、
前記第１情報は、前記第１時間領域リソース割り当てを示すために特に使用される、
請求項１に記載の通信方法。
【請求項３】
前記第１情報は、第１周波数領域リソースへハンドオーバーするよう前記端末に示すために特に使用され、
前記第１時間領域リソース割り当ては、前記第１周波数領域リソースに対応する時間領域リソース割り当てである、
請求項１に記載の通信方法。
【請求項４】
前記端末が第２時間領域リソース割り当てを有する場合に、
前記第１時間領域リソース割り当ては、前記第２時間領域リソース割り当て及び第２時間領域オフセットに基づいて決定される、
請求項１に記載の通信方法。
【請求項５】
前記第１時間領域リソース割り当てによって示される第３時間領域オフセットは、第４時間領域オフセット及び前記第２時間領域オフセットに基づいて取得され、
前記第４時間領域オフセットは、前記第２時間領域リソース割り当てによって示される時間領域オフセットである、
請求項４に記載の通信方法。
【請求項６】
前記第３時間領域オフセットは、前記第４時間領域オフセットに前記第２時間領域オフセットをプラスしたものであるか、あるいは、
前記第３時間領域オフセットの最小値は、前記第２時間領域オフセットであるか、あるいは、
前記第３時間領域オフセットは、前記第４時間領域オフセットに前記第２時間領域オフセットをプラスしたものから、前記第２時間領域リソース割り当てによって示される最小時間領域オフセットをマイナスしたものである、
請求項５に記載の通信方法。
【請求項７】
前記第１時間領域リソース割り当ては、前記第２時間領域リソース割り当てにおける目標時間領域リソース割り当てを有し、
前記目標時間領域リソース割り当てによって示される第５時間領域オフセットは、前記第２時間領域オフセット以上である、
請求項４に記載の通信方法。
【請求項８】
前記第２時間領域オフセットは、予め定義された時間領域オフセットであるか、あるいは、
前記第２時間領域オフセットは、前記第１情報によって示される時間領域オフセットであるか、あるいは、
前記第２時間領域オフセットは、前記第１時間領域オフセットである、
請求項４乃至７のうちいずれか一項に記載の通信方法。
【請求項９】
前記第１時間領域リソース割り当てによって示される前記第３時間領域オフセットは、前記第１時間領域オフセット以上であるか、あるいは、
前記端末が前記第２時間領域リソース割り当てを有する場合に、前記第３時間領域オフセットは、前記第１時間領域オフセットと前記第４時間領域オフセットとの和以上である、
請求項１乃至８のうちいずれか一項に記載の通信方法。
【請求項１０】
ネットワークデバイスによって、端末によって送信される、第１時間領域オフセットを示すために使用される情報及び／又は低電力消費を示すために使用される情報を受信することと、
前記ネットワークデバイスによって、第１情報を前記端末へ送信することと
を有し、
前記第１情報は、第１時間領域リソース割り当てを決定するために前記端末によって使用される、
通信方法。
【請求項１１】
前記第１情報は、前記第１時間領域リソース割り当てを有するか、あるいは、
前記第１情報は、前記第１時間領域リソース割り当てを示すために特に使用される、
請求項１０に記載の通信方法。
【請求項１２】
前記ネットワークデバイスが第２時間領域リソース割り当てを有する場合に、当該方法は、
前記ネットワークデバイスによって、前記第２時間領域リソース割り当て及び第２時間領域オフセットに基づいて前記第１時間領域リソース割り当てを決定することを更に有する、
請求項１０又は１１に記載の通信方法。
【請求項１３】
前記第３時間領域オフセットは、第４時間領域オフセット及び前記第２時間領域オフセットに基づいて取得され、
前記第４時間領域オフセットは、前記第２時間領域リソース割り当てによって示される時間領域オフセットである、
請求項１２に記載の通信方法。
【請求項１４】
前記第３時間領域オフセットは、前記第４時間領域オフセットに前記第２時間領域オフセットをプラスしたものであるか、あるいは、
前記第３時間領域オフセットの最小値は、前記第２時間領域オフセットであるか、あるいは、
前記第３時間領域オフセットは、前記第４時間領域オフセットに前記第２時間領域オフセットをプラスしたものから、前記第２時間領域リソース割り当てによって示される最小時間領域オフセットをマイナスしたものである、
請求項１３に記載の通信方法。
【請求項１５】
前記第１時間領域リソース割り当ては、前記第２時間領域リソース割り当てにおける目標時間領域リソース割り当てを有し、
前記目標時間領域リソース割り当てによって示される第５時間領域オフセットは、前記第２時間領域オフセット以上である、
請求項１１又は１２に記載の通信方法。
【請求項１６】
前記第２時間領域オフセットは、前記第１時間領域オフセットであるか、あるいは、
前記第２時間領域オフセットは、予め定義された時間領域オフセットである、
請求項１２乃至１５のうちいずれか一項に記載の通信方法。
【請求項１７】
前記第１情報は、第１周波数領域リソースへハンドオーバーするよう前記端末に示すために特に使用され、
前記第１時間領域リソース割り当ては、前記第１周波数領域リソースに対応する時間領域リソース割り当てである、
請求項１０に記載の通信方法。
【請求項１８】
前記第１情報は、前記第１時間領域リソース割り当てを決定するよう前記端末に示すために特に使用される、
請求項１０に記載の通信方法。
【請求項１９】
前記第１時間領域リソース割り当てによって示される前記第３時間領域オフセットは、前記第１時間領域オフセット以上であるか、あるいは、
前記端末が前記第２時間領域リソース割り当てを有する場合に、前記第３時間領域オフセットは、前記第１時間領域オフセットと前記第４時間領域オフセットとの和以上である、
請求項１０乃至１８のうちいずれか一項に記載の通信方法。
【請求項２０】
プロセッサを有し、該プロセッサは、メモリへ結合され、該メモリ内の命令又はプログラムを実行して、請求項１乃至９のうちいずれか一項に記載の通信方法を実行する、
通信装置。
【請求項２１】
プロセッサを有し、該プロセッサは、メモリへ結合され、該メモリ内の命令又はプログラムを実行して、請求項１０乃至１９のうちいずれか一項に記載の通信方法を実行する、
通信装置。
【請求項２２】
データチャネル受信方法であって、
端末によって、第１リソース割り当て及び第２時間領域リソース割り当てを取得することであり、前記第１時間領域リソース割り当ては、前記第２時間領域リソース割り当てとは異なる、ことと、
第１条件が満足される場合に、前記端末がネットワークデバイスによって送信された第１ダウンリンク制御情報ＤＣＩを受信するならば、前記端末によって、前記第１時間領域リソース割り当てに基づいて、前記第１ＤＣＩによってスケジューリングされたダウンリンクデータチャネルを受信することであり、前記第１条件は、第１タイマが実行中でないことを有する、ことと、
第２条件が満足される場合に、前記端末が前記ネットワークデバイスによって送信された第２ＤＣＩを受信するならば、前記端末によって、前記第２時間領域リソース割り当てに基づいて、前記第２ＤＣＩによってスケジューリングされたダウンリンクデータチャネルを受信することであり、前記第２条件は、前記第１タイマが実行中であることを有する、ことと
を有する方法。
【請求項２３】
前記第１タイマは、前記端末が、ダウンリンク制御チャネルを受信した後に該ダウンリンク制御チャネルをモニタする時間長さを決定するために使用される、
請求項２２に記載の方法。
【請求項２４】
前記端末は、次の条件、
前記端末が、ダウンリンク制御チャネルを受信することと、
前記端末が、データ伝送を示すダウンリンク制御チャネルを受信することと、
前記端末が、初期伝送を示すダウンリンク制御チャネルを受信するか、あるいは、第２タイマが開始又は再開始されることと
のうちの１つが満足される場合に、前記第１タイマを開始又は再開始し、
前記第２タイマは、前記端末が、前記ダウンリンク制御チャネルを受信した後に、初期伝送を示す前記ダウンリンク制御チャネルをモニタする時間長さを決定するために使用される、
請求項２２又は２３に記載の方法。
【請求項２５】
前記第１条件は、第３タイマが実行中であることを更に有し、
前記第３タイマは、前記端末が、間欠受信ＤＲＸサイクルにおいてダウンリンク制御チャネルをモニタする時間長さを決定するために使用される、
請求項２２乃至２４のうちいずれか一項に記載の方法。
【請求項２６】
前記第１条件は、
次の、
ダウンリンク再送タイマが実行中でない場合と、
アップリンク再送タイマが実行中でない場合と、
競合解除タイマが実行中でない場合と、
前記端末によって送信されたスケジューリング要求がペンディング中でない場合と、
前記端末が、ランダムアクセス応答ＲＡＲの受信に成功した後に、初期伝送を示すダウンリンク制御チャネルを受信する場合と
のうちの１つ以上を更に有し、
初期伝送を示す前記ダウンリンク制御チャネルは、第１識別子を使用することによってスクランブルされ、前記ＲＡＲは、目標ランダムアクセスプリアンブルに対する応答であり、該目標ランダムアクセスプリアンブルは、競合に基づくランダムアクセスプリアンブルではなく、前記第１識別子は、ランダムアクセスプロシージャにおいて前記端末によってアクセスされるセル内で前記端末を識別するために使用される、
請求項２２乃至２５のうちいずれか一項に記載の方法。
【請求項２７】
当該方法は、
前記端末が、第３条件が満足されると決定する場合に、前記端末によって、前記第２時間領域リソース割り当てに基づいて、前記第２ＤＣＩによってスケジューリングされた前記ダウンリンクデータチャネルを受信することを更に有し、
前記第３条件は、次の、
前記ダウンリンク再送タイマが実行中でないことと、
前記アップリンク再送タイマが実行中でないことと、
前記競合解除タイマが実行中でないことと、
前記端末によって送信された前記スケジューリング要求がペンディング中でないことと、
前記端末が、前記ランダムアクセス応答ＲＡＲの受信に成功した後に、初期伝送を示す前記ダウンリンク制御チャネルを受信することと
のうちの１つ以上を有し、
初期伝送を示す前記ダウンリンク制御チャネルは、前記第１識別子を使用することによってスクランブルされ、前記ＲＡＲは、前記目標ランダムアクセスプリアンブルに対する応答であり、該目標ランダムアクセスプリアンブルは、競合に基づくランダムアクセスプリアンブルではなく、前記第１識別子は、前記ランダムアクセスプロシージャにおいて前記端末によってアクセスされるセル内で前記端末を識別するために使用される、
請求項２２乃至２６のうちいずれか一項に記載の方法。
【請求項２８】
データチャネル送信方法であって、
第１条件が満足される場合に、ネットワークデバイスによって、第１ダウンリンク制御情報ＤＣＩを端末へ送信し、前記ネットワークデバイスによって、第１時間領域リソース割り当てに基づいて、前記第１ＤＣＩによってスケジューリングされたダウンリンクデータチャネルを前記端末へ送信することであり、前記第１条件は、第１タイマが実行中でないことを有する、ことと、
第２条件が満足される場合に、前記ネットワークデバイスによって、第２ＤＣＩを前記端末へ送信し、前記ネットワークデバイスによって、第２時間領域リソース割り当てに基づいて、前記第２ＤＣＩによってスケジューリングされたダウンリンクデータチャネルを前記端末へ送信することであり、前記第２条件は、前記第１タイマが実行中であることを有する、ことと
を有する方法。
【請求項２９】
前記第１タイマは、前記端末が、ダウンリンク制御チャネルを受信した後に該ダウンリンク制御チャネルをモニタする時間長さを決定するために使用される、
請求項２８に記載の方法。
【請求項３０】
前記第１条件は、第３タイマが実行中であることを更に有し、
前記第３タイマは、前記端末が、間欠受信ＤＲＸサイクルにおいてダウンリンク制御チャネルをモニタする時間長さを決定するために使用される、
請求項２８又は２９に記載の方法。
【請求項３１】
ダウンリンク再送タイマが実行中でなく、
アップリンク再送タイマが実行中でなく、
競合解除タイマが実行中でなく、
前記端末によって送信されたスケジューリング要求がペンディング中でなく、
前記端末が、ランダムアクセス応答ＲＡＲの受信に成功した後に、初期伝送を示すダウンリンク制御チャネルを受信し、初期伝送を示す前記ダウンリンク制御チャネルは、第１識別子を使用することによってスクランブルされ、前記ＲＡＲは、目標ランダムアクセスプリアンブルに対する応答であり、該目標ランダムアクセスプリアンブルは、競合に基づくランダムアクセスプリアンブルではなく、前記第１識別子は、ランダムアクセスプロシージャにおいて前記端末によってアクセスされるセル内で前記端末を識別するために使用される、
請求項２８乃至３０のうちいずれか一項に記載の方法。
【請求項３２】
当該方法は、
前記端末が、第３条件が満足されると決定する場合に、前記端末によって、前記第２時間領域リソース割り当てに基づいて、前記第２ＤＣＩによってスケジューリングされた前記ダウンリンクデータチャネルを受信することを更に有し、
前記第３条件は、次の、
前記ダウンリンク再送タイマが実行中でないことと、
前記アップリンク再送タイマが実行中でないことと、
前記競合解除タイマが実行中でないことと、
前記端末によって送信された前記スケジューリング要求がペンディング中でないことと、
前記端末が、前記ランダムアクセス応答ＲＡＲの受信に成功した後に、初期伝送を示す前記ダウンリンク制御チャネルを受信することと
のうちの１つ以上を有し、
初期伝送を示す前記ダウンリンク制御チャネルは、前記第１識別子を使用することによってスクランブルされ、前記ＲＡＲは、前記目標ランダムアクセスプリアンブルに対する応答であり、該目標ランダムアクセスプリアンブルは、競合に基づくランダムアクセスプリアンブルではなく、前記第１識別子は、前記ランダムアクセスプロシージャにおいて前記端末によってアクセスされるセル内で前記端末を識別するために使用される、
請求項２８乃至３１のうちいずれか一項に記載の方法。
【請求項３３】
第１時間領域オフセットを示すために使用される情報及び／又は低電力消費を示すために使用される情報をネットワークデバイスへ送信するよう構成される送信ユニットと、
前記ネットワークデバイスによって送信された第１情報を受信するよう構成される受信ユニットと
を有し、
前記第１情報は、第１時間領域リソース割り当てを決定するために前記端末によって使用される、
通信装置。
【請求項３４】
前記第１情報は、前記第１時間領域リソース割り当てを有するか、あるいは、
前記第１情報は、前記第１時間領域リソース割り当てを示すために特に使用される、
請求項３３に記載の通信装置。
【請求項３５】
前記第１情報は、第１周波数領域リソースへハンドオーバーするよう前記端末に示すために特に使用され、
前記第１時間領域リソース割り当ては、前記第１周波数領域リソースに対応する時間領域リソース割り当てである、
請求項３３に記載の通信装置。
【請求項３６】
前記第１情報は、前記端末が第２時間領域リソース割り当てを有する場合に、
前記第１時間領域リソース割り当てが、前記第２時間領域リソース割り当て及び第２時間領域オフセットに基づいて決定されることを示すために特に使用される、
請求項３３に記載の通信装置。
【請求項３７】
前記第１時間領域リソース割り当てによって示される第３時間領域オフセットは、第４時間領域オフセット及び前記第２時間領域オフセットに基づいて取得され、
前記第４時間領域オフセットは、前記第２時間領域リソース割り当てによって示される時間領域オフセットである、
請求項３６に記載の通信装置。
【請求項３８】
前記第３時間領域オフセットは、前記第４時間領域オフセットに前記第２時間領域オフセットをプラスしたものであるか、あるいは、
前記第３時間領域オフセットの最小値は、前記第２時間領域オフセットであるか、あるいは、
前記第３時間領域オフセットは、前記第４時間領域オフセットに前記第２時間領域オフセットをプラスしたものから、前記第２時間領域リソース割り当てによって示される最小時間領域オフセットをマイナスしたものである、
請求項３７に記載の通信装置。
【請求項３９】
前記第１時間領域リソース割り当ては、前記第２時間領域リソース割り当てにおける目標時間領域リソース割り当てを有し、
前記目標時間領域リソース割り当てによって示される第５時間領域オフセットは、前記第２時間領域オフセット以上である、
請求項３６に記載の通信装置。
【請求項４０】
前記第２時間領域オフセットは、予め定義された時間領域オフセットであるか、あるいは、
前記第２時間領域オフセットは、前記第１情報によって示される時間領域オフセットであるか、あるいは、
前記第２時間領域オフセットは、前記第１時間領域オフセットである、
請求項３６乃至３９のうちいずれか一項に記載の通信装置。
【請求項４１】
前記第１時間領域リソース割り当てによって示される前記第３時間領域オフセットは、前記第１時間領域オフセット以上であるか、あるいは、
前記端末が前記第２時間領域リソース割り当てを有する場合に、前記第３時間領域オフセットは、前記第１時間領域オフセットと前記第４時間領域オフセットとの和以上である、
請求項３３乃至４０のうちいずれか一項に記載の通信装置。
【請求項４２】
プロセッサを有し、該プロセッサは、メモリへ結合され、該メモリ内の命令又はプログラムを実行して、請求項１乃至９のうちいずれか一項に記載の通信方法を実行する、
チップシステム。
【請求項４３】
端末によって送信される、第１時間領域オフセットを示すために使用される情報及び／又は低電力消費を示すために使用される情報を受信するよう構成される受信ユニットと、
第１情報を前記端末へ送信するよう構成される送信ユニットと
を有し、
前記第１情報は、第１時間領域リソース割り当てを決定するために前記端末によって使用される、
通信装置。
【請求項４４】
前記第１情報は、前記第１時間領域リソース割り当てを有するか、あるいは、
前記第１情報は、前記第１時間領域リソース割り当てを示すために特に使用される、
請求項４３に記載の通信装置。
【請求項４５】
当該通信装置が第２時間領域リソース割り当てを有する場合に、前記第１時間領域リソース割り当ては、前記ネットワークデバイスによって、前記第２時間領域リソース割り当て及び第２時間領域オフセットに基づいて決定される、
請求項４３又は４４に記載の通信装置。
【請求項４６】
前記第３時間領域オフセットは、第４時間領域オフセット及び前記第２時間領域オフセットに基づいて取得され、
前記第４時間領域オフセットは、前記第２時間領域リソース割り当てによって示される時間領域オフセットである、
請求項４５に記載の通信装置。
【請求項４７】
前記第３時間領域オフセットは、前記第４時間領域オフセットに前記第２時間領域オフセットをプラスしたものであるか、あるいは、
前記第３時間領域オフセットの最小値は、前記第２時間領域オフセットであるか、あるいは、
前記第３時間領域オフセットは、前記第４時間領域オフセットに前記第２時間領域オフセットをプラスしたものから、前記第２時間領域リソース割り当てによって示される最小時間領域オフセットをマイナスしたものである、
請求項４６に記載の通信装置。
【請求項４８】
前記第１時間領域リソース割り当ては、前記第２時間領域リソース割り当てにおける目標時間領域リソース割り当てを有し、
前記目標時間領域リソース割り当てによって示される第５時間領域オフセットは、前記第２時間領域オフセット以上である、
請求項４４又は４５に記載の通信装置。
【請求項４９】
前記第２時間領域オフセットは、前記第１時間領域オフセットであるか、あるいは、
前記第２時間領域オフセットは、予め定義された時間領域オフセットである、
請求項４５乃至４８のうちいずれか一項に記載の通信装置。
【請求項５０】
前記第１情報は、第１周波数領域リソースへハンドオーバーするよう前記端末に示すために特に使用され、
前記第１時間領域リソース割り当ては、前記第１周波数領域リソースに対応する時間領域リソース割り当てである、
請求項４３に記載の通信装置。
【請求項５１】
前記第１情報は、前記第１時間領域リソース割り当てを決定するよう前記端末に示すために特に使用される、
請求項４３に記載の通信装置。
【請求項５２】
前記第１時間領域リソース割り当てによって示される前記第３時間領域オフセットは、前記第１時間領域オフセット以上であるか、あるいは、
前記端末が前記第２時間領域リソース割り当てを有する場合に、前記第３時間領域オフセットは、前記第１時間領域オフセットと前記第４時間領域オフセットとの和以上である、
請求項４３乃至５１のうちいずれか一項に記載の通信装置。
【請求項５３】
前記送信ユニットは、前記第１時間領域リソース割り当てに基づいてダウンリンクデータチャネルを前記端末へ送信するよう更に構成される、
請求項４３乃至５２のうちいずれか一項に記載の通信装置。
【請求項５４】
前記端末が前記第２時間領域リソース割り当てを有する場合に、
第１条件が満足されるとき、前記送信ユニットは、第１ダウンリンク制御情報ＤＣＩを前記端末へ送信し、前記第１時間領域リソース割り当てに基づいて、前記第１ＤＣＩによってスケジューリングされたダウンリンクデータチャネルを前記端末へ送信するよう更に構成され、前記第１条件は、第１タイマが実行中でないことを有し、
第２条件が満足されるとき、前記送信ユニットは、第２ＤＣＩを前記端末へ送信し、前記第２時間領域リソース割り当てに基づいて、前記第２ＤＣＩによってスケジューリングされたダウンリンクデータチャネルを前記端末へ送信するよう更に構成され、前記第２条件は、前記第１タイマが実行中であることを有する、
請求項４３乃至５３のうちいずれか一項に記載の通信装置。
【請求項５４】
プロセッサ及びインターフェース回路を有し、
前記インターフェース回路は、第１時間領域オフセットを示すために使用される情報及び／又は低電力消費を示すために使用される情報をネットワークデバイスへ送信するよう構成され、
前記インターフェース回路は、前記ネットワークデバイスによって送信された第１情報を受信するよう構成され、
前記第１情報は、第１時間領域リソース割り当てを決定するために前記端末によって使用される、
通信装置。
【請求項５５】
前記第１情報は、前記第１時間領域リソース割り当てを有するか、あるいは、
前記第１情報は、前記第１時間領域リソース割り当てを示すために特に使用される、
請求項５４に記載の通信装置。
【請求項５６】
前記第１情報は、第１周波数領域リソースへハンドオーバーするよう前記端末に示すために特に使用され、
前記第１時間領域リソース割り当ては、前記第１周波数領域リソースに対応する時間領域リソース割り当てである、
請求項５４に記載の通信装置。
【請求項５７】
前記第１情報は、前記端末が第２時間領域リソース割り当てを有する場合に、
前記第１時間領域リソース割り当てが、前記第２時間領域リソース割り当て及び第２時間領域オフセットに基づいて決定されることを示すために特に使用される、
請求項５４に記載の通信装置。
【請求項５８】
前記第１時間領域リソース割り当てによって示される第３時間領域オフセットは、第４時間領域オフセット及び前記第２時間領域オフセットに基づいて取得され、
前記第４時間領域オフセットは、前記第２時間領域リソース割り当てによって示される時間領域オフセットである、
請求項５７に記載の通信装置。
【請求項５９】
前記第３時間領域オフセットは、前記第４時間領域オフセットに前記第２時間領域オフセットをプラスしたものであるか、あるいは、
前記第３時間領域オフセットの最小値は、前記第２時間領域オフセットであるか、あるいは、
前記第３時間領域オフセットは、前記第４時間領域オフセットに前記第２時間領域オフセットをプラスしたものから、前記第２時間領域リソース割り当てによって示される最小時間領域オフセットをマイナスしたものである、
請求項５８に記載の通信装置。
【請求項６０】
前記第１時間領域リソース割り当ては、前記第２時間領域リソース割り当てにおける目標時間領域リソース割り当てを有し、
前記目標時間領域リソース割り当てによって示される第５時間領域オフセットは、前記第２時間領域オフセット以上である、
請求項５７に記載の通信装置。
【請求項６１】
前記第２時間領域オフセットは、予め定義された時間領域オフセットであるか、あるいは、
前記第２時間領域オフセットは、前記第１情報によって示される時間領域オフセットであるか、あるいは、
前記第２時間領域オフセットは、前記第１時間領域オフセットである、
請求項５７乃至６０のうちいずれか一項に記載の通信装置。
【請求項６２】
前記第１時間領域リソース割り当てによって示される前記第３時間領域オフセットは、前記第１時間領域オフセット以上であるか、あるいは、
前記端末が前記第２時間領域リソース割り当てを有する場合に、前記第３時間領域オフセットは、前記第１時間領域オフセットと前記第４時間領域オフセットとの和以上である、
請求項５４乃至６１のうちいずれか一項に記載の通信装置。
【請求項６３】
プロセッサ及びインターフェース回路を有し、
前記インターフェース回路は、端末によって送信される、第１時間領域オフセットを示すために使用される情報及び／又は低電力消費を示すために使用される情報を受信するよう構成され、
前記インターフェース回路は、第１情報を前記端末へ送信するよう構成され、
前記第１情報は、第１時間領域リソース割り当てを決定するために前記端末によって使用される、
通信装置。
【請求項６４】
前記第１情報は、前記第１時間領域リソース割り当てを有するか、あるいは、
前記第１情報は、前記第１時間領域リソース割り当てを示すために特に使用される、
請求項３３に記載の通信装置。
【請求項６５】
当該通信装置が第２時間領域リソース割り当てを有する場合に、前記第１時間領域リソース割り当ては、前記ネットワークデバイスによって、前記第２時間領域リソース割り当て及び第２時間領域オフセットに基づいて決定される、
請求項６３又は６４に記載の通信装置。
【請求項６６】
前記第３時間領域オフセットは、第４時間領域オフセット及び前記第２時間領域オフセットに基づいて取得され、
前記第４時間領域オフセットは、前記第２時間領域リソース割り当てによって示される時間領域オフセットである、
請求項６５に記載の通信装置。
【請求項６７】
前記第３時間領域オフセットは、前記第４時間領域オフセットに前記第２時間領域オフセットをプラスしたものであるか、あるいは、
前記第３時間領域オフセットの最小値は、前記第２時間領域オフセットであるか、あるいは、
前記第３時間領域オフセットは、前記第４時間領域オフセットに前記第２時間領域オフセットをプラスしたものから、前記第２時間領域リソース割り当てによって示される最小時間領域オフセットをマイナスしたものである、
請求項６６に記載の通信装置。
【請求項６８】
前記第１時間領域リソース割り当ては、前記第２時間領域リソース割り当てにおける目標時間領域リソース割り当てを有し、
前記目標時間領域リソース割り当てによって示される第５時間領域オフセットは、前記第２時間領域オフセット以上である、
請求項６４又は６５に記載の通信装置。
【請求項６９】
前記第２時間領域オフセットは、前記第１時間領域オフセットであるか、あるいは、
前記第２時間領域オフセットは、予め定義された時間領域オフセットである、
請求項６５乃至６８のうちいずれか一項に記載の通信装置。
【請求項７０】
前記第１情報は、第１周波数領域リソースへハンドオーバーするよう前記端末に示すために特に使用され、
前記第１時間領域リソース割り当ては、前記第１周波数領域リソースに対応する時間領域リソース割り当てである、
請求項６３に記載の通信装置。
【請求項７１】
前記第１情報は、前記第１時間領域リソース割り当てを決定するよう前記端末に示すために特に使用される、
請求項６３に記載の通信装置。
【請求項７２】
前記第１時間領域リソース割り当てによって示される前記第３時間領域オフセットは、前記第１時間領域オフセット以上であるか、あるいは、
前記端末が前記第２時間領域リソース割り当てを有する場合に、前記第３時間領域オフセットは、前記第１時間領域オフセットと前記第４時間領域オフセットとの和以上である、
請求項６３乃至７１のうちいずれか一項に記載の通信装置。
【請求項７３】
前記送信ユニットは、前記第１時間領域リソース割り当てに基づいてダウンリンクデータチャネルを前記端末へ送信するよう更に構成される、
請求項６３乃至７２のうちいずれか一項に記載の通信装置。
【請求項７４】
前記端末が前記第２時間領域リソース割り当てを有する場合に、
第１条件が満足されるとき、前記送信ユニットは、第１ダウンリンク制御情報ＤＣＩを前記端末へ送信し、前記第１時間領域リソース割り当てに基づいて、前記第１ＤＣＩによってスケジューリングされたダウンリンクデータチャネルを前記端末へ送信するよう更に構成され、前記第１条件は、第１タイマが実行中でないことを有し、
第２条件が満足されるとき、前記送信ユニットは、第２ＤＣＩを前記端末へ送信し、前記第２時間領域リソース割り当てに基づいて、前記第２ＤＣＩによってスケジューリングされたダウンリンクデータチャネルを前記端末へ送信するよう更に構成され、前記第２条件は、前記第１タイマが実行中であることを有する、
請求項６３乃至７３のうちいずれか一項に記載の通信装置。
【請求項７５】
プロセッサを有し、該プロセッサは、メモリへ結合され、該メモリ内の命令又はプログラムを実行して、請求項１０乃至１９のうちいずれか一項に記載の通信方法を実行する、
チップシステム。
【請求項７６】
第１リソース割り当て及び第２時間領域リソース割り当てを取得するよう構成される処理ユニットであり、前記第１時間領域リソース割り当ては、前記第２時間領域リソース割り当てとは異なる、前記処理ユニットと、
第１条件が満足される場合に、受信ユニットがネットワークデバイスによって送信された第１ダウンリンク制御情報ＤＣＩを受信するならば、前記第１時間領域リソース割り当てに基づいて、前記第１ＤＣＩによってスケジューリングされたダウンリンクデータチャネルを受信し、前記第１条件は、第１タイマが実行中でないことを有し、
第２条件が満足される場合に、前記受信ユニットが前記ネットワークデバイスによって送信された第２ＤＣＩを受信するならば、前記第２時間領域リソース割り当てに基づいて、前記第２ＤＣＩによってスケジューリングされたダウンリンクデータチャネルを受信し、前記第２条件は、前記第１タイマが実行中であることを有する、よう構成される前記受信ユニットと
を有する通信装置。
【請求項７７】
前記第１タイマは、当該通信装置が、ダウンリンク制御チャネルを受信した後に該ダウンリンク制御チャネルをモニタする時間長さを決定するために使用される、
請求項７６に記載の通信装置。
【請求項７８】
当該通信装置は、次の条件、
当該通信装置が、ダウンリンク制御チャネルを受信することと、
当該通信装置が、データ伝送を示すダウンリンク制御チャネルを受信することと、
当該通信装置が、初期伝送を示すダウンリンク制御チャネルを受信するか、あるいは、第２タイマが開始又は再開始されることと
のうちの１つが満足される場合に、前記第１タイマを開始又は再開始し、
前記第２タイマは、当該通信装置が、前記ダウンリンク制御チャネルを受信した後に、初期伝送を示す前記ダウンリンク制御チャネルをモニタする時間長さを決定するために使用される、
請求項７６又は７７に記載の通信装置。
【請求項７９】
前記第１条件は、第３タイマが実行中であることを更に有し、
前記第３タイマは、当該通信装置が、間欠受信ＤＲＸサイクルにおいてダウンリンク制御チャネルをモニタする時間長さを決定するために使用される、
請求項７６乃至７８のうちいずれか一項に記載の通信装置。
【請求項８０】
前記第１条件は、
次の、
ダウンリンク再送タイマが実行中でない場合と、
アップリンク再送タイマが実行中でない場合と、
競合解除タイマが実行中でない場合と、
当該通信装置によって送信されたスケジューリング要求がペンディング中でない場合と、
当該通信装置が、ランダムアクセス応答ＲＡＲの受信に成功した後に、初期伝送を示すダウンリンク制御チャネルを受信する場合と
のうちの１つ以上を更に有し、
初期伝送を示す前記ダウンリンク制御チャネルは、第１識別子を使用することによってスクランブルされ、前記ＲＡＲは、目標ランダムアクセスプリアンブルに対する応答であり、該目標ランダムアクセスプリアンブルは、競合に基づくランダムアクセスプリアンブルではなく、前記第１識別子は、ランダムアクセスプロシージャにおいて当該通信装置によってアクセスされるセル内で当該通信装置を識別するために使用される、
請求項７６乃至７９のうちいずれか一項に記載の通信装置。
【請求項８１】
当該通信装置が、第３条件が満足されると決定する場合に、当該通信装置は、前記第２時間領域リソース割り当てに基づいて、前記第２ＤＣＩによってスケジューリングされた前記ダウンリンクデータチャネルを受信し、
前記第３条件は、次の、
前記ダウンリンク再送タイマが実行中でないことと、
前記アップリンク再送タイマが実行中でないことと、
前記競合解除タイマが実行中でないことと、
当該通信装置によって送信された前記スケジューリング要求がペンディング中でないことと、
当該通信装置が、前記ランダムアクセス応答ＲＡＲの受信に成功した後に、初期伝送を示す前記ダウンリンク制御チャネルを受信することと
のうちの１つ以上を有し、
初期伝送を示す前記ダウンリンク制御チャネルは、前記第１識別子を使用することによってスクランブルされ、前記ＲＡＲは、前記目標ランダムアクセスプリアンブルに対する応答であり、該目標ランダムアクセスプリアンブルは、競合に基づくランダムアクセスプリアンブルではなく、前記第１識別子は、前記ランダムアクセスプロシージャにおいて当該通信装置によってアクセスされるセル内で当該通信装置を識別するために使用される、
請求項７６乃至７９のうちいずれか一項に記載の通信装置。
【請求項８２】
プロセッサ及びインターフェース回路を有し、
前記プロセッサは、第１リソース割り当て及び第２時間領域リソース割り当てを取得するよう構成され、前記第１時間領域リソース割り当ては、前記第２時間領域リソース割り当てとは異なり、
前記インターフェース回路は、
第１条件が満足される場合に、前記インターフェース回路がネットワークデバイスによって送信された第１ダウンリンク制御情報ＤＣＩを受信するならば、前記第１時間領域リソース割り当てに基づいて、前記第１ＤＣＩによってスケジューリングされたダウンリンクデータチャネルを受信し、前記第１条件は、第１タイマが実行中でないことを有し、
第２条件が満足される場合に、前記インターフェース回路が前記ネットワークデバイスによって送信された第２ＤＣＩを受信するならば、前記第２時間領域リソース割り当てに基づいて、前記第２ＤＣＩによってスケジューリングされたダウンリンクデータチャネルを受信し、前記第２条件は、前記第１タイマが実行中であることを有する、
よう構成される、
通信装置。
【請求項８３】
前記第１タイマは、当該通信装置が、ダウンリンク制御チャネルを受信した後に該ダウンリンク制御チャネルをモニタする時間長さを決定するために使用される、
請求項８２に記載の通信装置。
【請求項８４】
当該通信装置は、次の条件、
当該通信装置が、ダウンリンク制御チャネルを受信することと、
当該通信装置が、データ伝送を示すダウンリンク制御チャネルを受信することと、
当該通信装置が、初期伝送を示すダウンリンク制御チャネルを受信するか、あるいは、第２タイマが開始又は再開始されることと
のうちの１つが満足される場合に、前記第１タイマを開始又は再開始し、
前記第２タイマは、当該通信装置が、前記ダウンリンク制御チャネルを受信した後に、初期伝送を示す前記ダウンリンク制御チャネルをモニタする時間長さを決定するために使用される、
請求項８２又は８３に記載の通信装置。
【請求項８５】
前記第１条件は、第３タイマが実行中であることを更に有し、
前記第３タイマは、当該通信装置が、間欠受信ＤＲＸサイクルにおいてダウンリンク制御チャネルをモニタする時間長さを決定するために使用される、
請求項８２乃至８４のうちいずれか一項に記載の通信装置。
【請求項８６】
前記第１条件は、
次の、
ダウンリンク再送タイマが実行中でない場合と、
アップリンク再送タイマが実行中でない場合と、
競合解除タイマが実行中でない場合と、
当該通信装置によって送信されたスケジューリング要求がペンディング中でない場合と、
当該通信装置が、ランダムアクセス応答ＲＡＲの受信に成功した後に、初期伝送を示すダウンリンク制御チャネルを受信する場合と
のうちの１つ以上を更に有し、
初期伝送を示す前記ダウンリンク制御チャネルは、第１識別子を使用することによってスクランブルされ、前記ＲＡＲは、目標ランダムアクセスプリアンブルに対する応答であり、該目標ランダムアクセスプリアンブルは、競合に基づくランダムアクセスプリアンブルではなく、前記第１識別子は、ランダムアクセスプロシージャにおいて当該通信装置によってアクセスされるセル内で当該通信装置を識別するために使用される、
請求項８２乃至８５のうちいずれか一項に記載の通信装置。
【請求項８７】
当該通信装置が、第３条件が満足されると決定する場合に、当該通信装置は、前記第２時間領域リソース割り当てに基づいて、前記第２ＤＣＩによってスケジューリングされた前記ダウンリンクデータチャネルを受信し、
前記第３条件は、次の、
前記ダウンリンク再送タイマが実行中でないことと、
前記アップリンク再送タイマが実行中でないことと、
前記競合解除タイマが実行中でないことと、
当該通信装置によって送信された前記スケジューリング要求がペンディング中でないことと、
当該通信装置が、前記ランダムアクセス応答ＲＡＲの受信に成功した後に、初期伝送を示す前記ダウンリンク制御チャネルを受信することと
のうちの１つ以上を有し、
初期伝送を示す前記ダウンリンク制御チャネルは、前記第１識別子を使用することによってスクランブルされ、前記ＲＡＲは、前記目標ランダムアクセスプリアンブルに対する応答であり、該目標ランダムアクセスプリアンブルは、競合に基づくランダムアクセスプリアンブルではなく、前記第１識別子は、前記ランダムアクセスプロシージャにおいて当該通信装置によってアクセスされるセル内で当該通信装置を識別するために使用される、
請求項８２乃至８５のうちいずれか一項に記載の通信装置。
【請求項８８】
第１条件が満足される場合に、第１ダウンリンク制御情報ＤＣＩを端末へ送信し、第１時間領域リソース割り当てに基づいて、前記第１ＤＣＩによってスケジューリングされたダウンリンクデータチャネルを前記端末へ送信するよう構成され、前記第１条件は、第１タイマが実行中でないことを有し、
第２条件が満足される場合に、第２ＤＣＩを前記端末へ送信し、第２時間領域リソース割り当てに基づいて、前記第２ＤＣＩによってスケジューリングされたダウンリンクデータチャネルを前記端末へ送信するよう構成され、前記第２条件は、前記第１タイマが実行中であることを有する、
送信ユニットを有する通信装置。
【請求項８９】
前記第１タイマは、前記端末が、ダウンリンク制御チャネルを受信した後に該ダウンリンク制御チャネルをモニタする時間長さを決定するために使用される、
請求項８８に記載の通信装置。
【請求項９０】
前記第１条件は、第３タイマが実行中であることを更に有し、
前記第３タイマは、前記端末が、間欠受信ＤＲＸサイクルにおいてダウンリンク制御チャネルをモニタする時間長さを決定するために使用される、
請求項８８又は８９に記載の通信装置。
【請求項９１】
ダウンリンク再送タイマが実行中でなく、
アップリンク再送タイマが実行中でなく、
競合解除タイマが実行中でなく、
前記端末によって送信されたスケジューリング要求がペンディング中でなく、
前記端末が、ランダムアクセス応答ＲＡＲの受信に成功した後に、初期伝送を示すダウンリンク制御チャネルを受信し、初期伝送を示す前記ダウンリンク制御チャネルは、第１識別子を使用することによってスクランブルされ、前記ＲＡＲは、目標ランダムアクセスプリアンブルに対する応答であり、該目標ランダムアクセスプリアンブルは、競合に基づくランダムアクセスプリアンブルではなく、前記第１識別子は、ランダムアクセスプロシージャにおいて前記端末によってアクセスされるセル内で前記端末を識別するために使用される、
請求項８８乃至９０のうちいずれか一項に記載の通信装置。
【請求項９２】
当該方法は、
前記端末が、第３条件が満足されると決定する場合に、前記端末によって、前記第２時間領域リソース割り当てに基づいて、前記第２ＤＣＩによってスケジューリングされた前記ダウンリンクデータチャネルを受信することを更に有し、
前記第３条件は、次の、
前記ダウンリンク再送タイマが実行中でないことと、
前記アップリンク再送タイマが実行中でないことと、
前記競合解除タイマが実行中でないことと、
前記端末によって送信された前記スケジューリング要求がペンディング中でないことと、
前記端末が、前記ランダムアクセス応答ＲＡＲの受信に成功した後に、初期伝送を示す前記ダウンリンク制御チャネルを受信することと
のうちの１つ以上を有し、
初期伝送を示す前記ダウンリンク制御チャネルは、前記第１識別子を使用することによってスクランブルされ、前記ＲＡＲは、前記目標ランダムアクセスプリアンブルに対する応答であり、該目標ランダムアクセスプリアンブルは、競合に基づくランダムアクセスプリアンブルではなく、前記第１識別子は、前記ランダムアクセスプロシージャにおいて前記端末によってアクセスされるセル内で前記端末を識別するために使用される、
請求項８８乃至９１のうちいずれか一項に記載の通信装置。
【請求項９３】
プロセッサ及びインターフェース回路を有し、
前記インターフェース回路は、前記プロセッサが、第１条件が満足されると決定する場合に、第１ダウンリンク制御情報ＤＣＩを端末へ送信し、第１時間領域リソース割り当てに基づいて、前記第１ＤＣＩによってスケジューリングされたダウンリンクデータチャネルを前記端末へ送信するよう構成され、前記第１条件は、第１タイマが実行中でないことを有し、
前記インターフェース回路は、第２条件が満足される場合に、第２ＤＣＩを前記端末へ送信し、第２時間領域リソース割り当てに基づいて、前記第２ＤＣＩによってスケジューリングされたダウンリンクデータチャネルを前記端末へ送信するよう構成され、前記第２条件は、前記第１タイマが実行中であることを有する、
通信装置。
【請求項９４】
前記第１タイマは、前記端末が、ダウンリンク制御チャネルを受信した後に該ダウンリンク制御チャネルをモニタする時間長さを決定するために使用される、
請求項９３に記載の通信装置。
【請求項９５】
前記第１条件は、第３タイマが実行中であることを更に有し、
前記第３タイマは、前記端末が、間欠受信ＤＲＸサイクルにおいてダウンリンク制御チャネルをモニタする時間長さを決定するために使用される、
請求項９３又は９４に記載の通信装置。
【請求項９６】
ダウンリンク再送タイマが実行中でなく、
アップリンク再送タイマが実行中でなく、
競合解除タイマが実行中でなく、
前記端末によって送信されたスケジューリング要求がペンディング中でなく、
前記端末が、ランダムアクセス応答ＲＡＲの受信に成功した後に、初期伝送を示すダウンリンク制御チャネルを受信し、初期伝送を示す前記ダウンリンク制御チャネルは、第１識別子を使用することによってスクランブルされ、前記ＲＡＲは、目標ランダムアクセスプリアンブルに対する応答であり、該目標ランダムアクセスプリアンブルは、競合に基づくランダムアクセスプリアンブルではなく、前記第１識別子は、ランダムアクセスプロシージャにおいて前記端末によってアクセスされるセル内で前記端末を識別するために使用される、
請求項９４乃至９６のうちいずれか一項に記載の通信装置。
【請求項９７】
当該方法は、
前記端末が、第３条件が満足されると決定する場合に、前記端末によって、前記第２時間領域リソース割り当てに基づいて、前記第２ＤＣＩによってスケジューリングされた前記ダウンリンクデータチャネルを受信することを更に有し、
前記第３条件は、次の、
前記ダウンリンク再送タイマが実行中でないことと、
前記アップリンク再送タイマが実行中でないことと、
前記競合解除タイマが実行中でないことと、
前記端末によって送信された前記スケジューリング要求がペンディング中でないことと、
前記端末が、前記ランダムアクセス応答ＲＡＲの受信に成功した後に、初期伝送を示す前記ダウンリンク制御チャネルを受信することと
のうちの１つ以上を有し、
初期伝送を示す前記ダウンリンク制御チャネルは、前記第１識別子を使用することによってスクランブルされ、前記ＲＡＲは、前記目標ランダムアクセスプリアンブルに対する応答であり、該目標ランダムアクセスプリアンブルは、競合に基づくランダムアクセスプリアンブルではなく、前記第１識別子は、前記ランダムアクセスプロシージャにおいて前記端末によってアクセスされるセル内で前記端末を識別するために使用される、
請求項９３乃至９６のうちいずれか一項に記載の通信装置。
【請求項９８】
命令を記憶しているコンピュータ可読記憶媒体であって、
前記命令がコンピュータで実行される場合に、該コンピュータは、請求項１乃至９のうちいずれか一項に記載の通信方法を実行することを可能にされる、
コンピュータ可読記憶媒体。
【請求項９９】
命令を有するコンピュータプログラム製品であって、
前記命令がコンピュータで実行される場合に、該コンピュータは、請求項１乃至９のうちいずれか一項に記載の通信方法を実行することを可能にされる、
コンピュータプログラム製品。
【請求項１００】
命令を記憶しているコンピュータ可読記憶媒体であって、
前記命令がコンピュータで実行される場合に、該コンピュータは、請求項１０乃至１９のうちいずれか一項に記載の通信方法を実行することを可能にされる、
コンピュータ可読記憶媒体。
【請求項１０１】
命令を有するコンピュータプログラム製品であって、
前記命令がコンピュータで実行される場合に、該コンピュータは、請求項１０乃至１９のうちいずれか一項に記載の通信方法を実行することを可能にされる、
コンピュータプログラム製品。
【請求項１０２】
命令を記憶しているコンピュータ可読記憶媒体であって、
前記命令がコンピュータで実行される場合に、該コンピュータは、請求項２２乃至２７のうちいずれか一項に記載の通信方法を実行することを可能にされる、
コンピュータ可読記憶媒体。
【請求項１０３】
命令を有するコンピュータプログラム製品であって、
前記命令がコンピュータで実行される場合に、該コンピュータは、請求項２２乃至２７のうちいずれか一項に記載の通信方法を実行することを可能にされる、
コンピュータプログラム製品。
【請求項１０４】
命令を記憶しているコンピュータ可読記憶媒体であって、
前記命令がコンピュータで実行される場合に、該コンピュータは、請求項２８乃至３２のうちいずれか一項に記載の通信方法を実行することを可能にされる、
コンピュータ可読記憶媒体。
【請求項１０５】
命令を有するコンピュータプログラム製品であって、
前記命令がコンピュータで実行される場合に、該コンピュータは、請求項２８乃至３２のうちいずれか一項に記載の通信方法を実行することを可能にされる、
コンピュータプログラム製品。
【請求項１０６】
プロセッサを有し、該プロセッサは、メモリへ結合され、該メモリ内の命令又はプログラムを実行して、請求項２２乃至２７のうちいずれか一項に記載の通信方法を実行する、
チップシステム。
【請求項１０７】
プロセッサを有し、該プロセッサは、メモリへ結合され、該メモリ内の命令又はプログラムを実行して、請求項２８乃至３２のうちいずれか一項に記載の通信方法を実行する、
チップシステム。
【発明の詳細な説明】
【技術分野】
【０００１】
本願の実施形態は、通信技術の分野、特に、通信方法及び装置に関係がある。
【背景技術】
【０００２】
端末が基地局への接続を確立した後に、端末は、データを基地局へ送信する必要がある場合がある。基地局は、基地局によって端末へ送られるダウンリンクデータを運ぶために物理ダウンリンク共有チャネル（Physical  Downlink  Shared  Chanel，ＰＤＳＣＨ）を使用する。基地局は、ＰＤＳＣＨをスケジューリングするために使用されるダウンリンク制御情報（Downlink  Control  Information，ＤＣＩ）を端末へ送信する。ＤＣＩは、時間領域リソース割り当て（Time  domain  resource  assignment）フィールドを含み、時間領域リソース割り当てフィールドは、ＰＤＳＣＨの時間領域リソースの位置を決定するために端末によって使用される。
【０００３】
先行技術では、端末は、基地局によって送信されたＰＤＳＣＨを受信するようＤＣＩをモニタする。端末は、復号化を通じてＤＣＩを取得する前に、スケジューリングされたＰＤＳＣＨとＤＣＩとの間のオフセットを知らない。そのため、端末は、ＰＤＳＣＨの時間領域リソースの最も早く起こり得る開始位置からデータをバッファリングし始め得る。端末は、決定されたＰＤＳＣＨ時間領域リソース割り当てテーブル／リスト（ＰＤＳＣＧ−Ａｌｌｏｃａｔｉｏｎ  Ｌｉｓｔ又はＰＤＳＣＨ−ＴｉｍｅＤｏｍａｉｎＲｅｓｏｕｒｃｅＡｌｌｏｃａｔｉｏｎＬｉｓｔ）に基づいて、ＰＤＳＣＨの時間領域リソースの最も早く起こり得る開始位置を決定し得る。
【０００４】
しかし、ＰＤＳＣＨの時間領域リソースの最も早く起こり得る開始位置と、ＰＤＳＣＨをスケジューリングするために使用されるＤＣＩの時間領域位置との間のインターバルは、比較的に短い（例えば、端末が復号化を通じてＤＣＩを取得する期間よりも短い）と考えられる。この場合に、端末が、ＰＤＳＣＨの時間領域リソースの最も早く起こり得る開始位置からデータをバッファリングし始めるが、基地局が、ＰＤＳＣＨを端末へ送信しない場合には、図１（ａ）に示されるように、端末は、いくらかのデータを無駄にバッファリングし、その結果、電力消費無駄が引き起こされる可能性がある。
【発明の概要】
【０００５】
本願の実施形態は、端末の電力消費の無駄に関する先行技術の課題を解決するための通信方法及び装置を提供する。
【０００６】
上記の技術的課題を解決するために、本願の実施形態は、以下の技術的解決法を提供する。
【０００７】
第１の態様に従って、本願の実施形態は、端末によって、第１時間領域オフセットを示すために使用される情報及び／又は低電力消費を示すために使用される情報をネットワークデバイスへ送信することと、端末によって、ネットワークデバイスによって送信された第１情報を受信することとを含み、第１情報が、第１時間領域リソース割り当てを決定するために端末によって使用される、通信方法を提供する。
【０００８】
本願のこの実施形態で提供される通信方法に従って、時間領域リソース割り当ては、通常は、ダウンリンクデータチャネルの時間領域リソースの開始位置を示すために使用される。そのため、端末は、第１時間領域オフセットを示すために使用される情報及び／又は低電力消費を示すために使用される情報をネットワークデバイスへ送信して、ＤＣＩの時間領域位置と、ネットワークデバイスによって端末に割り当てられた第１時間領域リソース割り当て又はネットワークデバイスが端末に決定するよう指示する第１時間領域リソース割り当てにおいて含まれている／指示されている時間領域リソースの開始位置との間に比較的に長いインターバルがあるようにする。端末の実際の実施では、端末は、ＤＣＩの時間領域位置とダウンリンクデータチャネルの時間領域リソースの開始位置との間のインターバルの値に基づいて、ＤＣＩの時間領域位置の後かつダウンリンクデータチャネルの時間領域リソースの開始位置の前の期間に種々のモジュールを無効化し得る。通常、ダウンリンクデータチャネルの時間領域リソースの開始位置とＤＣＩの時間領域位置との間のより長い時間領域インターバルは、ダウンリンクデータチャネルの時間領域リソースの開始位置とＤＣＩの時間領域位置との間との間の期間における端末のより低い電力消費を示す。
【０００９】
第１の態様を参照して、第１の態様の第１の可能な実施において、第１時間領域オフセットは、端末によって期待される最小時間領域オフセットであってよく、あるいは、第１時間領域オフセットは、端末によって期待される時間領域オフセットインクリメントであってよく、あるいは、第１時間領域オフセットは、端末によって期待される最大時間領域オフセットであってよい。
【００１０】
第１の態様又は第１の態様の第１の可能な実施を参照して、第１の態様の第２の可能な実施において、第１情報は、第１時間領域リソース割り当てを含むか、あるいは、第１情報は、第１時間領域リソース割り当てを示すために特に使用され、本願のこの実施形態で提供される方法は、端末によって第１情報から第１時間領域リソース割り当てを決定することを更に含む。
【００１１】
第１の態様又は第１の態様の第１の可能な実施を参照して、第１の態様の第３の可能な実施において、第１情報は、第１周波数領域リソースへハンドオーバーするよう端末に示すために特に使用され、第１時間領域リソース割り当ては、第１周波数領域リソースに対応する時間領域リソース割り当てである。すなわち、端末が第１情報を受信した後、端末は、第１情報に基づいて、第１周波数領域リソースに対応する時間領域リソース割り当てを第１時間領域リソース割り当てとして決定する。このようにして、端末は、周波数領域リソースへハンドオーバーするよう指示され得、端末は、第１時間領域リソース割り当てを決定することができる。
【００１２】
第１の態様又は第１の態様の第１の可能な実施を参照して、第１の態様の第４の可能な実施において、端末が第２時間領域リソース割り当てを有する場合に、記第１時間領域リソース割り当ては、第２時間領域リソース割り当て及び第２時間領域オフセットに基づいて決定される。このようにして、端末は、既存の第２時間領域リソース割り当てに基づいて第１時間領域リソース割り当てを決定して、第１時間領域リソース割り当てによって示される時間領域リソースの開始位置とＤＣＩの時間領域位置との間に比較的に長いインターバルがあるようにする。
【００１３】
第１の態様の第４の可能な実施を参照して、第１の態様の第５の可能な実施において、第１時間領域リソース割り当てによって示される第３時間領域オフセットは、第４時間領域オフセット及び第２時間領域オフセットに基づいて取得され、第４時間領域オフセットは、第２時間領域リソース割り当てによって示される時間領域オフセットである。このようにして、端末は、第２時間領域オフセットを第４時間領域オフセットに加えること、又は第２時間領域オフセットを第４時間領域オフセットから減じることによって、第３時間領域オフセットを取得する。
【００１４】
第１の態様の第５の可能な実施を参照して、第１の態様の第６の可能な実施において、第３時間領域オフセットは、第４時間領域オフセットに第２時間領域オフセットをプラスしたものであるか、あるいは、第３時間領域オフセットの最小値は、第２時間領域オフセットであるか、あるいは、第３時間領域オフセットは、第４時間領域オフセットに第２時間領域オフセットをプラスしたものから、第２時間領域リソース割り当てによって示される最小時間領域オフセットをマイナスしたものである。
【００１５】
第１の態様乃至第１の態様の第５の可能な実施のうちのいずれか１つを参照して、第１の態様の第７の可能な実施において、第３時間領域オフセットの最小値は、端末によって期待される最小時間領域オフセットである。
【００１６】
第１の態様乃至第１の態様の第５の可能な実施のうちのいずれか１つを参照して、第１の態様の第８の可能な実施において、第３時間領域オフセットは、第４時間領域オフセットから第２時間領域オフセットをマイナスしたものであるか、あるいは、第３時間領域オフセットの最大値は、第２時間領域オフセットである。
【００１７】
第１の態様乃至第１の態様の第５の可能な実施のうちのいずれか１つを参照して、第１の態様の第９の可能な実施において、第３時間領域オフセットの最大値は、端末によって期待される最大時間領域オフセットである。
【００１８】
第１の態様又は第１の態様の第１の可能な実施を参照して、第１の態様の第１０の可能な実施において、第１時間領域リソース割り当ては、第２時間領域リソース割り当てにおける目標時間領域リソース割り当てを含む。
【００１９】
例において、目標時間領域リソース割り当てによって示される第５時間領域オフセットは、第２時間領域オフセット以上である。これは、端末が電力消費を低減することを期待する場合に当てはまる。この場合に、第２時間領域オフセットは、端末によって期待される最小時間領域オフセットであってよい。
【００２０】
例において、目標時間領域リソース割り当てによって示される第５時間領域オフセットは、第２時間領域オフセット以下である。これは、端末がスケジューリング遅延を低減することを期待する場合に当てはまる。この場合に、第２時間領域オフセットは、端末によって期待される最大時間領域オフセットであってよい。
【００２１】
例において、目標時間領域リソース割り当てによって示される第５時間領域オフセットは、端末によって期待される最大時間領域オフセット以下であり、かつ、端末によって期待される最小時間領域オフセット以上である。このようにして、電力消費は低減可能であり、スケジューリング遅延は適切な範囲内にあることができる。
【００２２】
第１の態様乃至第１の態様の第１０の可能な実施のうちのいずれか１つを参照して、第１の態様の第１１の可能な実施において、第１時間領域リソース割り当てによって示される第３時間領域オフセットは、第１時間領域オフセット以上であるか、あるいは、端末が第２時間領域リソース割り当てを有する場合には、第３時間領域オフセットは、第１時間領域オフセットと第４時間領域オフセットとの和以上である。
【００２３】
第１の態様乃至第１の態様の第１０の可能な実施のうちのいずれか１つを参照して、第１の態様の第１２の可能な実施において、第１時間領域リソース割り当てによって示される第３時間領域オフセットは、第１時間領域オフセット以下であるか、あるいは、端末が第２時間領域リソース割り当てを有する場合には、第３時間領域オフセットは、第１時間領域オフセットと第４時間領域オフセットとの和以下である。
【００２４】
第１の態様乃至第１の態様の第１２の可能な実施のうちのいずれか１つを参照して、第１の態様の第１３の可能な実施において、第２時間領域オフセットは、予め定義された時間領域オフセットであるか、あるいは、第２時間領域オフセットは、第１情報によって示される時間領域オフセットであるか、あるいは、第２時間領域オフセットは、第１時間領域オフセットである。
【００２５】
第１の態様乃至第１の態様の第１３の可能な実施のうちのいずれか１つを参照して、第１の態様の第１４の可能な実施において、本願のこの実施形態で提供される方法は、端末によって、第１時間領域リソース割り当てに基づいて、ネットワークデバイスによって送信されたダウンリンクデータチャネルを受信することを更に含む。第１時間領域リソース割り当ては、端末によって送信され低電力消費及び／又は第１時間領域オフセットを示すために使用される情報に基づいて、決定される。従って、第１時間領域リソース割り当てによって示される第３時間領域オフセットが、端末によって期待される最小時間領域オフセット以上である場合に、端末の電力消費は低減され得る。第１時間領域リソース割り当ては、端末によって送信され低スケジューリング遅延及び／又は第１時間領域オフセットを示すために使用される情報に基づいて、決定される。従って、第１時間領域リソース割り当てによって示される第３時間領域オフセットが、端末によって期待される最大時間領域オフセット以下である場合に、スケジューリング遅延は低減され得る。
【００２６】
端末が２つ以上の時間領域リソース割り当て（第１時間領域リソース割り当て及び第２時間領域リソース割り当て）を有する場合に、端末は、例えば、以下の第３の態様で端末によって実行されるいずれかのステップを更に実施してよい。詳細はここでは記載されない。
【００２７】
第２の態様に従って、本願の実施形態は、ネットワークデバイスによって、端末によって送信される、第１時間領域オフセットを示すために使用される情報及び／又は低電力消費を示すために使用される情報を受信することと、記ネットワークデバイスによって、第１情報を端末へ送信することとを含み、第１情報が、第１時間領域リソース割り当てを決定するために端末によって使用される、通信方法を提供する。
【００２８】
第２の態様を参照して、第２の態様の第１の可能な実施において、第１情報は、第１時間領域リソース割り当てを含むか、あるいは、第１情報は、第１時間領域リソース割り当てを示すために特に使用される。
【００２９】
第２の態様又は第２の態様の第１の可能な実施を参照して、第２の態様の第２の可能な実施において、ネットワークデバイスが第２時間領域リソース割り当てを有する場合に、本願のこの実施形態で提供される方法は、ネットワークデバイスによって、第２時間領域リソース割り当て及び第２時間領域オフセットに基づいて第１時間領域リソース割り当てを決定することを更に含む。
【００３０】
第２の態様乃至第２の態様の第２の可能な実施のうちのいずれか１つを参照して、第２の態様の第３の可能な実施において、第２時間領域オフセットは、第１時間領域オフセットであるか、あるいは、第２時間領域オフセットは、予め定義された時間領域オフセットである。
【００３１】
第２の態様の第２の可能な実施又は第３の可能な実施を参照して、第２の態様の第４の可能な実施において、第３時間領域オフセットは、第４時間領域オフセット及び第２時間領域オフセットに基づいて取得され、第４時間領域オフセットは、第２時間領域リソース割り当てによって示される時間領域オフセットであり、第３時間領域オフセットは、第２時間領域リソース割り当てによって示される時間領域オフセットである。
【００３２】
第２の態様の第４の可能な実施を参照して、第２の態様の第５の可能な実施において、第３時間領域オフセットは、第４時間領域オフセットに第２時間領域オフセットをプラスしたものであるか、あるいは、第３時間領域オフセットの最小値は、第２時間領域オフセットであるか、あるいは、第３時間領域オフセットは、第４時間領域オフセットに第２時間領域オフセットをプラスしたものから、第２時間領域リソース割り当てによって示される最小時間領域オフセットをマイナスしたものである。
【００３３】
第２の態様又は第２の態様の第１の可能な実施を参照して、第２の態様の第６の可能な実施において、第１時間領域リソース割り当ては、第２時間領域リソース割り当てにおける目標時間領域リソース割り当てを含む。
【００３４】
例において、目標時間領域リソース割り当てによって示される第５時間領域オフセットは、第２時間領域オフセット以上である。これは、端末によって期待される時間領域オフセットが、電力消費を低減するよう、端末によって期待される最小時間領域オフセット以上である場合に当てはまる。
【００３５】
例において、目標時間領域リソース割り当てによって示される第５時間領域オフセットは、第２時間領域オフセット以下である。これは、端末によって期待される時間領域オフセットが、スケジューリング遅延を低減するよう、端末によって期待される最大時間領域オフセット以下である場合に当てはまる。
【００３６】
例において、目標時間領域リソース割り当てによって示される第５時間は、端末によって期待される最大時間領域オフセット以下であり、かつ、端末によって期待される最小時間領域オフセット以上である。このようにして、電力消費は低減可能であり、スケジューリング遅延は適切な範囲内にあることができる。
【００３７】
第２の態様又は第２の態様の第１の可能な実施を参照して、第２の態様の第７の可能な実施において、第１情報は、第１周波数領域リソースへハンドオーバーするよう端末に示すために特に使用され、第１周波数領域リソース割り当ては、第１時間領域リソースに対応する。
【００３８】
第２の態様又は第２の態様の第１の可能な実施を参照して、第２の態様の第８の可能な実施において、第１情報は、第１時間領域リソース割り当てを決定するよう端末に示すために特に使用される。
【００３９】
第２の態様乃至第２の態様の第８の可能な実施のうちのいずれか１つを参照して、第２の態様の第９の可能な実施において、第１時間領域リソース割り当てによって示される第３時間領域オフセットは、第１時間領域オフセット以上である。これは、第１時間領域オフセットが、端末によって期待される最小時間領域オフセットである場合に当てはまる。
【００４０】
第２の態様乃至第２の態様の第８の可能な実施のうちのいずれか１つを参照して、第２の態様の第１０の可能な実施において、端末が第２時間領域リソース割り当てを有する場合に、第３時間領域オフセットは、第１時間領域オフセットと第４時間領域オフセットとの和以上である。これは、第１時間領域オフセットが、端末によって期待される時間領域オフセットインクリメントである場合に当てはまり、最終的に得られる第３時間領域オフセットは、端末の電力消費を低減するよう、端末によって期待される最小時間領域オフセット以上である。
【００４１】
第２の態様乃至第２の態様の第８の可能な実施のうちのいずれか１つを参照して、第２の態様の第１１の可能な実施において、第１時間領域リソース割り当てによって示される第３時間領域オフセットは、第１時間領域オフセット以下である。これは、第１時間領域オフセットが、端末によって期待される最大時間領域オフセットである場合に当てはまる。
【００４２】
第２の態様乃至第２の態様の第８の可能な実施のうちのいずれか１つを参照して、第２の態様の第１２の可能な実施において、端末が第２時間領域リソース割り当てを有する場合に、第３時間領域オフセットは、第１時間領域オフセットと第４時間領域オフセットとの和以下である。これは、第１時間領域オフセットが、端末によって期待される時間領域オフセットインクリメントである場合に当てはまり、最終的に得られる第３時間領域オフセットは、端末によって期待される最大時間領域オフセット以下である。
【００４３】
第２の態様乃至第２の態様の第１２の可能な実施のうちのいずれか１つを参照して、第２の態様の第１３の可能な実施において、本願のこの実施形態で提供される方法は、ネットワークデバイスによって、第１時間領域リソース割り当てに基づいてダウンリンクデータチャネルを端末へ送信することを更に含む。
【００４４】
留意されるべきは、端末が２つ以上の第２時間領域リソース割り当て（例えば、第１時間領域リソース割り当て及び第２時間領域ソース割り当て）を有する場合に、本願のこの実施形態で提供されるネットワークデバイスは、第４の態様又は第４の態様のいずれかの可能な実施でネットワークデバイスによって実行されるステップを更に実行してもよい点である。詳細については、以下の第４の態様における説明を参照されたい。詳細はここでは記載されない。
【００４５】
第３の態様に従って、本願の実施形態は、端末によって、第１リソース割り当て及び第２時間領域リソース割り当てを取得することであり、第１時間領域リソース割り当ては、第２時間領域リソース割り当てとは異なる、ことと、第１条件が満足される場合に、端末がネットワークデバイスによって送信された第１ダウンリンク制御情報ＤＣＩを受信するならば、端末によって、第１時間領域リソース割り当てに基づいて、第１ＤＣＩによってスケジューリングされたダウンリンクデータチャネルを受信することであり、第１条件は、第１タイマが実行中でないことを含む、ことと、第２条件が満足される場合に、端末がネットワークデバイスによって送信された第２ＤＣＩを受信するならば、端末によって、第２時間領域リソース割り当てに基づいて、第２ＤＣＩによってスケジューリングされたダウンリンクデータチャネルを受信することであり、第２条件は、第１タイマが実行中であることを含む、こととを含むデータチャネル受信方法を提供する。
【００４６】
第３の態様を参照して、第３の態様の第１の可能な実施において、第１タイマは、端末が、ダウンリンク制御チャネルを受信した後にそのダウンリンク制御チャネルをモニタする時間長さを決定するために使用される。
【００４７】
第３の態様又は第３の態様の第１の可能な実施を参照して、第３の態様の第２の可能な実施において、端末は、次の条件、端末が、ダウンリンク制御チャネルを受信することと、端末が、データ伝送を示すダウンリンク制御チャネルを受信することと、端末が、初期伝送を示すダウンリンク制御チャネルを受信するか、あるいは、第２タイマが開始又は再開始されることと、のうちの１つが満足される場合に、第１タイマを開始又は再開始し、第２タイマは、端末が、ダウンリンク制御チャネルを受信した後に、初期伝送を示すダウンリンク制御チャネルをモニタする時間長さを決定するために使用される。
【００４８】
第３の態様乃至第３の態様の第２の可能な実施のうちのいずれか１つを参照して、第３の態様の第３の可能な実施において、第１条件は、第３タイマが実行中であることを更に含み、第３タイマは、端末が、間欠受信ＤＲＸサイクルにおいてダウンリンク制御チャネルをモニタする時間長さを決定するために使用される。
【００４９】
第３の態様乃至第３の態様の第３の可能な実施のうちのいずれか１つを参照して、第３の態様の第４の可能な実施において、第１条件は、次の、ダウンリンク再送タイマが実行中でない場合と、アップリンク再送タイマが実行中でない場合と、競合解除タイマが実行中でない場合と、端末によって送信されたスケジューリング要求がペンディング中でない場合と、端末が、ランダムアクセス応答ＲＡＲの受信に成功した後に、初期伝送を示すダウンリンク制御チャネルを受信する場合とのうちの１つ以上を更に含み、初期伝送を示すダウンリンク制御チャネルは、第１識別子を使用することによってスクランブルされ、ＲＡＲは、目標ランダムアクセスプリアンブルに対する応答であり、目標ランダムアクセスプリアンブルは、競合に基づくランダムアクセスプリアンブルではなく、第１識別子は、ランダムアクセスプロシージャにおいて端末によってアクセスされるセル内で端末を識別するために使用される。
【００５０】
第３の態様乃至第３の態様の第４の可能な実施のうちのいずれか１つを参照して、第３の態様の第５の可能な実施において、本願のこの実施形態で提供される方法は、端末が、第３条件が満足されると決定する場合に、端末によって、第２時間領域リソース割り当てに基づいて、第２ＤＣＩによってスケジューリングされたダウンリンクデータチャネルを受信することを更に含み、第３条件は、次の、ダウンリンク再送タイマが実行中であることと、アップリンク再送タイマが実行中であることと、競合解除タイマが実行中であることと、端末によって送信されたスケジューリング要求がペンディング中であることと、端末が、ランダムアクセス応答ＲＡＲの受信に成功した後に、初期伝送を示すダウンリンク制御チャネルを受信しないこととのうちの１つ以上を含み、初期伝送を示すダウンリンク制御チャネルは、第１識別子を使用することによってスクランブルされ、ＲＡＲは、目標ランダムアクセスプリアンブルに対する応答であり、目標ランダムアクセスプリアンブルは、競合に基づくランダムアクセスプリアンブルではなく、第１識別子は、ランダムアクセスプロシージャにおいて端末によってアクセスされるセル内で端末を識別するために使用される。
【００５１】
留意されるべきは、第３の態様で記載される端末は、第１時間領域リソース割り当て及び第２時間領域リソース割り当てを取得するよう、第１の態様又は第１の態様のいずれかの可能な実施で端末によって実行されるステップを更に実行してもよい点である。
【００５２】
第４の態様に従って、本願の実施形態は、第１条件が満足される場合に、ネットワークデバイスによって、第１ダウンリンク制御情報ＤＣＩを端末へ送信し、ネットワークデバイスによって、第１時間領域リソース割り当てに基づいて、第１ＤＣＩによってスケジューリングされたダウンリンクデータチャネルを端末へ送信することであり、第１条件は、第１タイマが実行中でないことを含む、ことと、第２条件が満足される場合に、ネットワークデバイスによって、第２ＤＣＩを端末へ送信し、ネットワークデバイスによって、第２時間領域リソース割り当てに基づいて、第２ＤＣＩによってスケジューリングされたダウンリンクデータチャネルを端末へ送信することであり、第２条件は、第１タイマが実行中であることを含む、こととを含むデータチャネル送信方法を提供する。
【００５３】
第４の態様を参照して、第４の態様の第１の可能な実施において、第１タイマは、端末が、ダウンリンク制御チャネルを受信した後にダウンリンク制御チャネルをモニタする時間長さを決定するために使用される。
【００５４】
第４の態様又は第４の態様の第１の可能な実施を参照して、第４の態様の第２の可能な実施において、第１条件は、第３タイマが実行中であることを更に含み、第３タイマは、端末が、間欠受信ＤＲＸサイクルにおいてダウンリンク制御チャネルをモニタする時間長さを決定するために使用される。
【００５５】
第４の態様乃至第４の態様の第２の可能な実施のうちのいずれか１つを参照して、第４の態様の第３の可能な実施において、第１条件は、次の、ダウンリンク再送タイマが実行中でない場合と、アップリンク再送タイマが実行中でない場合と、競合解除タイマが実行中でない場合と、端末によって送信されたスケジューリング要求がペンディング中でない場合と、端末が、ランダムアクセス応答ＲＡＲの受信に成功した後に、初期伝送を示すダウンリンク制御チャネルを受信する場合とのうちの１つ以上を更に含み、初期伝送を示すダウンリンク制御チャネルは、第１識別子を使用することによってスクランブルされ、ＲＡＲは、目標ランダムアクセスプリアンブルに対する応答であり、目標ランダムアクセスプリアンブルは、競合に基づくランダムアクセスプリアンブルではなく、第１識別子は、ランダムアクセスプロシージャにおいて端末によってアクセスされるセル内で端末を識別するために使用される。
【００５６】
第４の態様乃至第４の態様の第３の可能な実施のうちのいずれか１つを参照して、第４の態様の第４の可能な実施において、本願のこの実施形態で提供される方法は、第３条件が満足される場合に、ネットワークデバイスによって、第２時間領域リソース割り当てに基づいて、第２ＤＣＩによってスケジューリングされたダウンリンクデータチャネルを送信することを更に含み、第３条件は、次の、ダウンリンク再送タイマが実行中であることと、アップリンク再送タイマが実行中であることと、競合解除タイマが実行中であることと、端末によって送信されたスケジューリング要求がペンディング中であることと、端末が、ランダムアクセス応答ＲＡＲの受信に成功した後に、初期伝送を示すダウンリンク制御チャネルを受信しないこととのうちの１つ以上を含み、初期伝送を示すダウンリンク制御チャネルは、第１識別子を使用することによってスクランブルされ、ＲＡＲは、目標ランダムアクセスプリアンブルに対する応答であり、目標ランダムアクセスプリアンブルは、競合に基づくランダムアクセスプリアンブルではなく、第１識別子は、ランダムアクセスプロシージャにおいて端末によってアクセスされるセル内で端末を識別するために使用される。
【００５７】
第５の態様に従って、本願の実施形態は、通信装置を提供する。通信装置は、第１の態様又は第１の態様のいずれかの可能な実施で記載されている方法を実装してよく、従って、第１の態様又は第１の態様のいずれかの可能な実施における有利な効果も達成し得る。通信装置は、端末であってよく、あるいは、第１の態様又は第１の態様のいずれかの可能な実施における方法を端末が実装することを支援し得る装置、例えば、端末に適用されるチップであってよい。通信装置は、ソフトウェア又はハードウェアを使用することによって、あるいは、対応するソフトウェアをハードウェアによって実行することによって、上記の方法を実装してよい。
【００５８】
例において、通信装置は、端末又は端末に適用されるチップである。通信装置は、第１時間領域オフセットを示すために使用される情報及び／又は低電力消費を示すために使用される情報をネットワークデバイスへ送信するよう構成される送信ユニットと、ネットワークデバイスによって送信されて、第１時間領域リソース割り当てを決定するために端末によって使用される第１情報を受信するよう構成される受信ユニットとを含む。
【００５９】
第５の態様を参照して、第５の態様の第１の可能な実施において、第１情報は、第１時間領域リソース割り当てを含むか、あるいは、第１情報は、第１時間領域リソース割り当てを示すために特に使用される。
【００６０】
第５の態様を参照して、第５の態様の第２の可能な実施において、第１情報は、第１周波数領域リソースへハンドオーバーするよう端末に示すために特に使用され、第１時間領域リソース割り当ては、第１周波数領域リソースに対応する時間領域リソース割り当てである。
【００６１】
第５の態様を参照して、第５の態様の第３の可能な実施において、第１情報が、第１時間領域リソース割り当てを決定するよう端末に示すために特に使用される場合に、第１時間領域リソース割り当ては、端末によって、端末における第２時間領域オフセット及び第２時間領域リソース割り当てに基づいて決定される。
【００６２】
第５の態様又は第５の態様の第２の可能な実施を参照して、第５の態様の第４の可能な実施において、第１時間領域リソース割り当てによって示される第３時間領域オフセットは、第４時間領域オフセット及び第２時間領域オフセットに基づいて取得され、第４時間領域オフセットは、第２時間領域リソース割り当てによって示される時間領域オフセットである。
【００６３】
第５の態様の第４の可能な実施を参照して、第５の態様の第５の可能な実施において、第３時間領域オフセットは、第４時間領域オフセットに第２時間領域オフセットをプラスしたものであるか、あるいは、第３時間領域オフセットの最小値は、第２時間領域オフセットであるか、あるいは、第３時間領域オフセットは、第４時間領域オフセットに第２時間領域オフセットをプラスしたものから、第２時間領域リソース割り当てによって示される最小時間領域オフセットをマイナスしたものである。
【００６４】
第５の態様を参照して、第５の態様の第６の可能な実施において、第１時間領域リソース割り当ては、第２時間領域リソース割り当てにおける目標時間領域リソース割り当てを含む。
【００６５】
例において、目標時間領域リソース割り当てによって示される第５時間領域オフセットは、第２時間領域オフセット以上である。
【００６６】
例において、目標時間領域リソース割り当てによって示される第５時間領域オフセットは、第２時間領域オフセット以下である。
【００６７】
例において、目標時間領域リソース割り当てによって示される第５時間領域オフセットは、端末によって期待される最大時間領域オフセット以下であり、かつ、端末によって期待される最小時間領域オフセット以上である。
【００６８】
第５の態様乃至第５の態様の第６の可能な実施のうちのいずれか１つを参照して、第５の態様の第７の可能な実施において、第２時間領域オフセットは、予め定義された時間領域オフセットであるか、あるいは、第２時間領域オフセットは、第１情報によって示される時間領域オフセットであるか、あるいは、第２時間領域オフセットは、第１時間領域オフセットである。
【００６９】
第５の態様乃至第５の態様の第７の可能な実施のうちのいずれか１つを参照して、第５の態様の第８の可能な実施において、第１時間領域リソース割り当てによって示される第３時間領域オフセットは、第１時間領域オフセット以上であるか、あるいは、記端末が第２時間領域リソース割り当てを有する場合に、第３時間領域オフセットは、第１時間領域オフセットと第４時間領域オフセットとの和以上である。
【００７０】
第５の態様乃至第５の態様の第８の可能な実施のうちのいずれか１つを参照して、第５の態様の第９の可能な実施において、第１時間領域リソース割り当てによって示される第３時間領域オフセットは、第１時間領域オフセット以下であるか、あるいは、端末が第２時間領域ソース割り当てを有する場合に、第３時間領域オフセットは、第１時間領域オフセットと第４時間領域オフセットとの和以下である。
【００７１】
第６の態様に従って、本願の実施形態は、通信装置を提供する。通信装置は、端末又は端末に適用されるチップであってよい。通信装置は、プロセッサ及びインターフェース回路を含む。インターフェース回路は、第１の態様又は第１の態様のいずれかの可能な実施で記載されている通信装置側でのメッセージ／データ受信及び送信ステップを通信装置が実行することを支援するよう構成される。プロセッサは、第１の態様又は第１の態様のいずれかの可能な実施で記載されている通信装置側でのメッセージ／データ処理ステップを通信装置が実行することを支援するよう構成される。具体的な態様するステップについては、第１の態様又は第１の態様のいずれかの可能な実施における説明を参照されたい。詳細はここで再び記載されない。
【００７２】
インターフェース回路は、第１時間領域オフセットを示すために使用される情報及び／又は低電力消費を示すために使用される情報をネットワークデバイスへ送信するよう構成される。インターフェース回路は、ネットワークデバイスによって送信されて、第１時間領域リソース割り当てを決定するために端末によって使用される第１情報を受信するよう構成される。
【００７３】
第６の態様を参照して、第６の態様の第１の可能な実施において、第１情報は、第１時間領域リソース割り当てを含むか、あるいは、第１情報は、第１時間領域リソース割り当てを示すために特に使用される。
【００７４】
第６の態様を参照して、第６の態様の第２の可能な実施において、第１情報は、第１周波数領域リソースへハンドオーバーするよう端末に示すために特に使用され、第１時間領域リソース割り当ては、第１周波数領域リソースに対応する時間領域リソース割り当てである。
【００７５】
第６の態様を参照して、第６の態様の第３の可能な実施において、第１情報は、第１時間領域リソース割り当てを決定するよう端末に指示するために特に使用され、端末が第２時間領域リソース割り当てを有する場合に、第１時間領域リソース割り当ては、第２時間領域リソース割り当て及び第２時間領域オフセットに基づいて決定される。
【００７６】
第６の態様又は第６の態様の第３の可能な実施を参照して、第６の態様の第４の可能な実施において、第１時間領域リソース割り当てによって示される第３時間領域オフセットは、第４時間領域オフセット及び第２時間領域オフセットに基づいて取得され、第４時間領域オフセットは、第２時間領域リソース割り当てによって示される時間領域オフセットである。
【００７７】
第６の態様の第４の可能な実施を参照して、第６の態様の第５の可能な実施において、第３時間領域オフセットは、第４時間領域オフセットに第２時間領域オフセットをプラスしたものであるか、あるいは、第３時間領域オフセットの最小値は、第２時間領域オフセットであるか、あるいは、第３時間領域オフセットは、第４時間領域オフセットに第２時間領域オフセットをプラスしたものから第２時間領域リソース割り当てによって示される最小時間領域オフセットをマイナスしたものである。
【００７８】
第６の態様又は第６の態様の第３の可能な実施を参照して、第６の態様の第６の可能な実施において、第１時間領域リソース割り当ては、第２時間領域リソース割り当てにおける目標時間領域リソース割り当てを含み、目標時間領域リソース割り当てによって示される第５時間領域オフセットは、第２時間領域オフセット以上である。
【００７９】
第６の態様又は第６の態様の第３の可能な実施を参照して、第６の態様の第７の可能な実施において、第１時間領域リソース割り当ては、第２時間領域リソース割り当てにおける目標時間領域リソース割り当てを含み、目標時間領域リソース割り当てによって示される第５時間領域オフセットは、第２時間領域オフセット以下である。
【００８０】
第６の態様又は第６の態様の第３の可能な実施を参照して、第６の態様の第８の可能な実施において、第１時間領域リソース割り当ては、第２時間領域リソース割り当てにおける目標時間領域リソース割り当てを含み、目標時間領域リソース割り当てによって示される第５時間領域オフセットは、端末によって期待される最大時間領域オフセット以下であり、かつ、端末によって期待される最小時間領域オフセット以上である。
【００８１】
第６の態様乃至第６の多様の第８の可能な実施のうちのいずれか１つを参照して、第６の態様の第９の可能な実施において、第２時間領域オフセットは、予め定義された時間領域オフセットであるか、あるいは、第２時間領域オフセットは、第１情報によって示される時間領域オフセットであるか、あるいは、第２時間領域オフセットは、第１時間領域オフセットである。
【００８２】
第６の態様乃至第６の態様の第９の可能な実施のうちのいずれか１つを参照して、第６の態様の第１０の可能な実施において、第１時間領域リソース割り当てによって示される第３時間領域オフセットは、第１時間領域オフセット以上であるか、あるいは、端末が第２時間領域リソース割り当てを有する場合に、第３時間領域オフセットは、第１時間領域オフセットと第４時間領域オフセットとの和以上である。
【００８３】
第６の態様乃至第６の態様の第９の可能な実施のうちのいずれか１つを参照して、第６の態様の第１１の可能な実施において、第１時間領域リソース割り当てによって示される第３時間領域オフセットは、第１時間領域オフセット以下であるか、あるいは、端末が第２時間領域リソース割り当てを有する場合に、第３時間領域オフセットは、第１時間領域オフセットと第４時間領域オフセットとの和以下である。
【００８４】
第６の態様乃至第６の態様の第１１の可能な実施のうちのいずれか１つを参照して、第６の態様の第１２の可能な実施において、インターフェース回路は、第１時間領域リソース割り当てに基づいて、ネットワークデバイスによって送信されたダウンリンクデータチャネルを受信するよう更に構成される。
【００８５】
留意されるべきは、通信装置／ネットワークデバイスが２つ以上の時間領域リソース割り当て（例えば、第１時間領域リソース割り当て及び第２時間領域ソース割り当て）を有する場合に、通信装置が、異なる場合において時間領域リソース割り当てを使用することによってダウンリンクデータチャネルを受信する様態については、第４の態様のいずれかの可能な実施で通信装置によって実行されるステップを参照されたい点である。詳細はここで再び記載されない。
【００８６】
第７の態様に従って、本願の実施形態は、通信装置を提供する。通信装置は、第２の態様又は第２の態様のいずれかの可能な実施で記載されている方法を実装してよく、従って、第２の態様又は第２の態様のいずれかの可能な実施における有利な効果も達成し得る。通信装置は、ネットワークデバイスであってよく、あるいは、第２の態様又は第２の態様のいずれかの可能な実施における方法をネットワークデバイスが実装することを支援し得る装置、例えば、通信装置に適用されるチップであってよい。通信装置は、ソフトウェア又はハードウェアを使用することによって、あるいは、対応するソフトウェアをハードウェアによって実行することによって、上記の方法を実装してよい。
【００８７】
例において、通信装置は、ネットワークデバイス又はネットワークデバイスに適用されるチップである。通信装置は、端末によって送信される、第１時間領域オフセットを示すために使用される情報及び／又は低電力消費を示すために使用される情報を受信するよう構成される受信ユニットと、第１情報を端末へ送信するよう構成される送信ユニットとを含み、第１情報は、第１時間領域リソース割り当てを決定するために端末によって使用される。
【００８８】
第７の態様を参照して、第７の態様の第１の可能な実施において、第１情報は、第１時間領域リソース割り当てを含む、あるいは、第１情報は、第１時間領域リソース割り当てを示すために特に使用される。
【００８９】
第７の態様又は第７の態様の第１の可能な実施を参照して、第７の態様の第２の可能な実施において、通信装置が第２時間領域リソース割り当てを有する場合に、第１時間領域リソース割り当ては、ネットワークデバイスによって、第２時間領域リソース割り当て及び第２時間領域オフセットに基づいて決定される。
【００９０】
第７の態様の第２の可能な実施を参照して、第７の態様の第３の可能な実施において、第３時間領域オフセットは、第４時間領域オフセット及び第２時間領域オフセットに基づいて取得され、第４時間領域オフセットは、第２時間領域リソース割り当てによって示される時間領域オフセットである。
【００９１】
第７の態様の第３の可能な実施を参照して、第７の態様の第４の可能な実施において、第３時間領域オフセットは、第４時間領域オフセットに第２時間領域オフセットをプラスしたものであるか、あるいは、第３時間領域オフセットの最小値は、第２時間領域オフセットであるか、あるいは、第３時間領域オフセットは、第４時間領域オフセットに第２時間領域オフセットをプラスしたものから、第２時間領域リソース割り当てによって示される最小時間領域オフセットをマイナスしたものである。
【００９２】
第７の態様の第３の可能な実施を参照して、第７の態様の第５の可能な実施において、第３時間領域オフセットは、第４時間領域オフセットから第２時間領域オフセットをマイナスしたものであるか、あるいは、第３時間領域オフセットの最大値は、第２時間領域オフセットである。
【００９３】
第７の態様又は第７の態様の第２の可能な実施を参照して、第７の態様の第６の可能な実施において、第１時間領域リソース割り当ては、第２時間領域リソース割り当てにおける目標時間領域リソース割り当てを含み、目標時間領域リソース割り当てによって示される第５時間領域オフセットは、第２時間領域オフセット以上である。
【００９４】
第７の態様又は第７の態様の第２の可能な実施を参照して、第７の態様の第７の可能な実施において、第１時間領域リソース割り当ては、第２時間領域リソース割り当てにおける目標時間領域リソース割り当てを含み、目標時間領域リソース割り当てによって示される第５時間領域オフセットは、第２時間領域オフセット以下である。
【００９５】
第７の態様又は第７の態様の第２の可能な実施を参照して、第７の態様の第８の可能な実施において、第１時間領域リソース割り当ては、第２時間領域リソース割り当てにおける目標時間領域リソース割り当てを含み、目標時間領域リソース割り当てによって示される第５時間領域オフセットは、端末によって期待される最小時間領域オフセット以上であり、かつ、端末によって期待される最大時間領域オフセット以下である。
【００９６】
第７の態様乃至第７の態様の第８の可能な実施のうちのいずれか１つを参照して、第７の態様の第９の可能な実施において、第２時間領域オフセットは、第１時間領域オフセットであるか、あるいは、第２時間領域オフセットは、予め定義された時間領域オフセットである。
【００９７】
第７の態様を参照して、第７の態様の第１０の可能な実施において、第１情報は、第１周波数領域リソースへハンドオーバーするよう端末に示すために特に使用され、第１時間領域リソース割り当ては、第１周波数領域リソースに対応する時間領域リソース割り当てである。
【００９８】
第７の態様を参照して、第７の態様の第１１の可能な実施において、第１情報は、第１時間領域リソース割り当てを決定するよう端末に示すために特に使用される。
【００９９】
第７の態様乃至第７の態様の第１１の可能な実施のうちのいずれか１つを参照して、第７の態様の第１２の可能な実施において、第１時間領域リソース割り当てによって示される第３時間領域オフセットは、第１時間領域オフセット以上であるか、あるいは、端末が第２時間領域リソース割り当てを有する場合に、第３時間領域オフセットは、第１時間領域オフセットと第４時間領域オフセットとの和以上である。
【０１００】
第７の態様乃至第７の態様の第１１の可能な実施のうちのいずれか１つを参照して、第７の態様の第１３の可能な実施において、第１時間領域リソース割り当てによって示される第３時間領域オフセットは、第１時間領域オフセット以下であるか、あるいは、端末が第２時間領域リソース割り当てを有する場合に、第３時間領域オフセットは、第１時間領域オフセットと第４時間領域オフセットとの和以下である。
【０１０１】
第７の態様乃至第７の態様の第１２の可能な実施のうちのいずれか１つを参照して、第７の態様の第１４の可能な実施において、送信ユニットは、第１時間領域リソース割り当てに基づいてダウンリンクデータチャネルを端末へ送信するよう更に構成される。
【０１０２】
第７の態様乃至第７の態様の第１４の可能な実施のうちのいずれか１つを参照して、第７の態様の第１５の可能な実施において、端末が第２時間領域リソース割り当てを有する場合に、第１条件が満足されるとき、送信ユニットは、第１ダウンリンク制御情報ＤＣＩを端末へ送信し、第１時間領域リソース割り当てに基づいて、第１ＤＣＩによってスケジューリングされたダウンリンクデータチャネルを端末へ送信するよう更に構成され、第１条件は、第１タイマが実行中でないことを含み、第２条件が満足されるとき、送信ユニットは、第２ＤＣＩを端末へ送信し、第２時間領域リソース割り当てに基づいて、第２ＤＣＩによってスケジューリングされたダウンリンクデータチャネルを端末へ送信するよう更に構成され、第２条件は、第１タイマが実行中であることを含む。
【０１０３】
第１の条件の具体的な内容と、送信ユニットが、第３条件下で第２時間領域リソース割り当てに基づいて端末へ、第２ＤＣＩによってスケジューリングされたダウンリンクデータチャネルを送信するプロセスとについては、第４の態様における説明を参照されたい。詳細はここで再び記載されない。
【０１０４】
第８の態様に従って、本願の実施形態は、通信装置を更に提供する。通信装置は、ネットワークデバイス又はネットワークデバイスに適用されるチップであってよい。通信装置は、プロセッサ及びインターフェース回路を含む。インターフェース回路は、第２の態様又は第２の態様のいずれかの可能な実施で記載されている通信装置側でのメッセージ／データ受信及び送信ステップを通信装置が実行することを支援するよう構成される。プロセッサは、第２の態様又は第２の態様のいずれかの可能な実施で記載されている通信装置側でのメッセージ／データ処理ステップを通信装置が実行することを支援するよう構成される。具体的な対応するステップについては、第２の態様又は第２の態様のいずれかの可能な実施における説明を参照されたい。詳細はここで再び記載されない。
【０１０５】
インターフェース回路は、端末によって送信される、第１時間領域オフセットを示すために使用される情報及び／又は低電力消費を示すために使用される情報を受信するよう構成される。インターフェース回路は、第１情報を端末へ送信するよう構成され、第１情報は、第１時間領域リソース割り当てを決定するために端末によって使用される。
【０１０６】
第８の態様を参照して、第８の態様の第１の可能な実施において、第１情報は、第１時間領域リソース割り当てを含むか、あるいは、第１情報は、第１時間領域リソース割り当てを示すために特に使用される。
【０１０７】
第８の態様又は第８の態様の第１の可能な実施を参照して、第８の態様の第２の可能な実施において、通信装置が第２時間領域リソース割り当てを有する場合に、第１時間領域リソース割り当ては、ネットワークデバイスによって、第２時間領域リソース割り当て及び第２時間領域オフセットに基づいて決定される。
【０１０８】
第８の態様又は第８の態様の第２の可能な実施を参照して、第８の態様の第３の可能な実施において、第３時間領域オフセットは、第４時間領域オフセット及び第２時間領域オフセットに基づいて取得され、第４時間領域オフセットは、第２時間領域リソース割り当てによって示される時間領域オフセットである。
【０１０９】
第８の態様の第３の可能な実施を参照して、第８の態様の第４の可能な実施において、第３時間領域オフセットは、第４時間領域オフセットに第２時間領域オフセットをプラスしたものであるか、あるいは、第３時間領域オフセットの最小値は、第２時間領域オフセットであるか、あるいは、第３時間領域オフセットは、第４時間領域オフセットに第２時間領域オフセットをプラスしたものから、第２時間領域リソース割り当てによって示される最小時間領域オフセットをマイナスしたものである。
【０１１０】
第８の態様の第４の可能な実施を参照して、第８の態様の第５の可能な実施において、第３時間領域オフセットは、第４時間領域オフセットから第２時間領域オフセットをマイナスしたものであるか、あるいは、第３時間領域オフセットの最大値は、第２時間領域オフセットである。
【０１１１】
第８の態様又は第８の態様の第２の可能な実施を参照して、第８の態様の第６の可能な実施において、第１時間領域リソース割り当ては、第２時間領域リソース割り当てにおける目標時間領域リソース割り当てを含み、目標時間領域リソース割り当てによって示される第５時間領域オフセットは、第２時間領域オフセット以上である。
【０１１２】
第８の態様又は第８の態様の第２の可能な実施を参照して、第８の態様の第７の可能な実施において、第１時間領域リソース割り当ては、第２時間領域リソース割り当てにおける目標時間領域リソース割り当てを含み、目標時間領域リソース割り当てによって示される第５時間領域オフセットは、第２時間領域オフセット以下である。
【０１１３】
第８の態様又は第８の態様の第２の可能な実施を参照して、第８の態様の第８の可能な実施において、第１時間領域リソース割り当ては、第２時間領域リソース割り当てにおける目標時間領域リソース割り当てを含み、目標時間領域リソース割り当てによって示される第５時間領域オフセットは、端末によって期待される最小時間領域オフセット以上であり、かつ、端末によって期待される最大時間領域オフセット以下である。
【０１１４】
第８の態様乃至第８の態様の第８の可能な実施のうちのいずれか１つを参照して、第８の態様の第９の可能な実施において、第２時間領域オフセットは、第１時間領域オフセットであるか、あるいは、第２時間領域オフセットは、予め定義された時間領域オフセットである。
【０１１５】
第８の態様又は第８の態様の第１の可能な実施を参照して、第８の態様の第１０の可能な実施において、第１情報は、第１周波数領域リソースへハンドオーバーするよう端末に示すために特に使用され、第１時間領域リソース割り当ては、第１周波数領域リソースに対応する時間領域リソース割り当てである。
【０１１６】
第８の態様又は第８の態様の第１の可能な実施を参照して、第８の態様の第１１の可能な実施において、第１情報は、第１時間領域リソース割り当てを決定するよう端末に示すために特に使用される。
【０１１７】
第８の態様乃至第８の態様の第１１の可能な実施のうちのいずれか１つを参照して、第８の態様の第１２の可能な実施において、第１時間領域リソース割り当てによって示される第３時間領域オフセットは、第１時間領域オフセット以上であるか、あるいは、端末が第２時間領域リソース割り当てを有する場合に、第３時間領域オフセットは、第１時間領域オフセットと第４時間領域オフセットとの和以上である。
【０１１８】
第８の態様乃至第８の態様の第１１の可能な実施のうちのいずれか１つを参照して、第８の態様の第１３の可能な実施において、第１時間領域リソース割り当てによって示される第３時間領域オフセットは、第１時間領域オフセット以下であるか、あるいは、端末が第２時間領域リソース割り当てを有する場合に、第３時間領域オフセットは、第１時間領域オフセットと第４時間領域オフセットとの和以下である。
【０１１９】
第８の態様乃至第８の態様の第１３の可能な実施のうちのいずれか１つを参照して、第８の態様の第１４の可能な実施において、送信ユニットは、第１時間領域リソース割り当てに基づいてダウンリンクデータチャネルを端末へ送信するよう構成される。
【０１２０】
留意されるべきは、通信装置／ネットワークデバイスが２つ以上の時間領域リソース割り当て（例えば、第１時間領域リソース割り当て及び第２時間領域ソース割り当て）を有する場合に、ネットワークデバイスが、異なる場合において時間領域リソース割り当てを使用することによってダウンリンクデータチャネルを送信する様態については、第４の態様における説明を参照されたい点である。詳細はここで再び記載されない。
【０１２１】
第９の態様に従って、本願の実施形態は、通信装置を提供する。通信装置は、第３の態様又は第３の態様のいずれかの可能な実施で記載されている方法を実装してよく、従って、第３の態様又は第３の態様のいずれかの可能な実施における有利な効果も達成し得る。通信装置は、端末であってよく、あるいは、第３の態様又は第３の態様のいずれかの可能な実施における方法を端末が実装することを支援し得る装置、例えば、端末に適用されるチップであってよい。通信装置は、ソフトウェア又はハードウェアを使用することによって、あるいは、対応するソフトウェアをハードウェアによって実行することによって、上記の方法を実装してよい。
【０１２２】
通信装置は、第１リソース割り当て及び第２時間領域リソース割り当てを取得するよう構成される処理ユニットであり、第１時間領域リソース割り当ては、第２時間領域リソース割り当てとは異なる、処理ユニットと、第１条件が満足される場合に、受信ユニットがネットワークデバイスによって送信された第１ダウンリンク制御情報ＤＣＩを受信するならば、第１時間領域リソース割り当てに基づいて、第１ＤＣＩによってスケジューリングされたダウンリンクデータチャネルを受信し、第１条件は、第１タイマが実行中でないことを含み、第２条件が満足される場合に、受信ユニットがネットワークデバイスによって送信された第２ＤＣＩを受信するならば、第２時間領域リソース割り当てに基づいて、第２ＤＣＩによってスケジューリングされたダウンリンクデータチャネルを受信し、第２条件は、第１タイマが実行中であることを含む、よう構成されるユニットとを含む。
【０１２３】
第９の態様を参照して、第９の態様の第１の可能な実施において、第１タイマは、通信装置が、ダウンリンク制御チャネルを受信した後にダウンリンク制御チャネルをモニタする時間長さを決定するために使用される。
【０１２４】
第９の態様又は第９の態様の第１の可能な実施を参照して、第９の態様の第２の可能な実施において、処理ユニットは、次の条件、受信ユニットが、ダウンリンク制御チャネルを受信することと、受信ユニットが、データ伝送を示すダウンリンク制御チャネルを受信することと、受信ユニットが、初期伝送を示すダウンリンク制御チャネルを受信するか、あるいは、第２タイマが開始又は再開始されることとのうちの１つが満足される場合に、第１タイマを開始又は再開始し、第２タイマは、処理ユニットが、ダウンリンク制御チャネルを受信した後に、初期伝送を示すダウンリンク制御チャネルをモニタする時間長さを決定するために使用される。
【０１２５】
第９の態様乃至第９の態様の第２の可能な実施のうちのいずれか１つを参照して、第９の態様の第３の可能な実施において、第１条件は、第３タイマが実行中であることを更に含み、第３タイマは、通信装置が、間欠受信ＤＲＸサイクルにおいてダウンリンク制御チャネルをモニタする時間長さを決定するために使用される。
【０１２６】
第９の態様乃至第９の態様の第３の可能な実施のうちのいずれか１つを参照して、第９の態様の第４の可能な実施において、第１条件は、次の、ダウンリンク再送タイマが実行中でない場合と、アップリンク再送タイマが実行中でない場合と、競合解除タイマが実行中でない場合と、通信装置によって送信されたスケジューリング要求がペンディング中でない場合と、通信装置が、ランダムアクセス応答ＲＡＲの受信に成功した後に、初期伝送を示すダウンリンク制御チャネルを受信する場合とのうちの１つ以上を更に含み、初期伝送を示すダウンリンク制御チャネルは、第１識別子を使用することによってスクランブルされ、ＲＡＲは、目標ランダムアクセスプリアンブルに対する応答であり、目標ランダムアクセスプリアンブルは、競合に基づくランダムアクセスプリアンブルではなく、第１識別子は、ランダムアクセスプロシージャにおいて通信装置によってアクセスされるセル内で通信装置を識別するために使用される。
【０１２７】
第９の態様乃至第９の態様の第４の可能な実施のうちのいずれか１つを参照して、第９の態様の第５の可能な実施において、本願のこの実施形態で提供される通信装置は、処理ユニットが、第３条件が満足されると決定する場合に、受信ユニットが、第２時間領域リソース割り当てに基づいて、第２ＤＣＩによってスケジューリングされたダウンリンクデータチャネルを受信することを更に含み、第３条件は、次の、ダウンリンク再送タイマが実行中であることと、アップリンク再送タイマが実行中であることと、競合解除タイマが実行中であることと、通信装置によって送信されたスケジューリング要求がペンディング中であることと、通信装置が、ランダムアクセス応答ＲＡＲの受信に成功した後に、初期伝送を示すダウンリンク制御チャネルを受信しないこととのうちの１つ以上を含み、初期伝送を示すダウンリンク制御チャネルは、第１識別子を使用することによってスクランブルされ、ＲＡＲは、目標ランダムアクセスプリアンブルに対する応答であり、目標ランダムアクセスプリアンブルは、競合に基づくランダムアクセスプリアンブルではなく、第１識別子は、ランダムアクセスプロシージャにおいて通信装置によってアクセスされるセル内で通信装置を識別するために使用される。
【０１２８】
第９の態様乃至第９の態様の第４の可能な実施のうちのいずれか１つを参照して、第９の態様の第５の可能な実施において、取得ユニットが第１時間領域リソース割り当て及び第２時間領域ソース割り当てを取得するプロセスについては、第１の態様における説明を参照されたい。詳細はここで再び記載されない。
【０１２９】
第１０の態様に従って、本願の実施形態は、通信装置を更に提供する。通信装置は、端末又は端末に適用されるチップであってよい。通信装置は、プロセッサ及びインターフェース回路を含む。インターフェース回路は、第３の態様又は第３の態様のいずれかの可能な実施で記載されている通信装置側でのメッセージ／データ受信及び送信ステップを通信装置が実行することを支援するよう構成される。プロセッサは、第３の態様又は第３の態様のいずれかの可能な実施で記載されている通信装置側でのメッセージ／データ処理ステップを通信装置が実行することを支援するよう構成される。具体的な対応するステップについては、第３の態様又は第３の態様のいずれかの可能な実施における説明を参照されたい。詳細はここで再び記載されない。
【０１３０】
プロセッサは、第１時間領域リソース割り当て及び第２時間領域リソース割り当てを取得するよう構成され、第１時間領域リソース割り当ては、第２時間領域リソース割り当てとは異なる。インターフェース回路は、第１条件が満足される場合に、インターフェース回路がネットワークデバイスによって送信された第１ダウンリンク制御情報ＤＣＩを受信するならば、第１時間領域リソース割り当てに基づいて、第１ＤＣＩによってスケジューリングされたダウンリンクデータチャネルを受信し、第１条件は、第１タイマが実行中でないことを含み、第２条件が満足される場合に、インターフェース回路がネットワークデバイスによって送信された第２ＤＣＩを受信するならば、第２時間領域リソース割り当てに基づいて、第２ＤＣＩによってスケジューリングされたダウンリンクデータチャネルを受信し、第２条件は、第１タイマが実行中であることを含む、よう構成される。
【０１３１】
第１０の態様を参照して、第１０の態様の第１の可能な実施において、第１タイマは、通信装置が、ダウンリンク制御チャネルを受信した後にダウンリンク制御チャネルをモニタする時間長さを決定するために使用される。
【０１３２】
第１０の態様又は第１０の態様の第１の可能な実施を参照して、だい１０のたいようｎお第２の可能な実施において、プロセッサは、次の条件、インターフェース回路が、ダウンリンク制御チャネルを受信することと、インターフェース回路が、データ伝送を示すダウンリンク制御チャネルを受信することと、インターフェース回路が、初期伝送を示すダウンリンク制御チャネルを受信するか、あるいは、第２タイマが開始又は再開始されることとのうちの１つが満足される場合に、第１タイマを開始又は再開始し、第２タイマは、インターフェース回路がダウンリンク制御チャネルを受信した後に、初期伝送を示すダウンリンク制御チャネルをモニタする時間長さを決定するために使用される。
【０１３３】
第１０の態様乃至第１０の態様の第２の可能な実施のうちのいずれか１つを参照して、第１０の態様の第３の可能な実施において、第１条件は、第３タイマが実行中であることを更に含み、第３タイマは、プロセッサによって、間欠受信ＤＲＸサイクルにおいてダウンリンク制御チャネルをモニタする時間長さを決定するために使用される。
【０１３４】
第１０の態様乃至第１０の態様の第３の可能な実施のうちのいずれか１つを参照して、第１０の態様の第４の可能な実施において、第１条件は、次の、ダウンリンク再送タイマが実行中でない場合と、アップリンク再送タイマが実行中でない場合と、競合解除タイマが実行中でない場合と、通信装置によって送信されたスケジューリング要求がペンディング中でない場合と、通信装置が、ランダムアクセス応答ＲＡＲの受信に成功した後に、初期伝送を示すダウンリンク制御チャネルを受信する場合とのうちの１つ以上を更に含み、初期伝送を示すダウンリンク制御チャネルは、第１識別子を使用することによってスクランブルされ、ＲＡＲは、目標ランダムアクセスプリアンブルに対する応答であり、目標ランダムアクセスプリアンブルは、競合に基づくランダムアクセスプリアンブルではなく、第１識別子は、ランダムアクセスプロシージャにおいて通信装置によってアクセスされるセル内で通信装置を識別するために使用される。
【０１３５】
第１０の態様乃至第１０の態様の第４の可能な実施のうちのいずれか１つを参照して、第１０の態様の第５の可能な実施において、プロセッサが、第３条件が満足されると決定する場合に、インターフェース回路は、第２時間領域リソース割り当てに基づいて、第２ＤＣＩによってスケジューリングされたダウンリンクデータチャネルを受信し、第３条件は、次の、ダウンリンク再送タイマが実行中であることと、アップリンク再送タイマが実行中であることと、競合解除タイマが実行中であることと、通信装置によって送信されたスケジューリング要求がペンディング中であることと、通信装置が、ランダムアクセス応答ＲＡＲの受信に成功した後に、初期伝送を示すダウンリンク制御チャネルを受信しないこととのうちの１つ以上を含み、初期伝送を示すダウンリンク制御チャネルは、第１識別子を使用することによってスクランブルされ、ＲＡＲは、目標ランダムアクセスプリアンブルに対する応答であり、目標ランダムアクセスプリアンブルは、競合に基づくランダムアクセスプリアンブルではなく、第１識別子は、ランダムアクセスプロシージャにおいて通信装置によってアクセスされるセル内で通信装置を識別するために使用される。
【０１３６】
第１１の態様に従って、本願の実施形態は、通信装置を提供する。通信装置は、第４の態様又は第４の態様のいずれかの可能な実施で記載されている方法を実装してよく、従って、第４の態様又は第４の態様のいずれかの可能な実施における有利な効果も達成し得る。通信装置は、ネットワークデバイスであってよく、あるいは、第４の態様又は第４の態様のいずれかの可能な実施における方法をネットワークデバイスが実装することを支援し得る装置、例えば、通信装置に適用されるチップであってよい。通信装置は、ソフトウェア又はハードウェアを使用することによって、あるいは、対応するソフトウェアをハードウェアによって実行することによって、上記の方法を実装してよい。
【０１３７】
通信装置は、第１条件が満足される場合に、第１ダウンリンク制御情報ＤＣＩを端末へ送信し、第１時間領域リソース割り当てに基づいて、第１ＤＣＩによってスケジューリングされたダウンリンクデータチャネルを端末へ送信するよう構成され、第１条件は、第１タイマが実行中でないことを含み、第２条件が満足される場合に、第２ＤＣＩを端末へ送信し、第２時間領域リソース割り当てに基づいて、第２ＤＣＩによってスケジューリングされたダウンリンクデータチャネルを端末へ送信するよう構成され、第２条件は、第１タイマが実行中であることを含む、送信ユニットを含む。
【０１３８】
第１１の態様を参照して、第１１の態様の第１の可能な実施において、第１タイマは、端末が、ダウンリンク制御チャネルを受信した後にダウンリンク制御チャネルをモニタする時間長さを決定するために使用される。
【０１３９】
第１１の態様又は第１１の態様の第１の可能な実施を参照して、第１１の態様の第２の可能な実施において、第１条件は、第３タイマが実行中であることを更に含み、第３タイマは、端末が、間欠受信ＤＲＸサイクルにおいてダウンリンク制御チャネルをモニタする時間長さを決定するために使用される。
【０１４０】
第１１の態様乃至第１１の態様の第２の可能な実施のうちのいずれか１つを参照して、第１１の態様の第３の可能な実施において、第１の条件は、次の、ダウンリンク再送タイマが実行中でない場合と、アップリンク再送タイマが実行中でない場合と、競合解除タイマが実行中でない場合と、端末によって送信されたスケジューリング要求がペンディング中でない場合と、端末が、ランダムアクセス応答ＲＡＲの受信に成功した後に、初期伝送を示すダウンリンク制御チャネルを受信する場合とのうちの１つ以上を更に含み、初期伝送を示すダウンリンク制御チャネルは、第１識別子を使用することによってスクランブルされ、ＲＡＲは、目標ランダムアクセスプリアンブルに対する応答であり、目標ランダムアクセスプリアンブルは、競合に基づくランダムアクセスプリアンブルではなく、第１識別子は、ランダムアクセスプロシージャにおいて端末によってアクセスされるセル内で端末を識別するために使用される。
【０１４１】
第１１の態様乃至第１１の態様の第２の可能な実施のうちのいずれか１つを参照して、第１１の態様の第４の可能な実施において、第３条件が満足される場合に、送信ユニットは、第２時間領域リソース割り当てに基づいて、第２ＤＣＩによってスケジューリングされたダウンリンクデータチャネルを端末へ送信するよう構成され、第３条件は、次の、ダウンリンク再送タイマが実行中であることと、アップリンク再送タイマが実行中であることと、競合解除タイマが実行中であることと、端末によって送信されたスケジューリング要求がペンディング中であることと、端末が、ランダムアクセス応答ＲＡＲの受信に成功した後に、初期伝送を示すダウンリンク制御チャネルを受信することとのうちの１つ以上を含み、初期伝送を示すダウンリンク制御チャネルは、第１識別子を使用することによってスクランブルされ、ＲＡＲは、目標ランダムアクセスプリアンブルに対する応答であり、目標ランダムアクセスプリアンブルは、競合に基づくランダムアクセスプリアンブルではなく、第１識別子は、ランダムアクセスプロシージャにおいて端末によってアクセスされるセル内で端末を識別するために使用される。
【０１４２】
第１２の態様に従って、本願の実施形態は、通信装置を更に提供する。通信装置は、ネットワークデバイス又はネットワークデバイスに適用されるチップであってよい。通信装置は、プロセッサ及びインターフェース回路を含む。インターフェース回路は、第４の態様又は第４の態様のいずれかの可能な実施で記載されている通信装置側でのメッセージ／データ受信及び送信ステップを通信装置が実行することを支援するよう構成される。プロセッサは、第４の態様又は第４の態様のいずれかの可能な実施で説明されている通信装置側でのメッセージ／データ処理ステップを通信装置が実行することを支援するよう構成される。具体的な対応するステップについては、第４の態様又は第４の態様のいずれかの可能な実施における説明を参照されたい。詳細はここで再び記載されない。
【０１４３】
インターフェース回路は、プロセッサが、第１条件が満足されると決定する場合に、第１ダウンリンク制御情報ＤＣＩを端末へ送信し、第１時間領域リソース割り当てに基づいて、第１ＤＣＩによってスケジューリングされたダウンリンクデータチャネルを端末へ送信するよう構成され、第１条件は、第１タイマが実行中でないことを含み、インターフェース回路は、プロセッサが、第２条件が満足されると決定する場合に、第２ＤＣＩを端末へ送信し、第２時間領域リソース割り当てに基づいて、第２ＤＣＩによってスケジューリングされたダウンリンクデータチャネルを端末へ送信するよう構成され、第２条件は、第１タイマが実行中であることを含む。
【０１４４】
第１２の態様を参照して、第１２の態様の第１の可能な実施において、第１タイマは、端末が、ダウンリンク制御チャネルを受信した後にダウンリンク制御チャネルをモニタする時間長さを決定するために使用される。
【０１４５】
第１２の態様又は第１２の態様の第１の可能な実施を参照して、第１２の態様の第２の可能な実施において、第１条件は、第３タイマが実行中であることを更に含み、第３タイマは、端末が、間欠受信ＤＲＸサイクルにおいてダウンリンク制御チャネルをモニタする時間長さを決定するために使用される。
【０１４６】
第１２の態様乃至第１２の態様の第２の可能な実施のうちのいずれか１つを参照して、第１２の態様の第３の可能な実施において、第１条件は、次の、ダウンリンク再送タイマが実行中でない場合と、アップリンク再送タイマが実行中でない場合と、競合解除タイマが実行中でない場合と、端末によって送信されたスケジューリング要求がペンディング中でない場合と、端末が、ランダムアクセス応答ＲＡＲの受信に成功した後に、初期伝送を示すダウンリンク制御チャネルを受信する場合とのうちの１つ以上を更に含み、初期伝送を示すダウンリンク制御チャネルは、第１識別子を使用することによってスクランブルされ、ＲＡＲは、目標ランダムアクセスプリアンブルに対する応答であり、目標ランダムアクセスプリアンブルは、競合に基づくランダムアクセスプリアンブルではなく、第１識別子は、ランダムアクセスプロシージャにおいて端末によってアクセスされるセル内で端末を識別するために使用される。
【０１４７】
第１２の態様乃至第１２の態様の第３の可能な実施のうちのいずれか１つを参照して、第１２の態様の第４の可能な実施において、プロセッサが、第３条件が満足されると決定する場合に、インターフェース回路は、第２時間領域リソース割り当てに基づいて、第２ＤＣＩによってスケジューリングされたダウンリンクデータチャネルを端末へ送信するよう構成され、第３条件は、次の、ダウンリンク再送タイマが実行中であることと、アップリンク再送タイマが実行中であることと、競合解除タイマが実行中であることと、端末によって送信されたスケジューリング要求がペンディング中であることと、端末が、ランダムアクセス応答ＲＡＲの受信に成功した後に、初期伝送を示すダウンリンク制御チャネルを受信しないこととのうちの１つ以上を含み、初期伝送を示すダウンリンク制御チャネルは、第１識別子を使用することによってスクランブルされ、ＲＡＲは、目標ランダムアクセスプリアンブルに対する応答であり、目標ランダムアクセスプリアンブルは、競合に基づくランダムアクセスプリアンブルではなく、第１識別子は、ランダムアクセスプロシージャにおいて端末によってアクセスされるセル内で端末を識別するために使用される。
【０１４８】
留意されるべきは、本願の実施形態の第６の態様、第８の態様、第１０の態様、及び第１２の態様で提供される通信装置に含まれるプロセッサ及びインターフェース回路は、互いに結合される点である。インターフェース回路は、トランシーバとも呼ばれ得る。
【０１４９】
任意に、第６の態様、第８の態様、第１０の態様、及び第１２の態様で提供される通信装置は、コード及びデータを記憶するよう構成されたメモリを更に含んでよい。プロセッサ、インターフェース回路、及びメモリは互いに結合される。
【０１５０】
第１３の態様に従って、本願は、コンピュータ可読記憶媒体を提供する。コンピュータ可読記憶媒体は、命令を記憶している。命令がコンピュータで実行される場合に、コンピュータは、第１の態様又は第１の態様の可能な実施で記載されている通信方法を実行することを可能にされる。
【０１５１】
第１４の態様に従って、本願は、コンピュータ可読記憶媒体を提供する。コンピュータ可読記憶媒体は、命令を記憶している。命令がコンピュータで実行される場合に、コンピュータは、第２の態様又は第２の態様の可能な実施で記載されている通信方法を実行することを可能にされる。
【０１５２】
第１５の態様に従って、本願は、コンピュータ可読記憶媒体を提供する。コンピュータ可読記憶媒体は、命令を記憶している。命令がコンピュータで実行される場合に、コンピュータは、第３の態様又は第３の態様の可能な実施で記載されている通信方法を実行することを可能にされる。
【０１５３】
第１６の態様に従って、本願は、コンピュータ可読記憶媒体を提供する。コンピュータ可読記憶媒体は、命令を記憶している。命令がコンピュータで実行される場合に、コンピュータは、第４の態様又は第４の態様の可能な実施で記載されている通信方法を実行することを可能にされる。
【０１５４】
第１７の態様に従って、本願は、命令を含むコンピュータプログラム製品を提供する。命令がコンピュータで実行される場合に、コンピュータは、第１の態様又は第１の態様の可能な実施で記載されている通信方法を実行することを可能にされる。
【０１５５】
第１８の態様に従って、本願は、命令を含むコンピュータプログラム製品を提供する。命令がコンピュータで実行される場合に、コンピュータは、第２の態様又は第２の態様の可能な実施で記載されている通信方法を実行することを可能にされる。
【０１５６】
第１９の態様に従って、本願は、命令を含むコンピュータプログラム製品を提供する。命令がコンピュータで実行される場合に、コンピュータは、第３の態様又は第３の態様の可能な実施で記載されている通信方法を実行することを可能にされる。
【０１５７】
第２０の態様に従って、本願は、命令を含むコンピュータプログラム製品を提供する。命令がコンピュータで実行される場合に、コンピュータは、第４の態様又は第４の態様の可能な実施で記載されている通信方法を実行することを可能にされる。
【０１５８】
第２１の態様に従って、本願の実施形態はチップを提供する。チップは、プロセッサ及びインターフェース回路を含む。インターフェース回路はプロセッサへ結合される。プロセッサは、コンピュータプログラム又は命令を実行して、第１の態様又は第１の態様の可能な実施で記載されている通信方法を実装する。インターフェース回路は、チップ以外のモジュールと通信するよう構成される。
【０１５９】
第２２の態様に従って、本願の実施形態はチップを提供する。チップは、プロセッサ及びインターフェース回路を含む。インターフェース回路はプロセッサへ結合される。プロセッサは、コンピュータプログラム又は命令を実行して、第２の態様又は第２の態様の可能な実施で記載されている通信方法を実装する。インターフェース回路は、チップ以外のモジュールと通信するよう構成される。
【０１６０】
第２３の態様に従って、本願の実施形態はチップを提供する。チップは、プロセッサ及びインターフェース回路を含む。インターフェース回路はプロセッサへ結合される。プロセッサは、コンピュータプログラム又は命令を実行して、第３の態様又は第３の態様の可能な実施で記載されている通信方法を実装する。インターフェース回路は、チップ以外のモジュールと通信するよう構成される。
【０１６１】
第２４の態様に従って、本願の実施形態はチップを提供する。チップは、プロセッサ及びインターフェース回路を含む。インターフェース回路はプロセッサへ結合される。プロセッサは、コンピュータプログラム又は命令を実行して、第４の態様又は第４の態様の可能な実施で記載されている通信方法を実装する。インターフェース回路は、チップ以外のモジュールと通信するよう構成される。
【０１６２】
具体的に、本願のこの実施形態で提供されるチップは、コンピュータプログラム又は命令を記憶するよう構成されたメモリを更に含む。
【０１６３】
第２５の態様に従って、本願の実施形態は通信装置を提供する。通信装置は、第１の態様、第２の態様、第３の態様、又は第４の態様における方法を実装するよう構成された１つ以上のモジュールを含み、１つ以上のモジュールは、第１の態様、第２の態様、第３の態様、又は第４の態様における方法のステップに対応してよい。
【０１６４】
第２６の態様に従って、本願の実施形態は通信システムを提供する。通信システムは、第５の態様の可能な実施で記載されている通信装置と、第７の態様の可能な実施で記載されている通信装置とを含む。
【０１６５】
第２７の態様に従って、本願の実施形態は通信システムを提供する。通信システムは、第９の態様の可能な実施で記載されている通信装置と、第１１の態様の可能な実施で記載されている通信装置とを含む。
【０１６６】
第２８の態様に従って、本願の実施形態は通信システムを提供する。通信システムは、第６の態様の可能な実施で記載されている通信装置と、第８の態様の可能な実施で記載されている通信装置とを含む。
【０１６７】
第２９の態様に従って、本願の実施形態は通信システムを提供する。通信システムは、第１０の態様の可能な実施で記載されている通信装置と、第１２の態様の可能な実施で記載されている通信装置とを含む。
【０１６８】
上述されたいずれの装置、コンピュータ記憶媒体、コンピュータプログラム製品、チップ、又は通信システムも、上述された対応する方法を実行するよう構成される。従って、上述された装置、コンピュータ記憶媒体、コンピュータプログラム製品、チップ、又は通信システムによって達成され得る有利な効果については、上述された対応する方法における対応する解決法の有利な効果を参照されたい。詳細はここで再び記載されない。
【図面の簡単な説明】
【０１６９】
【図１】（ａ）から（ｃ）は、ダウンリンクデータチャネルの時間領域リソースの開始位置及びＤＣＩの位置の概略図である。
【図２】本願の実施形態に従う通信システムの概略図である。
【図３】本願の実施形態に従う基地局の略構造図１である。
【図４】本願の実施形態に従う基地局の略構造図２である。
【図５】本願の実施形態に従う基地局の略構造図３である。
【図６】本願の実施形態に従う端末の略構造図である。
【図７】本願の実施形態に従うＤＲＸの概略図である。
【図８】本願の実施形態に従う通信プロセスの概略図１である。
【図９】本願の実施形態に従う通信プロセスの概略図２である。
【図１０】本願の実施形態に従う通信プロセスの概略図３である。
【図１１】本願の実施形態に従ってダウンリンクデータチャネルを受信する通信プロセスの概略図である。
【図１２】本願の実施形態に従うタイマの実行状態の概略図である。
【図１３】本願の実施形態に従う通信装置の略構造図１である。
【図１４】本願の実施形態に従う通信装置の略構造図２である。
【図１５】本願の実施形態に従う通信装置の略構造図３である。
【図１６】本願の実施形態に従う通信装置の略構造図４である。
【図１７】本願の実施形態に従うチップの略構造図である。
【発明を実施するための形態】
【０１７０】
本願の実施形態が説明される前に、本願の実施形態で使用される用語が最初に説明される。
【０１７１】
（１）時間領域オフセット：時間領域オフセットは、ダウンリンクデータチャネルをスケジューリングするＤＣＩの時間領域位置に対するダウンリンクデータチャネルの時間領域位置のオフセットを含んでよい。代替的に、時間領域オフセットは、ダウンリンクデータチャネルをスケジューリングするＤＣＩの時間領域リソースの開始位置に対するダウンリンクデータチャネルの時間領域リソースの開始位置のオフセットを含んでよい。代替的に、時間領域オフセットは、ダウンリンクデータチャネルをスケジューリングするＤＣＩが位置するスロットに対する、ダウンリンクデータチャネルが位置するスロットのオフセットを含んでよい。代替的に、時間領域オフセットは、ダウンリンクデータチャネルをスケジューリングするＤＣＩが位置するスロットの開始に対する、ダウンリンクデータチャネルが位置するスロット内のダウンリンクデータチャネルの開始シンボルのオフセットを含んでよい。代替的に、時間領域オフセットは、ダウンリンクデータチャネルが位置するスロットの開始に対する、ダウンリンクデータチャネルが位置するスロット内のダウンリンクデータチャネルの開始シンボルのオフセットを含んでよい。スロットの開始は、スロットの最初のシンボル（例えば、シンボル０）であってよい。
【０１７２】
例えば、本願の実施形態におけるダウンリンクデータチャネルは、物理ダウンリンク共有チャネル（Physical  Downlink  Shared  Channel，ＰＤＳＣＨ）であってよい。
【０１７３】
（２）時間領域リソース割り当て
本願の実施形態における時間領域リソース割り当ては、リストの形で存在してよく、あるいは、テーブルの形で存在してもよい。これは、本願の実施形態で限定されない。リストの形で存在する時間領域リソース割り当ては、時間領域リソース割り当てリストと呼ばれてよく、テーブルの形で存在する時間領域リソース割り当ては、時間領域リソース割り当てテーブルと呼ばれてよい。時間領域リソース割り当てリスト及び時間領域リソース割り当てテーブルは、夫々、インデックスと、インデックスに対応する時間領域リソース割り当てとを含む。
【０１７４】
例えば、ネットワークデバイスは、無線リソース制御（Radio  Resource  Control，ＲＲＣ）シグナリング（例えば、ＰＤＳＣＨ共通設定（ＰＤＳＣＨ−ＣｏｎｆｉｇＣｏｍｍｏｎ）又はＰＤＳＣＨ設定（ＰＤＳＣＨ−Ｃｏｎｆｉｇ））を使用することによって、端末に対して時間領域リソース割り当てリスト（例えば、ＰＤＳＣＨ割り当てリスト（ＰＤＳＣＨ−Ａｌｌｏｃａｔｉｏｎ  Ｌｉｓｔ）又はＰＤＳＣＨ時間領域リソース割り当てリスト（ＰＤＳＣＨ−ＴｉｍｅＤｏｍａｉｎＲｅｓｏｕｒｃｅＡｌｌｏｃａｔｉｏｎＬｉｓｔ））を設定してよい。例えば、端末は、予め定義された時間領域リソース割り当てテーブル／リストから時間領域リソース割り当てを更に取得してよい。例えば、表１は、予め定義された時間領域リソース割り当てテーブルである。
【０１７５】
現在、予め定義されたＰＤＳＣＨ割り当てリスト又は予め定義されたＰＤＳＣＨ時間領域リソース割り当てリストは、１つ以上のＰＤＳＣＨ時間領域リソース割り当てを含んでよく、各ＰＤＳＣＨ時間領域リソース割り当ては、１つの時間領域リソース割り当てを示す。
【表１】
2021536199.tif 000003
【０１７６】
表１中のＤＲＭＳは、復調基準信号（Demodulation  Reference  Signal）を表す。
【０１７７】
表１中、各行インデックスは、１つの時間領域リソース割り当てに対応する。時間領域リソース割り当ては、Ｋ０、開始シンボル（start  Symbol）、及び長さ（Length）を含んでよい。Ｋ０は、スロットオフセットを表し、長さは、シンボルの数であってよい。具体的に言えば、各時間領域リソース割り当ては、スロットオフセット、開始シンボル、及び長さ（シンボルの数）を含む。端末は、スロットオフセット及び開始シンボルに基づいてダウンリンクデータチャネルの時間領域リソースの開始位置を決定してよい。
【０１７８】
具体的に、端末は、ダウンリンクデータチャネルをスケジューリングするＤＣＩが位置するスロットと、スロットオフセットとに基づいて、ダウンリンクデータチャネルが位置するスロットを決定し、ダウンリンクデータチャネルが位置するスロットの内の開始の開始シンボルがダウンリンクデータチャネルの時間領域リソースの開始位置であることを決定する。
【０１７９】
例えば、ダウンリンクデータチャネルをスケジューリングするＤＣＩが位置するスロットがスロット０であり、スロットオフセットＫ０が０である場合に、ダウンリンクデータチャネルが位置するスロットも、スロット０である。開始シンボルがシンボル２（すなわち、３番目のシンボル）である場合に、ダウンリンクデータチャネルの時間領域リソースの開始位置は、スロット０におけるシンボル２である。
【０１８０】
端末は、ＤＣＩをスクランブリングするために使用されるＲＲＤシグナリング設定ステータス及び無線ネットワーク一時識別子（ＲＮＴＩ）に基づいて、使用されるべき時間領域リソース割り当てテーブル／リストを決定してよい。例えば、Ｃ−ＲＮＴＩを使用することによってスクランブリングされるＤＣＩについては、基地局がＰＤＳＣＨ−ＣｏｎｆｉｇにおいてＰＤＳＣＨ割り当てリストを設定する場合には、ＰＤＳＣＨ−Ｃｏｎｆｉｇ内のＰＤＳＣＨ割り当てリストによって示される時間領域リソース割り当てが使用されるべきである。あるいは、基地局がＰＤＳＣＨ−ＣｏｎｆｉｇＣｏｍｍｏｎにおいてＰＤＳＣＨ割り当てリストを設定する場合には、ＰＤＳＣＨ−ＣｏｎｆｉｇＣｏｍｍｏｎ内のＰＤＳＣＨ割り当てリストによって示される時間領域リソース割り当てが使用されるべきである。そうでない場合には、標準のプロトコルで定義された時間領域リソース割り当てテーブルが使用されるべきである。
【０１８１】
端末は、ＤＣＩ内の時間領域リソース割り当てフィールドと、決定された時間領域リソース割り当てテーブル／リストとに基づいて、ＤＣＩを使用することによってスケジューリングされたダウンリンクデータチャネルの時間領域リソース割り当てを決定する。例えば、ＤＣＩ内の時間領域リソース割り当てフィールドの値はｍである。使用される時間領域リソース割り当てテーブル／リストが、ＲＲＣシグナリングにおいて設定されたＰＤＳＣＨ割り当てリスト又はＰＤＳＣＨ時間領域リソース割り当てリストである場合に、ＤＣＩを使用することによってスケジューリングされたダウンリンクデータチャネルの時間領域リソース割り当ては、ＰＤＳＣＨ割り当てリスト又はＰＤＳＣＨ時間領域リソース割り当てリスト内の（ｍ＋１）番目の時間領域リソース割り当て、つまり、（ｍ＋１）番目のＰＤＳＣＨ時間領域リソース割り当てである。使用される時間領域リソース割り当てテーブル／リストが標準プロトコルで定義された時間領域リソース割り当てテーブルである場合に、ＤＣＩを使用することによってスケジューリングされたダウンリンクデータチャネルの時間領域リソース割り当ては、表中の行インデックス（ｍ＋１）を有する時間領域リソース割り当てである。
【０１８２】
留意されるべきは、本願の実施形態は、ＤＣＩ内の時間領域リソース割り当てフィールドの値が０から始まる例を使用しており、時間領域リソース割り当てテーブル／リスト内の行インデックスは通常は１から始まる点である。そのため、時間領域リソース割り当てフィールドの値がｍである場合に、ＤＣＩを使用することによってスケジューリングされたダウンリンクデータチャネルの時間領域リソース割り当ては、時間領域リソース割り当てテーブル／リスト内で行インデックス（ｍ＋１）を有する時間領域リソース割り当てである。ＤＣＩ内の時間領域リソース割り当てフィールドの値は、時間領域リソース割り当てテーブル／リスト内の行インデックスの開始値と同じである、と仮定される。この場合に、時間領域リソース割り当てテーブル／リストの値がｍである場合に、ＤＣＩを使用することによってスケジューリングされたダウンリンクデータチャネルの時間領域リソース割り当ては、時間領域リソース割り当てテーブル／リスト内で行インデックスｍを有する時間領域リソース割り当てである。
【０１８３】
本願において、「〜の（英語：of）」、「対応する（英語：corresponding、related）」及び「対応する（英語：corresponding）」は、時々同義的に使用されることがある。留意されるべきは、相違が強調されない場合に、一貫した意味が表現される点である。
【０１８４】
留意されるべきは、本願の実施形態において、「例」又は「例えば」という用語は、例、実例、又は説明を与えることを表すために使用される点である。本願の実施形態において「例」又は「例えば」として説明される如何なる実施形態又は設計スキームも、他の実施形態又は設計スキームと比べてより好ましいもの又はより多くの利点を有するものとして説明されるべきではない。まさに、「例」又は「例えば」などの語の使用は、関連する概念を具体的な様態で示すことを意図される。
【０１８５】
本願の実施形態において、「少なくとも１つ」は１つ以上を意味し、「複数の〜」は２つ以上を意味する。「及び／又は」という用語は、関連するオブジェクトの間の関連付け関係について記載し、３つの関係が存在する可能性があることを表す。例えば、Ａ及び／又はＢは、次の３つの場合、Ａのみが存在、Ａ及びＢの両方が存在、及びＢのみが存在、を表し得る。Ａ及びＢは、単数又は複数形であってよい。「／」という文字は、一般に、関連するオブジェクトの間の“論理和”関係を示す。「次の〜のうちの少なくとも１つ」又は類似の表現は、アイテムの任意の組み合わせを示し、単数アイテム又は複数アイテムの任意の組み合わせを含む。例えば、ａ、ｂ又はｃのうちの少なくとも１つは、ａ、ｂ、ｃ、ａとｂ、ａとｃ、ｂとｃ、又はａとｂとｃを表し得る。ここで、ａ、ｂ及びｃは、単数又は複数形であってよい。その上、本願の実施形態における技術的解決法を明りょうに説明するために、「第１」及び「第２」などの用語は、基本的に同じ機能及び目的を有する同じアイテム又は類似のアイテムの間を区別するために本願の実施形態において使用される。当業者であれば、「第１」及び「第２」などの用語が、数量又は実行順序を限定せず、「第１」及び「第２」などの用語が、明確な相違を示さないことを理解し得る。
【０１８６】
図２は、本願の実施形態に従う通信システムの概略図である。通信システムは、少なくとも１つのネットワークデバイス１００及び少なくとも１つの端末２００を含む（図２は、３つの端末しか示しておらず、実際のシナリオでは、少なくとも３つの又はそれよりも少ない端末が存在してよい）。少なくとも１つの端末２００は、少なくとも１つのネットワークデバイス１００との無線通信を実行する。
【０１８７】
任意に、図２に示される通信システムは、コアネットワークを更に含んでよく、少なくとも１つのネットワークデバイス１００は、コアネットワークへ接続されてよい。コアネットワークは、４Ｇコアネットワーク（例えば、エボルブド・パケット・コア（Evolved  Packet  Core，ＥＰＣ））又は５Ｇコアネットワーク（5G  Core，５ＧＣ）であってよい。
【０１８８】
本願の実施形態において、端末（terminal）２００は、ユーザのためにボイス及び／又はデータ接続性を提供するデバイス、例えば、無線接続機能を備えた手持ち式デバイス又は車載型デバイスである。端末は、ユーザ設備（User  Equipment，ＵＥ）、アクセス端末（Access  Terminal）、ユーザユニット（User  Unit）、ユーザ局（User  Station）、モバイル局（Mobile  Station）、モバイルコンソール（Mobile）、リモート局（Remote  Station）、リモート端末（Remote  Terminal）、モバイル機器（Mobile  Equipment）、ユーザ端末（User  Terminal）、無線テレコム設備（Wireless  Telecom  Equipment）、ユーザエージェント（User  Agent）、ユーザ設備（User  Equipment）、又はユーザ装置とも呼ばれ得る。端末は、無線ローカル・エリア・ネットワーク（Wireless  Local  Area  Networks，ＷＬＡＮ）における局（Station，ＳＴＡ）であってよく、あるいは、携帯電話機、コードレス電話機、セッション開始プロトコル（Session  Initiation  Protocol，ＳＩＰ）電話機、無線ローカルループ（Wireless  Local  Loop，ＷＬＬ）局、パーソナル・デジタル・アシスタント（Personal  Digital  Assistant，ＰＤＡ）デバイス、無線通信機能を備えた手持ち式デバイス、無線モデムへ接続されたコンピューティングデバイス若しくは他の処理デバイス、車載型デバイス、ウェアラブルデバイス、次世代通信システム（例えば、第５世代（Fifth-Generation，５Ｇ）通信ネットワーク）における端末、将来の進化した公衆陸上移動体ネットワーク（Public  Land  Mobile  Network，ＰＬＭＮ）ネットワークにおける端末、などであってよい。５Ｇは、ニュー・ラジオ（New  Radio，ＮＲ）とも呼ばれ得る。
【０１８９】
例えば、本願の実施形態において、端末２００は、代替的に、ウェアラブルデバイスであってよい。ウェアラブルデバイスは、ウェアラブルインテリジェントデバイスとも呼ばれることがあり、日常着のインテリジェント設計においてウェアラブル技術を適用することによって開発されている、メガネ、手袋、時計、衣服、及び靴などのウェアラブルデバイスの総称である。ウェアラブルデバイスは、身体に直接身につけられるか又はユーザの衣服若しくはアクセサリに組み込まれるポータブルデバイスである。ウェアラブルデバイスは、単にハードウェアデバイスであるが、ソフトウェア支援、データ交換、及びクラウドインタラクションを通じて強力な機能を実装するために使用される。一般化されたウェアラブルインテリジェントデバイスは、スマートウォッチ又はスマートグラスなどの、スマートフォンに依存せずに完全な又は部分的な機能を実装することができる完全装備かつ大型のデバイスと、身体的徴候をモニタする様々なスマートバンド又はスマートジュエリーなどの、ただ１つのタイプのアプリケーション機能に焦点を当て、スマートフォンなどの他のデバイスとともに作動する必要があるデバイスとを含む。
【０１９０】
本願の実施形態におけるネットワークデバイス１００は、信号を送信又は受信するよう端末２００と協働し得るエンティティである。ネットワークデバイス１００は、基地局（base  station，ＢＳ）を含む。基地局は、複数の形をとり得、例えば、マクロ基地局、ミクロ基地局、中継局、及びアクセスポイントである。例えば、本願の実施形態における基地局は、ＮＲにおける基地局であってよい。ＮＲにおける基地局は、送受信ポイント（transmission  reception  point，ＴＲＰ）又はｇＮＢとも呼ばれることがあり、あるいは、ＧＳＭ又はＣＤＭＡにおけるベーストランシーバ局（Base  Transceiver  Station，ＢＴＳ）であってよく、あるいは、ＷＣＤＭＡにおけるノードＢ（NodeB，ＮＢ）であってよく、あるいは、ＬＴＥシステムにおけるエボルブド・ノードＢ（Evolutional  NodeB，ｅＮＢ又はｅＮｏｄｅＢ）であってよく、あるいは、将来の５Ｇネットワークにおける次世代ノードＢ（Next  generation  NodeB，ｇＮＢ）であってよい。本願の実施形態におけるネットワークデバイスは、代替的に、無線アクセスネットワークにおいてデプロイされ、端末と無線通信を行うことができるデバイスを含んでもよく、例えば、クラウド無線アクセスネットワーク（Cloud  Radio  Access  Network，ＣＲＡＮ）シナリオにおける無線コントローラであってよい。あるいは、ネットワークデバイスは、中継局、アクセスポイント、将来の５Ｇネットワークにおけるネットワークデバイス、将来の進化した公衆陸上移動体ネットワーク（Public  Land  Mobile  Network，ＰＬＭＮ）におけるネットワークデバイス、などであってもよい。本願の実施形態において、ネットワークデバイスの機能を実装する装置は、ネットワークデバイスであってよく、あるいは、その機能を実装することにおいてネットワークデバイスを支援する装置、例えば、チップ、回路、又は他の装置であってよい。本願の実施形態では、ネットワークデバイスの機能を実装する装置がネットワークデバイスである例が、本願の実施形態で提供される技術的解決法について説明するために使用される。
【０１９１】
更に、本願の実施形態において、ネットワークデバイス１００は、セルのためのサービスを提供し、端末２００は、セルによって使用される伝送リソース（例えば、時間領域リソース、周波数領域リソース、又は時間周波数リソース）を使用することによってネットワークデバイス１００と無線通信を行う。セルは、ネットワークデバイス１００に対応するセルであってよい。セルは、マクロネットワークデバイスに属してよく、あるいは、スモールセル（small  cell）に対応するネットワークデバイスに属してもよい。ここで、スモールセルは、メトロセル（metro  cell）、ミクロセル（micro  cell）、ピコセル（Pico  cell）、フェムトセル（femto  cell）、などを含んでよい。これらのスモールセルは、小さいカバレッジ及び低い伝送電力の特徴を有しており、高速なデータ伝送サービスを提供することに適用可能である。
【０１９２】
将来的に、基地局は、クラウド無線アクセスネットワーク（cloud  radio  access  network，Ｃ−ＲＡＮ）アーキテクチャを使用することによって実装される可能性がある。とり得る様態では、従来の基地局のプロトコルスタックアーキテクチャ及び機能は、２つの部分に分けられる。１つの部分は、中央ユニット（central  unit，ＣＵ）と呼ばれ、もう１つの部分は、分散ユニット（distributed  unit，ＤＵ）と呼ばれる。図３に示されるように、複数の基地局のいくつかのＣＵは、大規模機能エンティティを形成するよう一体化される。複数のＤＵは、１つのＣＵによって全て制御されてよい。図３に示されるように、ＣＵ及びＤＵは、無線ネットワークのプロトコルレイヤに基づいて分割されてよい。例えば、パケットデータ収束プロトコル（packet  data  convergence  protocol，ＰＤＣＰ）レイヤ及びＰＤＣＰレイヤの上のプロトコルレイヤ（例えば、無線リソース制御（radio  resource  control，ＲＲＣ）レイヤ）の機能は、ＣＵ上にセットされる。無線リンク制御（radio  link  control，ＲＬＣ）レイヤ、媒体アクセス制御（medium  access  control，ＭＡＣ）レイヤ、及び物理レイヤ（Physical  layer，ＰＨＹ）などの、ＰＤＣＰの下のプロトコルレイヤの機能は、ＤＣ上にセットされる。
【０１９３】
図３に示されるプロトコルレイヤの分割は一例にすぎず、分割は他のプロトコルレイヤで行われてもよい、ことが理解され得る。例えば、分割はＲＬＣレイヤで行われ、ＲＬＣレイヤ及びＲＬＣレイヤの上のプロトコルレイヤの機能は、ＣＵ上にセットされ、ＲＣＬレイヤの下のプロトコルレイヤの機能は、ＤＵ上にセットされる。あるいは、分割はプロトコルレイヤで行われる。例えば、ＲＬＣレイヤのいくつかの機能及びＲＬＣレイヤの上のプロトコルレイヤの機能は、ＣＵ上にセットされ、ＲＬＣレイヤの残りの機能及びＲＬＣレイヤの下のプロトコルレイヤの機能は、ＤＣ上にセットされる。その上、分割は、代替的に、他の様態で行われてもよく、例えば、分割は、遅延に基づいて行われる。処理時間が遅延要件を満足する必要がある機能は、ＤＵ上にセットされ、処理時間が遅延要件を満足する必要がない機能は、ＣＵ上にセットされる。これは本願のこの実施形態で限定されない。
【０１９４】
更に、図４を参照すると、図３に示されるアーキテクチャとは異なって、ＣＵの制御プレーン（control  plane，ＣＰ）及びユーザプレーン（user  plane，ＵＰ）が、ＣＵを、制御プレーンＣＵエンティティ（ＣＵ−ＣＰエンティティ）及びユーザプレーンＣＵエンティティ（ＣＵ−ＵＰエンティティ）である異なるエンティティに分けることによって、更に分離及び実装されてよい。
【０１９５】
上記のネットワークアーキテクチャでは、ＣＵによって生成されたデータは、ＤＵを通じて端末へ送られてよい。あるいは、端末によって生成されたデータは、ＤＵを通じてＣＵへ送られてよい。ＤＵは、データをパースすることなしに、プロトコルレイヤでデータを直接カプセル化し、それから、カプセル化されたデータを端末又はＣＵへ送ってよい。例えば、ＲＲＣレイヤ又はＰＤＣＰレイヤでのデータは、最終的に物理レイヤ（Physical  Layer，ＰＨＹ）でのデータとして処理されるか、あるいは、ＰＨＹレイヤで受信されたデータから変換される。このアーキテクチャでは、ＲＲＣレイヤ又はＰＤＣＰレイヤでのデータはＤＵによって送られることも考えられ得る。
【０１９６】
上記の実施形態では、ＣＵは、ＲＡＮにおける基地局である。その上、ＣＵは、代替的に、コアネットワークＣＮにおける基地局であってよい。これはここで限定されない。
【０１９７】
本願の以下の実施形態における装置は、装置によって実装される機能に基づいて端末又は基地局に位置し得る。上記のＣＵ−ＤＵ構造が使用される場合に、基地局はＣＵノード、ＤＣノード、又はＣＤノード及びＤＵノードの機能を含むＲＡＮデバイスであってよい。
【０１９８】
図５に示されるように、本願の実施形態におけるネットワークデバイス１００は、基地局であってよい。基地局は、実施形態について詳細に説明するために以下で例として使用される。図５に示される基地局は、ネットワークデバイス１００の例にすぎず、基地局は、図５に示されるものよりも多い又は少ないコンポーネントを有してよく、あるいは、２つ以上のコンポーネントは結合されてよく、あるいは、異なるコンポーネント構成が使用されてもよい、ことが理解されるべきである。
【０１９９】
図５に示されるように、基地局は、少なくとも１つのプロセッサ１１１１、少なくとも１つのメモリ１１１２、少なくとも１つのトランシーバ１１１３、少なくとも１つのネットワークインターフェース１１１４、及び１つ以上のアンテナ１１１５を含む。プロセッサ１１１１、メモリ１１１２、トランシーバ１１１３、及びネットワークインターフェース１１１４は、例えば、バスを使用することによって、互いに接続される。アンテナ１１１５は、トランシーバ１１１３へ接続される。ネットワークインターフェース１１１４は、基地局が通信リンクを通じて他の通信デバイスへ接続されることを可能にするよう構成される。例えば、基地局は、Ｓ１インターフェース／ＮＧインターフェースを通じてコアネットワーク要素へ接続される。本願の実施形態において、接続は、様々なタイプのインターフェース、伝送線路、バス、などを使用することによって実装されてよい。これは実施形態において限定されない。
【０２００】
本願の実施形態におけるプロセッサ、例えば、プロセッサ１１１１は、次のタイプ、中央演算処理装置（Central  Processing  Unit，ＣＰＵ）、デジタル信号プロセッサ（Digital  Signal  Processor，ＤＳＰ）、マイクロプロセッサ、特定用途向け集積回路（Application-Specific  Integrated  Circuit，ＡＳＩＣ）、マイクロコントローラユニット（Microcontroller  Unit，ＭＣＵ）、フィールド・プログラマブル・ゲート・アレイ（Field  Programmable  Gate  Array，ＦＰＧＡ）、論理演算を実装するよう構成された集積回路、のうちの少なくとも１つを含んでよい。例えば、プロセッサ１１１１は、シングルコア（シングルＣＰＵ）プロセッサ又はマルチコア（マルチＣＰＵ）プロセッサであってよい。少なくとも１つのプロセッサ１１１１は、１つのチップに組み込まれても、又は複数の異なるチップに置かれてもよい。
【０２０１】
本願の実施形態におけるメモリ、例えば、メモリ１１１２は、次のタイプ、リード・オンリー・メモリ（read-only  memory，ＲＯＭ）若しくは静的な情報及び命令を記憶することができる他のタイプの静的記憶デバイス、ランダム・アクセス・メモリ（random  access  memory，ＲＡＭ）若しくは情報及び命令を記憶することができる他のタイプの動的記憶デバイス、又は電気的消去可能なプログラム可能リード・オンリー・メモリ（Electrically  erasable  programmable  read-only  memory，ＥＥＰＲＯＭ）、のうちの少なくとも１つを含んでよい。いくつかのシナリオでは、メモリは更に、コンパクトディスク型リード・オンリー・メモリ（compact  disc  read-only  memory，ＣＤ−ＲＯＭ）又は他のディスクストレージ若しくは光ディスクストレージ（コンパクトディスク、レーザディスク、光ディスク、デジタル・バーサタイル・ディスク、ブルーレイ光ディスク、など）、磁気ディスク記憶媒体、他の磁気記憶デバイス、あるいは、命令又はデータ構造の形で期待されたプロトコルコードを搬送又は記憶するよう構成され得かつコンピュータによってアクセス可能であるあらゆる他の媒体であってもよいが、これらに限られない。
【０２０２】
メモリ１１１２は、独立して存在してよく、プロセッサ１１１１へ接続される。任意に、メモリ１１１２は、代替的に、プロセッサ１１１１と一体化されてよく、例えば、チップに組み込まれてよい。メモリ１１１２は、本願の実施形態における技術的解決法を実行するためのプログラムコードを記憶することができ、プロセッサ１１１１は、その実行を制御する。様々なタイプの実行されるコンピュータプログラムコードはまた、プロセッサ１１１１のドライバと見なされてもよい。例えば、プロセッサ１１１１は、本願の実施形態における技術的解決法を実装するために、メモリ１１１２に記憶されているコンピュータプログラムコードを実行するよう構成される。
【０２０３】
トランシーバ１１１３は、基地局と端末との間の無線周波数信号の受信又は送信を支援するよう構成されてよく、トランシーバ１１１３は、アンテナ１１１５へ接続されてよい。トランシーバ１１１３は、送信器Ｔｘ及び受信器Ｒｘを含む。具体的に、１つ以上のアンテナ１１１５は、無線周波数信号を受信してよい。トランシーバ１１１３の受信器Ｒｘは、アンテナから無線周波数信号を受信し、無線周波数信号をデジタルベースバンド信号又はデジタル中間周波数信号に変換し、デジタルベースバンド信号又はデジタル中間周波数信号をプロセッサ１１１１のために供給するよう構成され、それにより、プロセッサ１１１１は、デジタルベースバンド信号又はデジタル中間周波数信号を更に処理する（例えば、復調又は復号する）。その上、トランシーバ１１１３の送信器Ｔｘは、変調されたデジタルベースバンド信号又はデジタル中間周波数信号をプロセッサ１１１１から受信し、変調されたデジタルベースバンド信号又はデジタル中間周波数信号を無線周波数信号に変換し、無線周波数信号を１つ以上のアンテナ１１１５により送信するよう更に構成される。具体的に、受信器Ｒｘは、デジタルベースバンド信号又はデジタル中間周波数信号を取得するよう無線周波数信号に対して１つ以上のレベルの周波数ダウンミキシング処理及びアナログ−デジタル変換処理を選択的に実行してよい。周波数ダウンミキシング処理及びアナログ−デジタル変換処理のシーケンスは調整可能である。送信器Ｔｘは、無線周波数信号を取得するよう、変調されたデジタルベースバンド信号又はデジタル中間周波数信号に対して１つ以上のレベルの周波数アップミキシング処理及びデジタル−アナログ変換処理を選択的に実行してよい。周波数アップミキシング処理及びデジタル−アナログ変換処理のシーケンスは調整可能である。デジタルベースバンド信号又はデジタル中間周波数信号は、デジタル信号と総称され得る。
【０２０４】
図６は、本願の実施形態に従う端末の略構造図である。端末２００の構造については、図６に示される構造を参照されたい。図６に示される端末は例にすぎず、端末は、図６に示されるものよりも多い又は少ないコンポーネントを有してよく、あるいは、２つ以上のコンポーネントは結合されてよく、あるいは、異なるコンポーネント構成が使用されてもよい、ことが理解されるべきである。
【０２０５】
端末は、少なくとも１つのプロセッサ１２１１、少なくとも１つのトランシーバ１２１２、及び少なくとも１つのメモリ１２１３を含む。プロセッサ１２１１、メモリ１２１３、及びトランシーバ１２１２は、互いに接続される。任意に、端末１２１は、出力デバイス１２１４、入力デバイス１２１５、及び１つ以上のアンテナ１２１６を更に含んでよい。アンテナ１２１６はトランシーバ１２１２へ接続され、出力デバイス１２１４及び入力デバイス１２１５はプロセッサ１２１１へ接続される。
【０２０６】
トランシーバ１２１２、メモリ１２１３、及びアンテナ１２１６について、図５における関連記載を参照されたい。同様の機能が実装される。
【０２０７】
プロセッサ１２１１は、ベースバンドプロセッサであってよく、あるいは、ＣＰＵであってよい。ベースバンドプロセッサ及びＣＰＵは、一体化又は分離されてよい。
【０２０８】
プロセッサ１２１１は、端末のための様々な機能を実装するよう構成されてよく、例えば、通信プロトコル及び通信データを処理するよう構成されるか、あるいは、端末デバイス全体を制御してソフトウェアプログラムを実行し、ソフトウェアプログラムのデータを処理するよう構成されるか、あるいは、コンピューティング処理タスク、例えば、グラフィクス及び画像処理又はオーディオ処理を完了することを支援するよう構成される。あるいは、プロセッサ１２１１は、上記の機能のうちの１つ以上を実装するよう構成される。
【０２０９】
出力デバイス１２１４は、プロセッサ１２１１と通信し、複数の様態で情報を表示してよい。例えば、出力デバイス１２１４は、液晶ディスプレイ（Liquid  Crystal  Display，ＬＣＤ）、発光ダイオード（Light  Emitting  Diode，ＬＥＤ）表示デバイス、陰極線管（Cathode  Ray  Tube，ＣＲＴ）表示デバイス、又はプロジェクタ（projector）であってよい。入力デバイス１２１５は、プロセッサ１２１１と通信し、複数の様態でユーザ入力を受け取ってよい。例えば、入力デバイス１２１５は、マウス、キーボード、タッチスクリーンデバイス、又は検知デバイスであってよい。
【０２１０】
本願の実施形態における技術的解決法の理解を容易にするために、以下は、最初に、本願の関連技術について簡潔に説明する。
【０２１１】
（１）キャリア・アグリゲーション（Carrier  Aggregation，ＣＡ）
本願の実施形態におけるキャリアは、非キャリア・アグリゲーション（carrier  aggregation，ＣＡ）シナリオにおけるキャリア及びＣＡシナリオにおける成分キャリア（component  carrier，ＣＣ）を含む。ＣＡシナリオにおけるＣＣは、一次成分キャリア（Primary  component  carrier，ＰＣＣ）又は二次成分キャリア（Secondary  component  carrier，ＳＣＣ）であってよく、ＣＡシナリオにおけるサービングセルは、一次サービングセル（primary  serving  cell，ＰＣｅｌｌ）又は二次サービングセル（secondary  serving  cell，ＳＣｅｌｌ）であってよい。
【０２１２】
端末は、端末の能力（例えば、端末によってサポートされるＣＣの量）に基づいて１つ以上のＣＣでデータを同時に受信又は送信し得る。ＣＡが端末で有効にされる場合に、端末とネットワークデバイスとの間にはただ１つのＲＲＣ接続しか存在しない。ＲＲＣ接続確立／再確立／ハンドオーバーの間、一次サービングセルは、非アクセス階層（Non-access  stratum，ＮＡＳ）モビリティ情報を供給する。ＲＲＣ接続再確立／ハンドオーバーの間、一次サービングセルは、セキュリティ入力を供給する。ネットワーク側は、端末の能力に基づいて端末のためのＳＣｅｌｌを構成してよい。ＰＣｅｌｌ及びＳＣｅｌｌはサービングセルセットを形成する。ＳＣｅｌｌは、ＲＲＣ接続中に再構成、追加、又は除去されてよい。ＰＣｅｌｌに対応するキャリアはＰＣＣであり、ＳＣｅｌｌに対応するキャリアはＳＣＣである。ネットワーク側は、構成されたＳＣｅｌｌをアクティブ又は非アクティブにすることができる。
【０２１３】
更に、キャリア上で又はサービングセルにおいてアップリンク伝送のために使用される部分は、アップリンクリソース又はアップリンクキャリアと理解されてよく、キャリア上で又はサービングセルにおいてダウンリンク伝送のために使用される部分は、ダウンリンクリソース又はダウンリンクキャリアと理解されてよい。例えば、周波数分割復信（frequency  division  duplex，ＦＤＤ）システムでは、キャリア上でアップリンク伝送のために使用される周波数領域リソースは、アップリンクリソース又はアップリンクキャリアと理解されてよく、キャリア上でダウンリンク伝送のために使用される周波数領域リソースは、ダウンリンクリソース又はダウンリンクキャリアと理解されてよい。あるいは、例えば、時分割復信（time  division  duplex，ＴＤＤ）システムでは、キャリア上でアップリンク伝送のために使用される時間領域リソースは、アップリンクリソース又はアップリンクキャリアと理解されてよく、キャリア上でダウンリンク伝送のために使用される時間領域リソースは、ダウンリンクリソース又はダウンリンクキャリアと理解されてよい。
【０２１４】
（２）帯域幅部分（Bandwidth  part，ＢＷＰ）
帯域幅部分は、ネットワークデバイスによって端末に割り当てられたキャリア、キャリア帯域幅、又はシステム帯域幅でのいくらかの周波数領域リソースである。ＢＷＰのサイズは、端末の帯域幅容量、つまり、端末によってサポートされる最大帯域幅以下である。その上、ＢＷＰは、連続的な周波数領域リソースである。例えば、ＢＷＰは、複数の連続したサブキャリアを含んでよい。他の例として、ＢＷＰは、複数の連続した物理リソースブロック（Physical  Resource  Block，ＰＲＢ）を含んでよい。端末は、複数のＢＷＰをサポートすることができる。すなわち、基地局は、端末のために複数のＢＷＰを設定することができる。複数のＢＷＰが設定される場合に、ＢＷＰは、重なり合ってよく、あるいは、重なり合っていなくてもよい。その上、異なるＢＷＰに含まれる周波数領域リソースは、同じサブキャリア間隔を有してよく、あるいは、異なるサブキャリア間隔を有してもよい。
【０２１５】
サブキャリア間隔は、リソース要素（resource  element，ＲＥ）の周波数領域長さであり、サブキャリア間隔の値は、１５ｋＨｚ、３０ｋＨｚ、６０ｋＨｚ、などを含んでよい。
【０２１６】
端末は、ネットワークデバイスによって設定されたＢＷＰでネットワークデバイスと通信し得る。ＢＷＰは、アップリンクＢＷＰ及びダウンリンクＢＷＰに分類されてよい。端末は、アップリンクＢＷＰでアップリンクデータをネットワークデバイスへ送信し、ダウンリンクＢＷＰで、ネットワークデバイスによって送信されたダウンリンクデータ、例えば、ＰＤＳＣＨを受信する。ネットワークデバイスは、端末のためのデフォルトＢＷＰを設定してよい。端末の初期ＢＷＰ（最初にアクティブにされたＢＷＰとも呼ばれる）の周波数領域位置は、残存システム情報（Remaining  system  information，ＲＭＳＩ）ＤＣＩの制御リソースセット（control  resource  set，ＣＯＲＥＳＥＴ）の周波数領域位置である。
【０２１７】
（３）間欠受信（Discontinuous  Reception，ＤＲＸ）
ロング・ターム・エボリューション（Long  Term  Evolution）では、端末が無線リソース制御（Radio  Resource  Control，ＲＲＣ）接続（connected）モードにある場合に、端末の不必要な電力消費を低減するよう、ＤＲＸ機能が定義される。ＤＲＸ中に、端末は、いくつかの期間ではダウンリンク制御チャネルをモニタし、いくつかの他の期間ではダウンリンク制御チャネルをモニタしないよう制御され得る。従って、ＤＲＸ中に、端末の電力消費は、いくつかの期間においてダウンリンク制御チャネルをモニタしないよう端末を制御することによって、低減される。ＬＴＥで定義されているＤＲＸメカニズムは、５Ｇシステムにおいて依然として使用され得る。
【０２１８】
例えば、本願の実施形態におけるダウンリンク制御チャネルは、物理ダウンリンク制御チャネル（Physical  downlink  control  channel，ＰＤＣＣＨ）であってよい。
【０２１９】
ＲＲＣ接続モードでは、端末は、間欠受信を実行するよう構成される。ＤＲＸ中に、端末によってダウンリンク制御チャネルをモニタする挙動は制御可能である。
【０２２０】
具体的に、ＤＲＸ中に、端末は、識別情報を使用することによってスクランブルされたダウンリンク制御チャネルをモニタするよう構成されてよい。
【０２２１】
例えば、識別情報は、次の、セル無線ネットワーク一時識別子（Cell  Radio  Network  Temporary  Identity，Ｃ−ＲＮＴＩ）、スケジューリング設定された無線ネットワーク一時識別子（configured  scheduling  RNTI，ＣＳ−ＲＮＴＩ）、割り込み無線ネットワーク一時識別子（interruption  RNTI，ＩＮＴ−ＲＮＴＩ）、スロットフォーマット指示無線ネットワーク一時識別子（slot  format  indication  RNTI，ＳＦＩ−ＲＮＴＩ）、半持続的チャネル状態情報無線ネットワーク一時識別子（semi-persistent  CSI  RNTI，ＳＰ−ＣＳＩ−ＲＮＴＩ）、伝送電力制御無線ネットワーク一時識別子（transmit  power  control  RNTI，ＴＰＣ−ＰＵＣＣＨ−ＲＮＴＩ）、伝送電力制御物理アップリンク共有チャネル無線ネットワーク一時識別子（transmit  power  control  physical  uplink  shared  channel  RNTI，ＴＰＣ−ＰＵＳＣＨ−ＲＮＴＩ）、及び伝送電力制御サウンディング参照信号無線ネットワーク一時識別子（transmit  power  control  sounding  reference  signal  RNTI，ＴＰＣ−ＳＲＳ−ＲＮＴＩ）、のうちのいずれか１つであってよい。
【０２２２】
ＲＮＴＩを使用することによってダウンリンク制御チャネルをスクランブルことはまた、ＲＮＴＩを使用することによってＤＣＩをスクランブルすることとしても理解されてよい。ダウンリンク制御チャネルは、ＤＣＩを運んでよい。相応して、ＤＣＩをスクランブルすることは、巡回冗長検査（Cyclic  Redundancy  Check，ＣＲＣ）の付加がＤＣＩに対して実行された後に、無線ネットワーク一時識別子を使用することによってＣＲＣパリティビットをスクランブルすることであってよく、あるいは、ＣＲＣの付加がＤＣＩに対して行われた後に取得されたシーケンスを、ＲＮＴＩを使用することによってスクランブルすることであってよい。
【０２２３】
ＮＲでは、ＤＲＸ動作は、次のパラメータのうちの１つ以上を使用することによって、ＲＲＣ接続中に制御される：
ｄｒｘ−ｏｎＤｕｒａｔｉｏｎＴｉｍｅｒ：ＤＲＸサイクル（ｃｙｃｌｅ）から始まる存続期間（タイマの名称は、ＬＴＥではｏｎＤｕｒａｔｉｏｎＴｉｍｅである）；
ｄｒｘ−ＳｌｏｔＯｆｆｓｅｔ：ｄｒｘ−ｏｎＤｕｒａｔｉｏｎＴｉｍｅｒが開始される前の遅延；
ｄｒｘ−ＳｔａｒｔＯｆｆｓｅｔ：ＤＲＸサイクルの介しサブフレーム（名称は、ＬＴＥではｄｒｘＳｔａｒｔＯｆｆｓｅｔである）；
ｄｒｘ−ＩｎａｃｔｉｖｉｔｙＴｉｍｅｒ：ダウンリンク制御チャネルオケージョン後の存続期間であり、ダウンリンク制御チャネルオケージョンでのダウンリンク制御チャネルは、端末への初期アップリンク（Uplink，ＵＬ）伝送又はダウンリンク（Downlink，ＤＬ）伝送を示す；
ｄｒｘ−ＲｅｔｒａｎｓｍｉｓｓｉｏｎＴｉｍｅｒＤＬ（ＤＬ  ＨＡＲＱプロセスごと）：ダウンリンク再送が受信されるまでの最大存続期間（タイマの名称は、ＬＴＥではｄｒｘ−ＲｅｔｒａｎｓｍｉｓｓｉｏｎＴｉｍｅｒである）；
ｄｒｘ−ＲｅｔｒａｎｓｍｉｓｓｉｏｎＴｉｍｅｒＵＬ（ＵＬ  ＨＡＲＱプロセスごと）：アップリンク再送に対する許可（grant）が受信されるまでの最大存続期間ＵＬ再送に対する許可が受信されるまでの最大存続期間（タイマの名称は、ＬＴＥではｄｒｘ−ＵＬＲｅｔｒａｎｓｍｉｓｓｉｏｎＴｉｍｅｒである）；
ｄｒｘ−ＬｏｎｇＣｙｃｌｅ：長いＤＲＸサイクル（名称は、ＬＴＥではｌｏｎｇＤＲＸ−Ｃｙｃｌｅである）；
ｄｒｘ−ＳｈｏｒｔＣｙｃｌｅ（任意に）：短いＤＲＸサイクル（名称は、ＬＴＥではｓｈｏｒｔＤＲＸ−Ｃｙｃｌｅである）；及び
ｄｒｘ−ＳｈｏｒｔＣｙｃｌｅＴｉｍｅｒ（任意）：端末が短いＤＲＸサイクルを使用する存続期間（名称は、ＬＴＥではｄｒｘＳｈｏｒｔＣｙｃｌｅＴｉｍｅｒである）。
【０２２４】
ＤＲＸサイクルが設定される場合に、アクティブ時間（Active  time）は次を含む：
（１）ｄｒｘ−ｏｎＤｕｒａｔｉｏｎＴｉｍｅｒ又はｄｒｘ−ＩｎａｃｔｉｖｉｔｙＴｉｍｅｒ又はｄｒｘ−ＲｅｔｒａｎｓｍｉｓｓｉｏｎＴｉｍｅｒ又はｄｒｘ−ＵＬＲｅｔｒａｎｓｍｉｓｓｉｏｎＴｉｍｅｒ又はｒａ−ＣｏｎｔｅｎｔｉｏｎＲｅｓｏｌｕｔｉｏｎＴｉｍｅｒは実行中である。  
（２）スケジューリング要求（Scheduling  Request，ＳＲ）が送信され、ペンディング中（pending）である。  
（３）ランダムアクセス応答（Random  Access  Response，ＲＡＲ）の受信に成功した後、Ｃ−ＲＮＴＩを使用することによってスクランブルされている、初期伝送を示すダウンリンク制御チャネルは、受信されない。ＲＡＲは、競合ベースのランダムアクセスプリアンブルから端末によって選択されないランダムアクセスプリアンブルに対する応答である。
【０２２５】
端末がアクティブ時間にある場合に、端末は、ダウンリンク制御チャネルをモニタする必要がある。
【０２２６】
図７には、ＤＲＸサイクルが示されている。受信期間（On  Duration）は周期的に繰り返され、ＤＲＸサイクルは、受信期間の繰り返しのサイクルである。ｄｒｘ−ｏｎＤｕｒａｔｉｏｎＴｉｍｅｒは、受信期間の開始時に開始する。ｄｒｘ−ｏｎＤｕｒａｔｉｏｎＴｉｍｅｒの存続期間は、受信期間に等しい。非受信期間（Opportunity  for  DRX）は非アクティブ時間である。
【０２２７】
初期伝送が端末のためにスケジューリングされるたびに、ｄｒｘ−ＩｎａｃｔｉｖｉｔｙＴｉｍｅｒは開始（又は再開）される。次いで、端末は、タイマが切れるまでダウンリンク制御チャネルをモニタする。ｄｒｘ−ＩｎａｃｔｉｖｉｔｙＴｉｍｅｒは、端末がダウンリンク制御チャネルの複合に成功した後に、初期伝送をスケジューリングするためのダウンリンク制御チャネルが連続してモニタされる時間長さを指定する。
【０２２８】
端末がデータのハイブリッド自動再送要求（hybrid  automatic  repeat  request，ＨＡＲＱ）のダウンリンク制御チャネルをモニタする場合に、前の伝送と再送との間には固定の時間シーケンス関係が存在しないので、アップリンクＨＡＲＱプロセス及びダウンリンクＨＡＲＱプロセス（process）の夫々について時間窓が定義され、それにより、端末は、前のアップリンク又はダウンリンク伝送から始まる時間窓の後で、アップリンク伝送のためのダウンリンク制御チャネル又はダウンリンク伝送のためのダウンリンク制御チャネルをモニタすることを可能にされる。時間窓は、タイマを使用することによって実装されてよい。各アップリンクＨＡＲＱプロセス及び各ダウンリンクＨＡＲＱプロセスは、夫々１つのタイマに対応してよい。
【０２２９】
例えば、ダウンリンクＨＡＲＱプロセスに対応するタイマは、ＨＡＲＱ  ＲＴＴ（Round  Trip  Time，ＲＴＴ）タイマ又はｄｒｘ−ＨＡＲＱ−ＲＴＴ−ＴｉｍｅｒＤＬであり、アップリンクＨＡＲＱプロセスに対応するタイマは、ＵＬ  ＨＡＲＱ  ＲＴＴタイマ又はｄｒｘ−ＨＡＲＱ−ＲＴＴ−ＴｉｍｅｒＵＬである。アップリンクＨＡＲＱプロセスについては、対応するタイマが切れる場合に、対応するアップリンク再送タイマ（ｄｒｘ−ＲｅｔｒａｎｓｍｉｓｓｉｏｎＴｉｍｅｒＵＬ、又はｄｒｘ−ＵＬＲｅｔｒａｎｓｍｉｓｓｉｏｎＴｉｍｅｒと呼ばれる）が開始される。ダウンリンクＨＡＲＱプロセスについては、対応するタイマが切れる場合に、対応するダウンリンク再送タイマ（ｄｒｘ−ＲｅｔｒａｎｓｍｉｓｓｉｏｎＴｉｍｅｒＤＬ、又はｄｒｘ−ＲｅｔｒａｎｓｍｉｓｓｉｏｎＴｉｍｅｒと呼ばれる）が開始される。
【０２３０】
ＵＥは、ｄｒｘ−ＲｅｔｒａｎｓｍｉｓｓｉｏｎＴｉｍｅｒＵＬ又はｄｒｘ−ＲｅｔｒａｎｓｍｉｓｓｉｏｎＴｉｍｅｒＤＬが実行中であるときに、ＰＤＣＣＨでリッスンしてよい。ｄｒｘ−ＲｅｔｒａｎｓｍｉｓｓｉｏｎＴｉｍｅｒＵＬは、アップリンク再送に対する許可が受信されるまでの最大存続期間（ＵＬ再送に対する許可が受信されるまでの最大存続期間）として定義されてよい。ｄｒｘ−ＲｅｔｒａｎｓｍｉｓｓｉｏｎＴｉｍｅｒＤＬは、ダウンリンク再送に対する許可が受信されるまでの最大存続期間（ＤＬ再送のための許可が受信されるまでの最大存続期間）として定義されてよい。
【０２３１】
図１（ｂ）に示されるように、ダウンリンクデータチャネルの時間領域リソースの最も早い可能な開始位置と、ダウンリンクデータチャネルをスケジューリングするＤＣＩの時間領域位置との間のインターバルが０である場合に、端末はデータをバッファリングし、ＤＣＩの時間領域位置から始まって、ＤＣＩが復号化を通じて取得されるまで、ＤＣＩを復号する。
【０２３２】
図１（ｃ）に示されるように、ダウンリンクデータチャネルの時間領域リソースの最も早い可能な開始位置と、ダウンリンクデータチャネルをスケジューリングするＤＣＩの時間領域位置との間のインターバルが、端末が復号化を通じてＤＣＩを取得する期間よりも長い場合に、端末は、ＤＣＩの時間領域位置の後にデータをバッファリングする必要がなく、ＤＣＩの指示に基づいて、ＤＣＩによってスケジューリングされたダウンリンクデータチャネルを直接受信し得る。図１（ｃ）のプロセスでは、端末は、ＤＣＩの時間領域位置とダウンリンクデータチャネルの時間領域リソースの開始位置との間のインターバルの値に基づいて、ＤＣＩの時間領域位置の後かつダウンリンクデータチャネルの時間領域リソースの開始位置の前の期間に種々のモジュールを無効化し得る。より多くの、無効化されたモジュールは、端末のより低い電力消費を示す。一般に、ダウンリンクデータチャネルの時間領域リソースの開始位置とＤＣＩの時間領域位置との間のより大きい時間領域インターバルは、ダウンリンクデータチャネルの時間領域リソースの開始位置とＤＣＩの時間領域位置との間の期間における端末のより低い電力消費を示す。従って、図１（ｃ）に示される端末の電力消費は、図１（ｂ）に示される端末の電力消費よりも少ない。
【０２３３】
本願の実施形態において、通信方法は、端末によって実行されてよく、あるいは、端末に適用されるチップによって実行されてよい。端末によって実行される全てのプロセスは、端末に適用されるチップによって実行されてもよく、ネットワークデバイスによって実行される全てのプロセスは、ネットワークデバイスに適用されるチップによって実行されてもよい、ことが理解され得る。このことはここで説明され、詳細はその後に説明されない。同様に、同じ説明は、他の方法での実行主体に対しても使用され得る。以下の実施形態は、１つの通信方法が端末によって実行され、もう１つの通信方法がネットワークデバイスによって実行される例を使用することによって、説明される。
【０２３４】
実施形態１
図８は、通信方法の略フローチャートである。方法は、次のステップを含む。
【０２３５】
Ｓ１０１．端末は、第１時間領域オフセットを示すために使用される情報及び／又は低電力消費を示すために使用される情報をネットワークデバイスへ送信する。
【０２３６】
具体的に、端末は、第１時間領域オフセットを示すために使用される情報及び／又は低電力消費を示すために使用される情報をネットワークデバイスへ送信し、それにより、ネットワークデバイスは、比較的に大きい時間領域オフセット（例えば、端末によって期待される最小時間領域オフセット以上の時間領域オフセット）を示す第１時間領域リソース割り当てを設定する。すなわち、端末は、比較的に大きい時間領域オフセットを示す第１時間領域リソース割り当てを使用することを端末が期待していることをネットワークに通知し、あるいは、端末は、端末によって期待される時間領域オフセット若しくは時間領域オフセットインクリメントをネットワークデバイスに通知するか、又は端末が電力消費を低減することを期待していることをネットワークデバイスに通知する。
【０２３７】
例えば、Ｓ１０１は、次の実施を含んでよい。端末は、第１時間領域オフセットを示すために使用される情報をネットワークデバイスへ送信し、あるいは、端末は、低電力消費を示すために使用される情報をネットワークデバイスへ送信し、あるいは、端末は、第１時間領域オフセットを示すために使用される情報と、低電力消費を示すために使用される情報とをネットワークデバイスへ送信する。
【０２３８】
例えば、Ｓ１０１は、次の実施を含んでよい。端末は、第１時間領域オフセットを示すために使用される情報及び／又は電力消費プリファレンスを示すために使用される情報をネットワークデバイスへ送信し、あるいは、端末は、第１時間領域オフセットを示すために使用される情報及び／又は端末が比較的に大きい時間領域オフセットを期待していることを示すために使用される情報をネットワークデバイスへ送信する。Ｓ１０１は、代替的に、端末が、第１時間領域オフセットを示すために使用される情報及び／又は端末が時間領域オフセットを増大させることを期待していることを示すために使用される情報をネットワークデバイスへ送信することであってもよい。
【０２３９】
第１時間領域オフセットを示すために使用される情報及び低電力消費を示すために使用される情報は、同じメッセージ（例えば、第１メッセージ）においてネットワークデバイスへ送信されてよく、あるいは、異なるメッセージにおいてネットワークデバイスへ送信されてもよい（例えば、第１時間領域オフセットを示すために使用される情報は第１メッセージにおいて運ばれ、低電力消費を示すために使用される情報は第２メッセージにおいて運ばれる）。
【０２４０】
例えば、第１メッセージ又は第２メッセージは、端末の能力情報（例えば、ＵＥＣａｐａｂｉｌｉｔｙＩｎｆｏｒｍａｔｉｏｎ）であってよく、第１メッセージ又は第２メッセージは、端末の支援情報（例えば、ＵＥＡｓｓｉｓｔａｎｃｅＩｎｆｏｒｍａｔｉｏｎ）である。その上、第１メッセージ又は第２メッセージは、代替的に、ＲＲＣメッセージ、媒体アクセス制御コントロール要素（Medium  access  control  Control  Elements，ＭＡＣ  ＣＥ）、又はＤＣＩであってよい。
【０２４１】
留意されるべきは、本願では、Ａを示すために使用される情報はＡを含んでよく、あるいは、Ａを示すために使用される情報は、Ａに対応する指示情報であってよく、その指示情報はＡを示すために使用される点である。このことはここで説明される。以下の関連記載については、ここでの説明を参照されたい。
【０２４２】
例えば、第１時間領域オフセットを示すために使用される情報は、第１時間領域オフセット１０１１を含んでよい。あるいは、第１時間領域オフセットを示すために使用される情報は、第１指示情報であってよく、第１指示情報は、第１時間領域オフセット１０１１を決定するために使用される。
【０２４３】
例えば、第１時間領域オフセットを示すために使用される情報は、時間領域オフセット１を含んでよい。他の例として、第１指示情報がインデックス１である場合に、第１時間領域オフセットを示すために使用される情報はインデックス１であってよく、インデックス１は時間領域オフセット１に対応する。
【０２４４】
例えば、低電力消費を示すために使用される情報は、低電力消費情報を含んでよく、あるいは、低電力消費を示すために使用される指示情報であってよい。低電力消費を示すために使用される情報は、端末が電力消費を低減することを期待していること、又は端末が、電力消費低減のために最適化されている設定を好む（又はむしろそれを好む）ことを示すために使用される。
【０２４５】
例えば、第２メッセージは、電力プリファレンス指示（ｐｏｗｅｒＰｒｅｆＩｎｄｉｃａｔｉｏｎ）情報要素（information  element，ＩＥ）を含み、ｐｏｗｅｒＰｒｅｆＩｎｄｉｃａｔｉｏｎの値は、低電力消費（ｌｏｗＰｏｗｅｒＣｏｎｓｕｍｐｔｉｏｎ）にセットされ、ｌｏｗＰｏｗｅｒＣｏｎｓｕｍｐｔｉｏｎは、端末が電力消費を低減することを期待していることを示す。
【０２４６】
従って、Ｓ１０１は、次のステップにより置換されてよい：端末は、第１時間領域オフセット１０１１及び／又は低電力消費情報をネットワークデバイスへ送信してよい。あるいは、Ｓ１０１は、次のステップにより置換されてよい：端末は、第１指示情報及び／又は低電力消費を示すために使用される情報をネットワークデバイスへ送信する。あるいは、Ｓ１０１は、次のステップにより置換されてよい：端末は、第１時間領域オフセット１０１１及び／又は低電力消費を示すために使用される情報をネットワークデバイスへ送信する。あるいは、Ｓ１０１は、次のステップにより置換されてよい：端末は、第１指示情報及び／又は低電力消費情報をネットワークデバイスへ送信する。
【０２４７】
例えば、第１時間領域オフセット１０１１は、端末によって期待される最小時間領域オフセット、端末によって期待される最大時間領域オフセット、又は端末によって期待される時間領域オフセットインクリメントのうちの少なくとも１つであってよい。
【０２４８】
例えば、端末によって期待される時間領域オフセットインクリメントの値は、正の数又は負の数であってよい。端末によって期待される時間領域オフセットインクリメントが正の数である場合に、それは、端末が時間領域オフセットを増大させることを期待していることを示す。時間領域オフセットを増大させることは、端末が電力消費を低減することを期待している場合に当てはまる。
【０２４９】
端末によって期待される時間領域オフセットインクリメントが負の数である場合に、それは、端末が時間領域オフセットを低減させることを期待していることを示す。時間領域オフセットを低減させることは、端末がスケジューリング遅延を低減させることを期待している場合に当てはまる。
【０２５０】
端末の現在の時間領域リソース割り当てによって示される時間領域オフセットＣに、端末によって期待される時間領域オフセットインクリメントをプラスしたものは、端末によって期待される最小時間領域オフセット以上である。すなわち、端末によって期待される時間領域オフセットインクリメントは、端末によって期待される最小時間領域オフセットから、端末の現在の時間領域リソース割り当てによって示される時間領域オフセットＣを減じることによって、取得される。端末によって期待される時間領域オフセットインクリメントは、１つ以上の時間領域オフセットインクリメントを含んでよい、ことが理解され得る。
【０２５１】
代替的に、端末の現在の時間領域リソース割り当てテーブル／リストにおける最小時間領域オフセットに、端末によって期待される時間領域オフセットインクリメントをプラスしたものは、端末によって期待される最小時間領域オフセット以上である。
【０２５２】
代替的に、端末の現在の時間領域リソース割り当てによって示される時間領域オフセットＣに、端末によって期待される時間領域オフセットインクリメントをプラスしたものは、端末によって期待される最大時間領域オフセット以下である。すなわち、端末によって期待される時間領域オフセットインクリメントは、端末によって期待される最大時間領域オフセットから、端末の現在の時間領域リソース割り当てによって示される時間領域オフセットＣを減じることによって、取得される。端末によって期待される時間領域オフセットインクリメントは、１つ以上の時間領域オフセットインクリメントを含んでよい。代替的に、端末の現在の時間領域リソース割り当てテーブル／リストにおける最大時間領域オフセットに、端末によって期待される時間領域オフセットインクリメントをプラスしたものは、端末によって期待される最大時間領域オフセット以下である。
【０２５３】
本願のこの実施形態では、端末によって期待される時間領域オフセットインクリメントの値は、正の数又は負の数であってよい、ことが理解され得る。
【０２５４】
具体的に、端末の現在の時間領域リソース割り当てによって示される時間領域オフセットＣが、端末によって期待される最大時間領域オフセットよりも大きい場合に、端末によって期待される時間領域オフセットインクリメントは負の数である。端末の現在の時間領域リソース割り当てによって示される時間領域オフセットＣが、端末によって期待される最小時間領域オフセットよりも小さい場合に、端末によって期待される時間領域オフセットインクリメントは正の数である。
【０２５５】
留意されるべきは、端末が比較的に小さい時間領域オフセット（例えば、端末によって期待される最大時間領域オフセット以下の時間領域オフセット）を必要とする場合に、Ｓ１０１で低電力消費を示すために使用される情報は、低スケジューリング遅延を示すために使用される情報により置換されてよく、あるいは、端末が比較的に小さい時間領域オフセット期待していることを示すために使用される情報により置換されてよい。端末が、低スケジューリング遅延及び低電力消費の両方を満足する第１時間領域リソース割り当てを必要とする場合に、端末は、第１時間領域リソースを示すために使用される情報、低電力消費を示すために使用される情報、又は低スケジューリング遅延を示すために使用される情報のうちの１つ以上を送信してよい。例えば、端末は、端末によって期待される最小時間領域オフセットと、端末によって期待される最大時間領域オフセットとをネットワークデバイスへ送信する。あるいは、端末は、低電力消費を示すために使用される情報と、低スケジューリング遅延を示すために使用される情報とをネットワークデバイスへ送信する。
【０２５６】
現在の時間領域リソース割り当ては、端末のために事前に設定されてよく、あるいは、予め定義されてよく、あるいは、ネットワークデバイスによって端末へ送信されてよい。これは、本願のこの実施形態で限定されない。
【０２５７】
本願のこの実施形態では、時間領域オフセット又は時間領域オフセットインクリメントの時間単位は、スロット（slot）、シンボル（Symbol）、ミニスロット、サブフレーム、ミリ秒、などであってよい。
【０２５８】
Ｓ１０２．ネットワークデバイスは、端末によって送信される、第１時間領域オフセットを示すために使用される情報及び／又は低電力消費を示すために使用される情報を受信する。
【０２５９】
Ｓ１０３．ネットワークデバイスは、第１情報を端末へ送信し、このとき、第１情報は、第１時間領域リソース割り当てを決定するために使用されるか、あるいは、第１情報は、第１時間領域リソース割り当てによって示される時間領域オフセットを決定するために使用される。
【０２６０】
例えば、第１情報は、ＲＲＣメッセージであってよく、具体的には、ＲＲＣ再設定メッセージであってよい。第１情報は、代替的に、ＭＡＣ  ＣＥ又はＤＣＩであってよい。第１情報は、代替的に、ＲＲＣ接続確立メッセージ又はＲＲＣ接続再確立メッセージであってよい。
【０２６１】
具体的に、第１時間領域リソース割り当ては、１つ以上の時間領域リソース割り当てを含む。
【０２６２】
本願のこの実施形態では、第１時間領域リソース割り当てが１つ以上の時間領域リソース割り当てを含む場合に、第１時間領域リソース割り当ては、１つ以上の第３時間領域オフセット１０１３を示してよい。具体的に、１つ以上の時間領域リソース割り当ての夫々は、１つの第３時間領域オフセット１０１３を示す。
【０２６３】
本願のこの実施形態では、１つの時間領域リソース割り当ては、スロットオフセットＫ０及び／又は開始シンボルを含むか又はそれを示してよい。スロットオフセットは、ダウンリンクデータチャネルをスケジューリングするＤＣＩが位置しているスロットに対するオフセットであってよい。開始シンボルは、ダウンリンクデータチャネルが位置しているスロットの開始シンボルであってよい。
【０２６４】
時間領域リソース割り当ては、ダウンリンクデータチャネルをスケジューリングするＤＣＩの時間領域位置に対するダウンリンクデータチャネルの時間領域位置のオフセットを示してよく、端末は、時間領域リソース割り当てに基づいて、ダウンリンクデータチャネルをスケジューリングするＤＣＩの時間領域位置に対するダウンリンクデータチャネルの時間領域位置のオフセットを決定してよい、ことが理解され得る。代替的に、時間領域リソース割り当ては、ダウンリンクデータチャネルをスケジューリングするＤＣＩの時間領域リソースの開始位置に対するダウンリンクデータチャネルの時間領域リソースの開始位置のオフセットを示してよく、端末は、時間領域リソース割り当てに基づいて、ダウンリンクデータチャネルをスケジューリングするＤＣＩの時間領域リソースの開始位置に対するダウンリンクデータチャネルの時間領域リソースの開始位置のオフセットを決定してよい。代替的に、時間領域リソース割り当ては、ダウンリンクデータチャネルをスケジューリングするＤＣＩが位置しているスロットに対する、ダウンリンクデータチャネルが位置しているスロットのオフセットを示してよく、端末は、端末領域リソース割り当てに基づいて、ダウンリンクデータチャネルをスケジューリングするＤＣＩが位置しているスロットに対する、ダウンリンクデータチャネルが位置しているスロットのオフセットを決定してよい。代替的に、時間領域リソース割り当ては、ダウンリンクデータチャネルをスケジューリングするＤＣＩが位置しているスロットの開始に対するダウンリンクデータチャネルの開始シンボルのオフセットを示してよく、端末は、時間領域リソース割り当てに基づいて、ダウンリンクデータチャネルをスケジューリングするＤＣＩが位置しているスロットの開始に対するダウンリンクデータチャネルの開始シンボルのオフセットを決定してよい。代替的に、時間領域リソース割り当ては、ダウンリンクデータチャネルが位置しているスロットの開始に対するダウンリンクデータチャネルの開始シンボルのオフセットを示してよく、端末は、時間領域リソース割り当てに基づいて、ダウンリンクデータチャネルが位置しているスロットの開始に対するダウンリンクデータチャネルの開始シンボルのオフセットを決定してよい。
【０２６５】
留意されるべきは、本願のこの実施形態において時間領域リソース割り当てによって示される時間領域オフセットは、時間領域リソース割り当てに含まれる時間領域オフセットであってよい点である。このことはここで説明されており、詳細はその後に説明されない。
【０２６６】
例えば、第１時間領域リソース割り当てによって示される第３時間領域オフセット１０１３と、第１時間領域オフセット１０１１とは、場合１から場合５のうちの少なくとも１つを満足する。
【０２６７】
場合１：第１時間領域オフセット１０１１が、端末によって期待される最小時間領域オフセットである場合に、第３時間領域オフセット１０１３は、第１時間領域オフセット１０１１以上である。第３時間領域オフセット１０１３は、端末によって期待される最小時間領域オフセット以上であるように制限される。このようにして、ダウンリンクデータチャネルをスケジューリングするＤＣＩの時間領域位置とダウンリンクデータチャネルの時間領域リソースの開始位置との間のインターバルは増大可能であり、それによって端末の電力消費を低減する。
【０２６８】
場合２：第１時間領域オフセット１０１１が、端末によって期待される時間領域オフセットインクリメントである場合に、第３時間領域オフセット１０１３は、第１時間領域オフセット１０１１と第４時間領域オフセット１０１４との和以上である。第４時間領域オフセット１０１４は、端末の第２時間領域リソース割り当てによって示される時間領域オフセットである。
【０２６９】
場合３：第１時間領域オフセット１０１１が、端末によって期待される最小時間領域オフセット及び端末によって期待される最大時間領域オフセットである場合に、第３時間領域オフセット１０１３は、端末によって期待される最小時間領域オフセット以上であり、かつ、第３時間領域オフセット１０１３は、端末によって期待される最大時間領域オフセット以下である。このようにして、端末の電力消費のみが低減され得るだけでなく、スケジューリング遅延も低減され得る。
【０２７０】
場合４：第１時間領域オフセット１０１１が、端末によって期待される最大時間領域オフセットである場合に、第３時間領域オフセット１０１３は、端末によって期待される最大時間領域オフセット以下である。第３時間領域オフセット１０１３は、端末によって期待される最大時間領域オフセット以下であるように制限される。このようにして、スケジューリング遅延は低減可能である。
【０２７１】
留意されるべきは、端末が、端末によって期待される最大時間領域オフセットをネットワークデバイスへ送る場合に、端末は、低遅延を示すために使用される情報又は遅延プリファレンスを示すために使用される情報を送信するか、あるいは、低電力消費を示すために使用される情報を、端末がＳ１０１で電力消費を低減する必要がないことを示すために使用される情報により置換してよい点である。
【０２７２】
場合５：第１時間領域オフセット１０１１が、端末によって期待される時間領域オフセットインクリメントである場合に、第３時間領域オフセット１０１３は、第１時間領域オフセット１０１１と第４時間領域オフセット１０１４との和以下である。第４時間領域オフセット１０１４は、端末の第２時間領域リソース割り当てによって示される時間領域オフセットである。
【０２７３】
場合２と場合５との間の相違は、場合２が、第４時間領域オフセット１０１４が端末によって期待される最小時間領域オフセットよりも小さい場合に当てはまり、場合５が、第４時間領域オフセット１０１４が端末によって期待される最大時間領域オフセットよりも大きい場合に当てはまる点にある。場合２では、第４時間領域オフセット１０１４と、端末によって期待される時間領域オフセットインクリメントとに基づいて取得される第３時間領域オフセット１０１３は、端末によって期待される最小時間領域オフセット以上であってよい。場合５では、第４時間領域オフセット１０１４と、端末によって期待される時間領域オフセットインクリメントとに基づいて取得される第３時間領域オフセット１０１３は、端末によって期待される最大時間領域オフセット以下であってよい。
【０２７４】
留意されるべきは、ネットワークデバイスによって端末へ送信される第１時間領域リソース割り当ては、代替的に、場合１から場合５において第３時間領域オフセット１０１３を満足しなくてもよい点である。第１時間領域リソース割り当ては、複数の時間領域リソース割り当てを含み、第１時間領域リソース割り当てによって示される第３時間領域オフセット１０１３は、第１時間領域オフセット１０１１以上の第３時間領域オフセット１０１３を含んでよく、あるいは、第１時間領域オフセット１０１１よりも小さい第３時間領域オフセット１０１３を含んでもよい。
【０２７５】
Ｓ１０４．端末は、ネットワークデバイスによって送信された第１情報を受信する。
【０２７６】
本願のこの実施形態で提供される通信方法に従って、時間領域リソース割り当ては、通常は、ダウンリンクデータチャネルの時間領域リソースの開始位置を運ぶ。従って、端末は、第１時間領域オフセットを示すために使用される情報及び／又は低電力消費を示すために使用される情報をネットワークデバイスへ送信し、それにより、ＤＣＩの時間領域位置と、ネットワークデバイスによって端末のために設定された第１時間領域リソース割り当て又はネットワークが端末に決定するよう指示する第１時間領域リソース割り当てにおいて含まれる／指示される時間領域リソースの開始位置との間には、比較的に長いインターバルが存在する。端末の実際の実施では、端末は、ＤＣＩの時間領域位置とダウンリンクデータチャネルの時間領域リソースの開始位置との間のインターバルの値に基づいて、ＤＣＩの時間領域位置の後かつダウンリンクデータチャネルの時間領域リソースの開始位置の前の期間に種々のモジュールを無効化してよい。より多くの、無効化されたモジュールは、端末のより低い電力消費を示す。通常、ダウンリンクデータチャネルの時間領域リソースの開始位置とＤＣＩの時間領域位置との間のより長い時間領域インターバルは、ダウンリンクデータチャネルの時間領域リソースの開始位置とＤＣＩの時間領域位置との間の期間における端末のより低い電力消費を示す。
【０２７７】
第１時間領域オフセットを示すために使用される情報及び／又は低電力消費を示すために使用される情報を受信した後、ネットワークデバイスは、第１時間領域リソース割り当てを決定し、それから、第１情報を使用することによって第１時間領域リソース割り当てを端末へ送信してよい。その上、第１時間領域オフセットを示すために使用される情報及び／又は低電力消費を示すために使用される情報を受信した後、ネットワークデバイスは、第１情報を使用することによって、第１時間領域リソース割り当てを決定するよう端末に指示してよい。異なる場合では、具体的な実施は異なり、以下の実施形態で別々に説明される。
【０２７８】
例１：第１情報は、第１時間領域リソース割り当てを決定するよう端末に指示する。
【０２７９】
具体的に、端末は、第２時間領域リソース割り当てを有し、第２時間領域リソース割り当ては、予め定義されてよく（例えば、標準プロトコルで定義された時間領域リソース割り当てテーブル、又は標準プロトコルで定義された時間領域リソース割り当てテーブルにおける各行に対応する時間領域リソース割り当て）、あるいは、ネットワークデバイスから端末によって取得されてよい。
【０２８０】
第２時間領域リソース割り当てがネットワークデバイスから端末によって取得される場合に、図９に示されるように、本願のこの実施形態で提供される方法は、次のステップを更に含む。
【０２８１】
Ｓ１０５．ネットワークデバイスは、第３メッセージを端末へ送信し、このとき、第３メッセージは、第２時間領域リソース割り当てを含むか、あるいは、第３メッセージは、第２時間領域リソース割り当てを示すために使用される。
【０２８２】
Ｓ１０６．端末は、第３メッセージに基づいて第２時間領域リソース割り当てを取得する。
【０２８３】
例えば、Ｓ１０６は、次の様態で実装されてよい：第３メッセージに含まれている第２時間領域リソース割り当てを取得するよう第３メッセージをパースする。代替的に、Ｓ１０６は、次の様態で実装されてよい：第３メッセージに基づいて、時間領域リソース割り当てを示すために使用される情報を決定し、時間領域リソース割り当てを示すために使用される情報に基づいて、その情報によって示される第２時間領域リソース割り当てを決定する。
【０２８４】
任意に、Ｓ１０６を実行した後、第２時間領域リソース割り当てによって示される第４時間領域オフセット１０１４が前もってセットされた条件を満足しないと端末が決定する場合には、端末はＳ１０１を実行してよい。
【０２８５】
例えば、前もってセットされた条件は、次の１つ以上を含む。
【０２８６】
第２時間領域リソース割り当てによって示される全ての第４時間領域オフセット１０１４が、端末によって期待される最小時間領域オフセットよりも小さいこと、
第２時間領域リソース割り当てによって示される１つ以上の第４時間領域オフセットに含まれかつ端末によって期待される最小時間領域オフセットよりも小さい第４時間領域オフセット１０１４の数が、第１閾値よりも多いこと、
第２時間領域リソース割り当てによって全ての第４時間領域オフセット１０１４が、端末によって期待される最大時間領域オフセットよりも大きいこと、
第２時間領域リソース割り当てによって示される１つ以上の第４時間領域オフセットに含まれかつ端末によって期待される最大時間領域オフセットよりも大きい第４時間領域オフセット１０１４の数が、第１閾値よりも多いこと、又は
第２時間領域リソース割り当てによって示される第４時間領域オフセット１０１４が、端末によって期待される最大時間領域オフセットと端末によって期待される最小時間領域オフセットとの間にないこと。
【０２８７】
第１閾値は、端末によって決定されてよく、あるいは、端末のためにネットワークデバイスによって設定されてよい。これはここで限定されない。
【０２８８】
可能な実施において、図９に示されるように、Ｓ１０３は、具体的に、次の様態で実装されてよい：ネットワークデバイスは、第１時間領域リソース割り当てを決定するよう端末に指示するために使用される第１情報を端末へ送信する。
【０２８９】
例えば、第１情報は、第２指示情報を含んでよく、第２指示情報は、第１時間領域リソース割り当てを決定するよう端末に指示するために使用される。代替的に、第１情報は、第２時間領域オフセット１０１２を示すために使用される情報を含んでもよい。代替的に、第１情報は、第２指示情報と、第２時間領域オフセット１０１２を示すために使用される情報とを含む。このようにして、第１情報を受信した後、端末は、第１時間領域リソース割り当てを決定してよい。
【０２９０】
確かに、ネットワークデバイスが、第２指示情報と、第２時間領域オフセット１０１２を示すために使用される情報とを端末へ送信しない場合に、端末は、同様に、第１時間領域リソース割り当てを決定し得る。この場合に、端末は、第２時間領域リソース割り当て及び予め定義された第２時間領域オフセット１０１２に基づいて、又は第１時間領域オフセットに基づいて、第１時間領域リソース割り当てを取得し得る。
【０２９１】
図９に示されるように、本願のこの実施形態で提供される方法は、次のステップを更に含む。
【０２９２】
Ｓ１０７．端末は、第２時間領域リソース割り当て及び第２時間領域オフセット１０１２に基づいて第１時間領域リソース割り当てを決定する。
【０２９３】
具体的に、第２時間領域リソース割り当てによって示される時間領域オフセットは、第１時間領域リソース割り当てによって示される時間領域オフセットとは異なる。第２時間領域リソース割り当てによって示される時間領域オフセットが、第１時間領域リソース割り当てによって示される時間領域オフセットとは異なることは、第１時間領域リソース割り当てによって示されるスロットオフセットが、第２時間領域リソース割り当てによって示されるスロットオフセットとは異なること、又は第１時間領域リソース割り当てによって示される開始シンボルが、第２時間領域リソース割り当てによって示される開始シンボルとは異なること、又は第１時間領域リソース割り当てによって示される開始シンボルが、第２時間領域リソース割り当てによって示される開始シンボルとは異なり、かつ、第１時間領域リソース割り当てによって示されるスロットオフセットが、第２時間領域リソース割り当てによって示されるスロットオフセットとは異なることを意味し得る。
【０２９４】
例えば、第１時間領域リソース割り当ては、スロットオフセット１と、開始シンボルとなる第３シンボルとを含み、第２時間領域リソース割り当ては、スロットオフセット０と、開始シンボルとなる第２シンボルとを含む。
【０２９５】
例えば、第１情報が第２指示情報を含むが、第２時間領域オフセット１０１２を示すために使用される情報を含まない場合に、第２時間領域オフセット１０１２は、予め定義された時間領域オフセットであってよく、あるいは、第２時間領域オフセット１０１２は、第１時間領域オフセット１０１１である。
【０２９６】
例えば、第１情報が、第２時間領域オフセット１０１２を示すために使用される情報を含む場合に、第２時間領域オフセット１０１２は、第１情報によって示される時間領域オフセットであるか、あるいは、第２時間領域オフセット１０１２は、第１情報によって示される時間領域オフセットインクリメントである。
【０２９７】
更に、本願のこの実施形態は、ネットワークデバイスが、第１時間領域オフセットを示すために使用される情報及び／又は低電力消費を示すために使用される情報に基づいて第２時間領域オフセット１０１２を決定することを更に含む。
【０２９８】
方法ａ：第１時間領域オフセットを示すために使用され、ネットワークによって受信される情報が、端末によって期待される最大時間領域オフセットである場合に、第２時間領域リソース割り当てによって示される１つ以上の第４時間領域オフセット１０１４が、端末によって期待される最大時間領域オフセットよりも大きいならば、ネットワークデバイスは、それらの１つ以上の第４時間領域オフセット１０１４と、端末によって期待される最大時間領域オフセットとに基づいて、第２時間領域オフセット１０１２を決定し得る。この場合に、第２時間領域オフセット１０１２は、１つ以上の時間領域オフセットインクリメントを含む。具体的に、ネットワークデバイスは、１つ以上の第４時間領域オフセット１０１４の夫々から、端末によって期待される最大時間領域オフセットを減じることによって、第２時間領域オフセット１０１２を取得し得る。
【０２９９】
例えば、時間領域オフセットは、開始シンボルで表現される。端末によって期待される最大時間領域オフセットは３シンボルである、と仮定される。この場合に、第４時間領域オフセット１０１４が５シンボルであるならば、ネットワークデバイスは、第２時間領域オフセット１０１２が２シンボルであると決定し得る。第４時間領域オフセット１０１４が６シンボルである場合には、ネットワークデバイスは、第２時間領域オフセット１０１２が３シンボルであると決定し得る。
【０３００】
更に、１つ以上の第４時間領域オフセット１０１４の中の最大の第４時間領域オフセット１０１４と、端末によって期待される最大時間領域オフセットとの間の差が、１つ以上の第４時間領域オフセット１０１４の中の最小の第４時間領域オフセット１０１４よりも大きい場合には、ネットワークデバイスは、第２時間領域オフセット１０１２が、その最大の第４時間領域オフセット１０１４と端末によって期待される最大時間領域オフセットとの間の差であると決定してよい。
【０３０１】
例えば、時間領域オフセットは、スロットオフセットで表現される。端末によって期待される最大時間領域オフセットが１スロットであり、第４時間領域オフセット１０１４がゼロスロットである場合に、ネットワークデバイスは、第２時間領域オフセット１０１２が１スロットであると決定し得る。
【０３０２】
例えば、時間領域オフセットは、開始シンボルで表現される。端末によって期待される最大時間領域オフセットはＭシンボルである、と仮定される。この場合に、第４時間領域オフセット１０１４がＮシンボルであるならば、ネットワークデバイスは、第２時間領域オフセット１０１２が２シンボルであると決定し得る。第４時間領域オフセット１０１４が６シンボルである場合には、ネットワークデバイスは、第２時間領域オフセット１０１２が３シンボルであると決定し得る。
【０３０３】
留意されるべきは、端末によって期待され、端末によって送信される最大時間領域オフセットは、スロットオフセットＫ０及び開始シンボルオフセットの両方を含んでよい点である。
【０３０４】
例えば、端末によって期待される最大スロットオフセットＫ０は１スロットであり、開始シンボルは３番目のシンボル（例えば、シンボル２）である。第４時間領域オフセット１０１４が２シンボル（例えば、シンボル１）であり、第４時間領域オフセット１０１４がスロット０に位置する場合に、ネットワークデバイスは、第２時間領域オフセット１０１２が１スロットかつ１シンボルであると決定し得る。
【０３０５】
具体的に、本願のこの実施形態におけるスロットは、１４個のシンボル、例えば、シンボル０から１３を含んでよい。１つのスロットは、１２個のシンボル又は他の数量のシンボルを代替的に含んでもよい。これは本願で限定されない。
【０３０６】
方法ｂ：ネットワークデバイスが、端末によって期待される最小時間領域オフセットを受信する場合に、第２時間領域リソース割り当てによって示される１つ以上の第４時間領域オフセット１０１４が、端末によって期待される最小時間領域オフセットよりも小さいならば、ネットワークデバイスは、それらの１つ以上の第４時間領域オフセット１０１４の中の最小の第４時間領域オフセット１０１４と、端末によって期待される最小時間領域オフセットとに基づいて、第２時間領域オフセット１０１２を決定してよい。この場合に、第２時間領域オフセット１０１２は、時間領域オフセットインクリメントである。確かに、ネットワークデバイスは、代替的に、１つ以上の第４時間領域オフセット１０１４の夫々と、端末によって期待される最小時間領域オフセットとに基づいて、第２時間領域オフセット１０１２を決定してもよい。
【０３０７】
具体的に、ネットワークデバイスは、端末によって期待される最小時間領域オフセットから最小の第４時間領域オフセット１０１４を減じることによって、第２時間領域オフセット１０１２を取得してよい。
【０３０８】
ネットワークデバイスが、端末によって期待される最小時間領域オフセットと、端末によって期待される最大時間領域オフセットとを受信する場合に、ネットワークデバイスが第２時間領域オフセット１０１２を決定する方法については、上記の方法ａ及びｂを参照されたい。詳細はここで再び説明されない。
【０３０９】
ネットワークデバイスは、第１時間領域オフセット１０１１に基づいて第２時間領域オフセット１０１２を更に決定してもよい。決定方法については、ネットワークデバイスが、端末によって期待される最小時間領域オフセットに基づいて第２時間領域オフセット１０１２を決定する上記の方法を参照されたい。例えば、第１時間領域オフセット１０１１が、端末によって期待される最小時間領域オフセットである場合に、ネットワークデバイスは、上記の方法ｂで第２時間領域オフセット１０１２を決定してよい。
【０３１０】
方法ｃ：第１時間領域オフセットを示すために使用され、ネットワークデバイスによって受信される情報が、端末によって期待される時間領域オフセットインクリメントである場合に、ネットワークデバイスは、第２時間領域オフセット１０１２が端末によって期待される時間領域オフセットインクリメントであることを決定し得る。
【０３１１】
方法ｄ：第１時間領域オフセットを示すために使用され、ネットワークデバイスによって受信される情報が、低電力消費を示すために使用される情報／低スケジューリング遅延を示すために使用される情報である場合に、ネットワークデバイスは、第２時間領域オフセット１０１２が予め定義された時間領域オフセットであることを決定し得る。
【０３１２】
例えば、Ｓ１０７は、具体的に、次の方法で実装されてよい。
【０３１３】
方法１−１：第１時間領域リソース割り当ては、第２時間領域リソース割り当てにおける目標時間領域リソース割り当てを含む。すなわち、端末は、第１情報に基づいて第２時間領域リソース割り当てから目標時間領域リソース割り当てを選択し得る。
【０３１４】
可能な実施において、目標時間領域リソース割り当てによって示される第５時間領域オフセット１０１５は、第２時間領域オフセット１０１２以上である。
【０３１５】
例Ａでは、目標時間領域リソース割り当てによって示される第５時間領域オフセット１０１５は、第２時間領域オフセット１０１２以上である。第１時間領域リソース割り当てによって示される１つ以上の第３時間領域オフセット１０１３の中の最小値が第２時間領域オフセット１０１２であることも理解され得る。例Ａは、第２時間領域オフセット１０１２が端末によって期待される最小時間領域オフセットである場合に当てはまる。
【０３１６】
すなわち、第１時間領域リソース割り当ては、第２時間領域リソース割り当ての全体集合又は部分集合である。つまり、ネットワークデバイス又は端末によって使用され得る第１時間領域リソース割り当ては、端末によって期待される最小時間領域オフセット以上の時間領域オフセットを示す、第２時間領域リソース割り当ての中の時間領域リソース割り当てである。
【０３１７】
例えば、第２時間領域リソース割り当ては、表１に示される時間領域リソース割り当てテーブルである。例えば、第１時間領域オフセット１０１１が７シンボルである場合に、第１時間領域リソース割り当ては、表１の行インデックス６、行インデックス１０、行インデックス１１、及び行インデックス１６に対応する時間領域リソース割り当てであってよい。
【０３１８】
他の可能な実施では、第５時間領域オフセット１０１５は、第２時間領域オフセット１０１２以下である。
【０３１９】
例Ｂでは、目標時間領域リソース割り当てによって示される第５時間領域オフセット１０１５は、第２時間領域オフセット１０１２以下である。第１時間領域リソース割り当てによって示される１つ以上の第３時間領域オフセット１０１３の中の最大値が第２時間領域オフセット１０１２であることも理解され得る。例Ｂは、第２時間領域オフセット１０１２が端末によって期待される最大時間領域オフセットである場合に当てはまる。
【０３２０】
例えば、第２時間領域リソース割り当ては、表１に示される時間領域リソース割り当てテーブルである。例えば、第１時間領域オフセット１０１１が７シンボルである場合に、第１時間領域リソース割り当ては、表１の行インデックス１から行インデックス５、行インデックス７から行インデックス９、及び行インデックス１２から行インデックス１５に対応する時間領域リソース割り当てであってよい。
【０３２１】
例Ｃでは、ネットワークデバイス又は端末によって使用され得る第１時間領域リソース割り当ては、端末によって期待される最小時間領域オフセット以上でありかつ端末によって期待される最大時間領域オフセット以下である時間領域オフセットを示す、第２時間領域リソース割り当ての中の時間領域リソース割り当てである。例Ｃは、第２時間領域オフセット１０１２が、端末によって期待される最小時間領域オフセット及び端末によって期待される最大時間領域オフセットである場合に当てはまる。
【０３２２】
例えば、第２時間領域リソース割り当ては、表１に示される時間領域リソース割り当てテーブルである。例えば、端末によって期待される最小時間領域オフセットが６シンボルでありかつ端末によって期待される最大時間領域オフセットが９シンボルである場合に、第１時間領域リソース割り当ては、表１の行インデックス６、行インデックス７、行インデックス１０、及び行インデックス１６に対応する時間領域リソース割り当てであってよい。
【０３２３】
方法１−２：第１時間領域リソース割り当てによって示される第３時間領域オフセット１０１３は、第４時間領域オフセット１０１４及び第２時間領域オフセット１０１２に基づいて取得される。第４時間領域オフセットは、第２時間領域リソース割り当てによって示される時間領域オフセットである。
【０３２４】
端末は、第２時間領域リソース割り当てによって示される時間領域オフセットに第２時間領域オフセット１０１２を加えることによって、第１時間領域リソース割り当てによって示される時間領域オフセットを取得し得る、ことが理解され得る。
【０３２５】
例えば、方法１−２は、次の方法１−２１から１−２３で具体的に実装されてよい。
【０３２６】
方法１−２１：第３時間領域オフセット１０１３は、第４時間領域オフセット１０１４に第２時間領域オフセット１０１２をプラスしたものである。
【０３２７】
具体的に、方法１−２１では、第３時間領域オフセット１０１３は、端末によって期待される最小時間領域オフセット以上であり得る。
【０３２８】
例えば、方法１−２１は、第２時間領域オフセット１０１２が、端末によって期待される時間領域オフセットインクリメント、又は第１情報によって示される時間領域オフセットインクリメントである場合に当てはまる。
【０３２９】
例えば、第２時間領域リソース割り当ては、表１に示される時間領域リソース割り当てテーブルである。第２時間領域オフセット１０１２が１スロットである場合に、表１に示される時間領域リソース割り当てテーブルにおける各行に対応する時間領域リソース割り当てによって示される時間領域オフセットに１スロットをプラスしたものが、第１時間領域リソース割り当てによって示されるオフセットである。表１に示される時間領域リソース割り当てテーブルにおける各行に対応する時間領域リソース割り当てにおけるＫ０に１スロットをプラスしたものは、第１時間領域リソース割り当てである、ことが理解され得る。表２は、表の形で存在する第１時間領域リソース割り当てを示す。第１時間領域リソース割り当てが複数の時間領域リソース割り当てを含む場合に、第１時間領域リソース割り当ては、第１時間領域リソース割り当てリスト又は第１時間領域リソース割り当てテーブルであってよい、ことが理解され得る。
【表２】
2021536199.tif 000004
【０３３０】
方法１−２２：第３時間領域オフセット１０１３は、第４時間領域オフセット１０１４に第２時間領域オフセット１０１２をプラスしたものから、第２時間領域リソース割り当てによって示される最小時間領域オフセットをマイナスしたものである。
【０３３１】
例えば、第２時間領域リソース割り当ては、表１に示される時間領域リソース割り当てテーブルであり、第２時間領域リソース割り当てによって示される最小時間領域オフセットは、１シンボルである。例えば、第２時間領域オフセット１０１２が３シンボルである場合に、表１に示される時間領域リソース割り当てテーブルにおける各行に対応する第２時間領域リソース割り当てによって示される時間領域オフセットに３シンボルをプラスしたものから１シンボルをマイナスしたものが、第１時間領域リソース割り当てによって示される時間領域オフセットである。表１に示される時間領域リソース割り当てテーブルにおける各行に対応する第２時間領域リソース割り当てにおけるＳに３シンボルをプラスしたものから１シンボルをマイナスしたものは、第１時間領域リソース割り当てである、ことが理解され得る。これは表３に示される。
【表３】
2021536199.tif 000005
【０３３２】
方法１−２３：第３時間領域オフセット１０１３は、第４時間領域オフセット１０１４から第２時間領域オフセット１０１２をマイナスしたものである。
【０３３３】
例えば、端末によって期待される最大時間領域オフセットは９シンボルであり、表１に示される行インデックス６、行インデックス１０、行インデックス１１、及び行インデックス１６によって示される第４時間領域オフセット１０１４は全て、９シンボルよりも大きい。従って、端末は、行インデックス６、行インデックス１０、行インデックス１１、及び行インデックス１６によって示される第４時間領域オフセット１０１４の夫々から１つの第２時間領域オフセット１０１２を減じてよく、それにより、最終的に得られる第３時間領域オフセット１０１３は、端末によって期待される最大時間領域オフセット以下である。
【０３３４】
留意されるべきは、ネットワークデバイスが第２時間領域オフセット１０１２を端末に示す場合に、ネットワークデバイスは、端末へインジケータを更に送信してもよい点である。インジケータは、端末が第４時間領域オフセット１０１４から第２時間領域オフセット１０１２を減じるか、又は第４時間領域オフセット１０１４に第２時間領域オフセット１０１２を加えるかどうかを示すために使用される。
【０３３５】
例えば、第２時間領域オフセット１０１２を示すために使用される情報を送信する場合に、ネットワークデバイスは、第１インジケータ又は第２インジケータを更に運ぶ。第１インジケータは、第４時間領域オフセット１０１４から第２時間領域オフセット１０１２を減じるよう指示するために使用され、第２インジケータは、第４時間領域オフセット１０１４に第２時間領域オフセット１０１２を加えるよう指示するために使用される。
【０３３６】
留意されるべきは、端末が第２時間領域リソース割り当てを有する場合に、Ｓ１０１は省略されてよい点である。具体的に言えば、端末は、第１時間領域オフセットを示すために使用される情報及び／又は低電力消費を示すために使用される情報をネットワークデバイスへ送信する必要がなく、ネットワークデバイスは、第１情報を端末へ送信することを決定してよい。第１情報は、第２時間領域オフセットを含むか、あるいは、第１情報は、第２時間領域オフセット１０１２を示すために使用され、それにより、端末は、第２時間領域リソース割り当て及び第２時間領域オフセット１０１２に基づいて、第１時間領域リソース割り当てを決定する。
【０３３７】
留意されるべきは、端末又はネットワークデバイスが第２時間領域リソース割り当て又は第２時間領域オフセット１０１２に基づいて第１時間領域リソース割り当てを取得するかどうかにかかわらず、取得された第１時間領域リソース割り当てにおける第３時間領域オフセット１０１３の時間領域リソースの開始位置は、第２時間領域リソース割り当てによって示される第４時間領域オフセット１０１４の時間領域リソースの開始位置とは、具体的に、スロットオフセット、又は開始シンボル、又はスロットオフセット及び開始シンボルの両方において異なる点である。
【０３３８】
例えば、第４時間領域オフセット１０１４は、開始シンボルとなる第３シンボルと、スロットオフセット０を含む、と仮定される。この場合に、第２時間領域オフセット１０１２が時間領域オフセットインクリメントを示し、第２時間領域オフセット１０１２の開始シンボルインクリメントは３シンボルであり、スロットオフセットインクリメントは１スロットであるならば、ネットワークデバイス又は端末が第１時間領域リソース割り当てを決定するかどうかにかかわらず、上記の方法でネットワークデバイス又は端末によって最終的に決定される第１時間領域リソース割り当てによって示される第３時間領域オフセット１０１３は、開始シンボルとなる第６シンボルと、スロットオフセット１を含み得る。
【０３３９】
例１において端末によって第１時間領域リソース割り当てを決定する全てのプロセスは、ネットワークデバイスによっても実行されてよい。
【０３４０】
例２：ネットワークデバイスが第１時間領域リソース割り当てを決定する。
【０３４１】
可能な実施において、図１０に示されるように、Ｓ１０３の前に、本願のこの実施形態で提供される方法は、次のステップを更に含む。
【０３４２】
Ｓ１０８．ネットワークデバイスは、第１時間領域オフセットを示すために使用される情報及び／又は低電力消費を示すために使用される情報に基づいて第１時間領域リソース割り当てを決定する。
【０３４３】
相応して、Ｓ１０３の後、本願のこの実施形態で提供される方法は、次の：Ｓ１０９．端末が第１情報に基づいて第１時間領域リソース割り当てを決定する、ステップを更に含む。
【０３４４】
例えば、Ｓ１０８は、次の方法で実施されてよい。
【０３４５】
第１の可能な実施では、ネットワークデバイスは、端末によって期待され端末によって送信される最小時間領域オフセットを受信するか、あるいは、端末によって送信される、端末によって期待される最小時間領域オフセット及び低電力消費を示すために使用される情報を受信する。この場合に、ネットワークデバイスは、第１時間領域リソース割り当てによって示される第３時間領域オフセット１０１３が、端末によって期待される最小時間領域オフセット以上であるように、端末によって期待される最小時間領域オフセットに基づいて端末のために第１時間領域リソース割り当てを設定してよい。
【０３４６】
ネットワークデバイスは、第１時間領域リソース割り当てに含まれる１つ以上の時間領域リソース割り当ての夫々によって示される第３時間領域オフセット１０１３が、端末によって期待される最小時間領域オフセット以上であるように、端末によって期待される最小時間領域オフセットに基づいて端末のために第１時間領域リソース割り当てを設定してよい、ことが理解され得る。
【０３４７】
例えば、端末によって期待される最小時間領域オフセットが３シンボルである場合に、端末のためにネットワークデバイスによって選択され得る第１時間領域リソース割り当てによって示される第３時間領域オフセット１０１３は、３シンボル以上である。
【０３４８】
ネットワークデバイスが、端末によって期待され端末によって送信差ｒセル最大時間領域オフセットを受信するか、あるいは、端末によって送信される、端末によって期待される最大時間領域オフセット及び低スケジューリング遅延を示すために使用される情報を受信する場合に、ネットワークデバイスは、第１時間領域リソース割り当てによって示される第３時間領域オフセット１０１３が、端末によって期待される最大時間領域オフセット以下であるように、端末によって期待される最大時間領域オフセットに基づいて端末のために第１時間領域リソース割り当てを設定してよい。
【０３４９】
ネットワークデバイスが、端末によって送信される、端末によって期待される最大時間領域オフセット及び端末によって期待される最小時間領域オフセットを受信する場合に、ネットワークデバイスは、第１時間領域リソース割り当てによって示される第３時間領域オフセット１０１３が、端末によって期待される最大時間領域オフセット以下であり、かつ、端末によって期待される最小時間領域オフセット以上であるように、端末によって期待される最大時間領域オフセット及び端末によって期待される最小時間領域オフセットに基づいて端末のために第１時間領域リソース割り当てを設定してよい。
【０３５０】
代替的に、ネットワークデバイスが第２時間領域リソース割り当てを有する場合に、ネットワークデバイスは、第２時間領域リソース割り当て及び第２時間領域オフセットに基づいて、第１時間領域リソース割り当てを決定してよい。具体的な実施については、Ｓ１０７における具体的な実施を参照されたい。詳細は、ここで再び説明されない。
【０３５１】
第２の可能な実施では、ネットワークデバイスが、端末によって送信される、端末によって期待される時間領域オフセットインクリメント及び／又は低電力消費を示すために使用される情報を受信する場合に、ネットワークデバイスは、第２時間領域リソース割り当て及び第２時間領域オフセット１０１２に基づいて、第１時間領域リソース割り当てを決定してよい。第２時間領域リソース割り当ては、ネットワークデバイス及び端末における時間領域リソース割り当てである。
【０３５２】
例えば、第２時間領域オフセット１０１２は、端末によって期待される時間領域オフセットインクリメントであってよく、あるいは、予め定義された時間領域オフセットであってよく、あるいは、予め定義された時間領域オフセットインクリメントであってよい。
【０３５３】
方法１：ネットワークデバイスは、第１時間領域リソース割り当てによって示されるが、第２時間領域リソース割り当てによって示される第４時間領域オフセット１０１４と、端末によって期待される時間領域オフセットインクリメント／予め定義された時間領域オフセットインクリメントとの和以上であるように、端末によって期待される時間領域オフセットインクリメント又は予め定義された時間領域オフセットインクリメントに基づいて、端末のために第１時間領域リソース割り当てを設定してよい。
【０３５４】
この場合に、第１時間領域リソース割り当ては、第２時間領域リソース割り当てによって示される第４時間領域オフセット１０１４に、端末によって期待される時間領域オフセットインクリメント又は予め定義された時間領域オフセットインクリメントを加えることによって、取得され得る、ことが理解され得る。
【０３５５】
ネットワークデバイスは、第１時間領域リソース割り当てに含まれる各時間領域リソース割り当てによって示される第３時間領域オフセット１０１３が、第２時間領域リソース割り当てによって示される最小の時間領域オフセットと、端末によって期待される時間領域オフセットインクリメント／予め定義された時間領域オフセットインクリメントとの和以上であることができるように、端末によって期待される時間領域オフセットインクリメント又は予め定義された時間領域オフセットインクリメントに基づいて、端末のために第１時間領域リソース割り当てを設定してよい、ことが理解され得る。
【０３５６】
ネットワークデバイスは、第１時間領域オフセット１０１１に基づいて第１時間領域リソース割り当てを更に決定してもよい。決定方法については、ネットワークデバイスが、端末によって期待される最小時間領域オフセット又は端末によって期待される時間領域オフセットインクリメントに基づいて第１時間領域リソース割り当てを決定する上記の方法を参照されたい。
【０３５７】
例２では、第１情報は、第１時間領域リソース割り当てを含んでよく、あるいは、第１情報は、第１時間領域リソース割り当てを示すために使用される。この場合に、Ｓ１０９は、具体的に、次の方法で実施されてよい：端末は、第１情報から第１時間領域リソース割り当てを決定してよい。
【０３５８】
第３の可能な実施では、第１情報は、具体的に、第１周波数領域リソース（例えば、ＢＷＰ）へハンドオーバーするよう端末に指示するために使用される。この場合に、Ｓ１０９は、具体的に、次の方法で実施されてよい：端末は、第１周波数領域リソースに対応する時間領域リソース割り当てを第１時間領域リソース割り当てとして決定する。
【０３５９】
ネットワークデバイスは、端末のために複数の周波数領域リソースを設定してよく、複数の周波数領域リソースの夫々は、１つの時間領域リソース割り当てに対応する、ことが理解され得る。ネットワークデバイスは、端末によって使用されるべき周波数領域リソースを動的に示してよい。
【０３６０】
具体的に、端末が第１情報に基づいて第１周波数領域リソースへハンドオーバーした後、端末がＤＣＩを受信するならば、端末は、第１時間領域リソース割り当てに基づいて第１周波数領域リソースで、ＤＣＩによってスケジューリングされたダウンリンクデータチャネルを受信する。
【０３６１】
具体的に、ネットワークデバイスは、第１の可能な実施及び第２の可能な実施において、複数の周波数領域リソースの全てに対応する時間領域リソース割り当てから第１時間領域リソース割り当てを決定してよく、それから、ネットワークデバイスは、端末に対して、第１周波数領域リソースへハンドオーバーするよう端末に指示するために使用される第１情報を送信する。このようにして、端末は、第１周波数領域リソースに対応する時間領域リソース割り当てを第１時間領域リソース割り当てとして決定し得る。
【０３６２】
留意されるべきは、第１時間領域リソース割り当てが第１周波数領域リソースに対応する時間領域リソース割り当てであるとネットワークデバイスが決定する場合に、ネットワークデバイスは、第１周波数領域リソースに対応する時間領域リソース割り当てを端末へ送信し、次いで、端末に対して、第１周波数領域リソースへのハンドオーバーのための指示を送信してよい点である。
【０３６３】
可能な実施において、本願のこの実施形態で提供される方法は、端末が第１時間領域リソース割り当てに基づいてダウンリンクデータチャネルを受信することを更に含む。
【０３６４】
これは、具体的に、端末が、第１時間領域リソース割り当てと、ＤＣＩに含まれる時間領域リソース割り当てフィールドとに基づいて、ＤＣＩによってスケジューリングされたダウンリンクデータチャネルを受信することを含んでよい。
【０３６５】
具体的に、本願のこの実施形態における第１時間領域リソース割り当ては、１つ以上の時間領域リソース割り当てを含んでよい。例えば、第１時間領域リソース割り当てが表２又は表３に示される場合に、複数の時間領域リソース割り当ては、行インデックス０から１６によって示される時間領域リソース割り当てであってよい。
【０３６６】
第１端末は、時間領域リソース割り当てに基づいて第１インデックスを決定し、第１インデックスに基づいて第１時間領域リソース割り当てから、第１インデックスに対応する時間領域リソース割り当てを決定し、第１インデックスに対応する時間領域リソース割り当てに含まれているスロットオフセット、開始シンボル、及び長さに基づいて、第１ＤＣＩによってスケジューリングされたダウンリンクデータチャネルを受信する。
【０３６７】
結論として、実施形態１は、端末によって第１時間領域リソース割り当てを取得するプロセスについて主に説明する。端末が２つ以上の時間領域リソース割り当て（例えば、第１時間領域リソース割り当て及び第２時間領域リソース割り当て）を有する場合に、端末は、実施形態２に基づいて、ネットワークによって送信されたダウンリンクデータチャネルを受信するために使用される時間領域リソース割り当てを更に決定してよい。詳細については、実施形態２における説明を参照されたい。詳細はここで説明されない。すなわち、実施形態１及び実施形態２は、組み合わせて使用されてよく、あるいは、実施形態１及び実施形態２は、別々に実施されてもよい。
【０３６８】
実施形態２
図１１に示されるように、本願の実施形態は、ダウンリンクデータチャネル受信方法を提供する。方法は次のステップを含む。
【０３６９】
Ｓ２０１．端末は、ダウンリンクデータチャネルの第１時間領域リソース割り当て及び第２時間領域リソース割り当てを取得し、このとき、第２時間領域リソース割り当ては第１時間領域リソース割り当てとは異なる。
【０３７０】
可能な実施において、端末は、ネットワークデバイスから第１時間領域リソース割り当て及び第２時間領域リソース割り当てを取得してよい。具体的なプロセスについては、実施形態１における説明を参照されたい。
【０３７１】
他の可能な実施では、端末は、予め定義された時間領域リソース割り当て、例えば、標準プロトコルで定義されたＰＤＳＣＨ時間領域リソース割り当て、又は標準プロトコルで定義されたＰＤＳＣＨ時間領域リソース割り当てテーブルにおける各行に対応するＰＤＳＣＨ時間領域リソース割り当てから、第１時間領域リソース割り当て及び第２時間領域リソース割り当てを取得してよい。
【０３７２】
更なる他の可能な実施では、端末は、予め定義された時間領域リソース割り当てから第１時間領域リソース割り当て及び第２時間領域リソース割り当ての一方を取得し、そして、ネットワークデバイスから第１時間領域リソース割り当て及び第２時間領域リソース割り当ての他方を取得する。
【０３７３】
本願のこの実施形態において、端末がネットワークデバイスから第１時間領域リソース割り当て及び第２時間領域リソース割り当てを取得するプロセスについては、実施形態１
における説明を参照されたい。詳細は、ここで再び説明されない。
【０３７４】
例えば、第２時間領域リソース割り当てによって示される時間領域オフセットは、第１時間領域リソース割り当てによって示される時間領域オフセットとは異なる。具体的に、端末が第１時間領域リソース割り当てを使用することによってダウンリンクデータチャネルを受信する場合に生じる電力消費は、端末が第２時間領域リソース割り当てを使用することによってダウンリンクデータチャネルを受信する場合に生じる電力消費よりも少ない。
【０３７５】
例えば、第１時間領域リソース割り当てによって示される時間領域オフセットは、第２時間領域リソース割り当てによって示される時間領域オフセットよりも大きい。
【０３７６】
例えば、第１時間領域リソース割り当てによって示される時間領域オフセットは、スロットオフセット１と、開始シンボルとなる第３シンボルとを含み、第２時間領域リソース割り当てによって示される時間領域オフセットは、スロットオフセット０と、開始シンボルとなる第２シンボルとを含む。
【０３７７】
Ｓ２０２．第１条件が満足される場合に、ネットワークデバイスは、第１ダウンリンク制御情報を端末へ送信し、第１時間領域リソース割り当てに基づいて、第１ＤＣＩによってスケジューリングされたダウンリンクデータチャネルを端末へ送信し、このとき、第１条件は、第１タイマが実行中でないことを含む。
【０３７８】
本願のこの実施形態におけるタイマは、次の記述に当てはまる：タイマが開始されると、タイマは、タイマが停止又は終了するまで作動する。タイマが開始されない場合に、タイマは実行中でない。タイマが実行中でない場合に、タイマは開始され得る。タイマが実行中である場合には、タイマは再開され得る。タイマの値は、タイマが開始又は再開されるときのタイマの初期値である。タイマの時間長さは、タイマが開始される時点から連続して作動してタイマが終了する時点までの時間長さ、又はタイマが再開される時点から連続して作動してタイマが終了する時点までの時間長さとして理解され得る。
【０３７９】
Ｓ２０３．第１条件が満足される場合に、端末がネットワークデバイスによって送信された第１ダウンリンク制御情報ＤＣＩを受信するならば、端末は、第１時間領域リソース割り当てに基づいて、第１ＤＣＩによってスケジューリングされたダウンリンクデータチャネルを受信する。
【０３８０】
例えば、第１時間領域リソース割り当てによって示される時間領域オフセットは、１スロットである。第１条件が満足される場合に、ネットワークデバイスがスロット０で第１ＤＣＩを送信するならば、端末は、スロット１で、第１ＤＣＩによってスケジューリングされたダウンリンクデータチャネルを受信する。
【０３８１】
端末が、第１時間領域リソース割り当てに基づいて、第１ＤＣＩによってスケジューリングされたダウンリンクデータチャネルを受信することは、端末が、第１時間領域リソース割り当てと、第１ＤＣＩに含まれる時間領域リソース割り当てフィールドとに基づいて、第１ＤＣＩによってスケジューリングされたダウンリンクデータチャネルを受信することを含んでよい。
【０３８２】
具体的に、本願のこの実施形態では、時間領域リソース割り当てＡが複数の時間領域リソース割り当てを含み得る場合に、時間領域リソース割り当てＡは、テーブル又はカテゴリの形を取ってよい。例えば、第１時間領域リソース割り当てが表２又は表３に示される場合に、複数の時間領域リソース割り当ては、行インデックス０から１６によって示される時間領域リソース割り当てであってよい。
【０３８３】
第１端末は、時間領域リソース割り当てに基づいて第１インデックスを決定し、第１インデックスに基づいて第１時間領域リソース割り当てから、第１インデックスに対応する時間領域リソース割り当てを決定し、第１インデックスに対応する時間領域リソース割り当てに含まれているスロットオフセット、開始シンボル、及び長さに基づいて、第１ＤＣＩによってスケジューリングされたダウンリンクデータチャネルを受信する。
【０３８４】
Ｓ２０４．第２条件が満足される場合に、ネットワークデバイスは第２ＤＣＩを端末へ送信し、端末に対して、第２時間領域リソース割り当てに基づいて、第２ＤＣＩによって示されたダウンリンクデータチャネルを送信し、このとき、第２条件は、第１タイマが実行中であることを含む。
【０３８５】
Ｓ２０５．第２条件が満足される場合に、端末がネットワークデバイスによって送信された第２ＤＣＩを受信するならば、端末は、第２時間領域リソース割り当てに基づいて、第２ＤＣＩによって示されたダウンリンクデータチャネルを受信し、このとき、第２条件は、第１タイマが実行中であることを含む。
【０３８６】
例えば、第１時間領域リソース割り当てによって示される時間領域オフセットは、ゼロスロットである。第２条件が満足される場合に、ネットワークデバイスがスロット０で第２ＤＣＩを送信するならば、端末は、スロット０で、第１ＤＣＩによってスケジューリングされたダウンリンクデータチャネルを受信する。
【０３８７】
例えば、第１タイマは、端末が、ダウンリンク制御チャネルを受信した後にダウンリンク制御チャネルをモニタする時間長さを決定するために使用される。例えば、第１タイマは、ＤＲＸ非アクティブタイマ（ＤＲＸ−Ｉｎａｃｔｉｖｉｔｙ  Ｔｉｍｅｒ）である。
【０３８８】
端末は、次のトリガ条件のうちのいずれか１つにおいて第１タイマを開始又は再開してよい。
【０３８９】
例２−１：端末がダウンリンク制御チャネルを受信する場合に、端末は第１タイマを開始又は再開する。
【０３９０】
例２−２：端末が、データ伝送を示すダウンリンク制御チャネルを受信する場合に、端末は第１タイマを開始又は再開する。
【０３９１】
データ伝送を示すダウンリンク制御チャネルは、初期伝送を示すダウンリンク制御チャネルであってよく、あるいは、再送を示すダウンリンク制御チャネルであってよい。
【０３９２】
本願のこの実施形態における再送は、データＡが送信され得なかった後で再度データＡが送信されることを意味する。初期伝送は、データが初めて受信器へ送信されることを意味し、データＡが成功裏に送信された後でデータＢが受信器へ送信されることを意味してよい。
【０３９３】
例２−３：端末が、初期伝送を示すダウンリンク制御チャネルを受信する場合に、端末は第１タイマを開始又は再開する。
【０３９４】
例えば、第２タイマが開始又は再開される場合に、端末は第１タイマを開始又は再開する。第２タイマは、端末が、初期伝送を示すダウンリンク制御チャネルを受信した後に、初期伝送を示すダウンリンク制御チャネルをモニタする時間長さを決定するために使用される。例えば、第２タイマは、ＤＲＸ非アクティブである。
【０３９５】
可能な実施において、図１２に示されるように、第１条件は、第２タイマが実行中であることを更に含む。第２タイマは、端末が間欠受信ＤＲＸサイクルにおいてダウンリンク制御チャネルをモニタする時間長さを決定するために使用される。例えば、第２タイマは、ＤＲＸオン存続期間タイマ（ＤＲＸ−ｏｎＤｕｒａｔｉｏｎＴｉｍｅ又はｏｎＤｕｒａｔｉｏｎＴｉｍｅｒ）である。
【０３９６】
他の可能な実施では、第１条件は、次の：ダウンリンク再送タイマが実行中でない場合、アップリンク再送タイマが実行中でない場合、競合解除タイマが実行中でない場合、端末によって送信されたスケジューリング要求（Scheduling  Request，ＳＲ）がペンディング中でない場合、及び端末が、ＲＡＲの受信に成功した後で、初期伝送を示すダウンリンク制御チャネルを受信する場合、のうちの１つ以上を更に含む。初期伝送を示すダウンリンク制御チャネルは、第１識別子を使用することによってスクランブルされ、第１識別子は、ランダムアクセスプロシージャにおいて端末によってアクセスされているセル内で端末を識別するために使用される。ＲＡＲは、目標ランダムアクセスプリアンブルに対する応答であり、目標ランダムアクセスプリアンブルは、競合に基づくランダムアクセスプリアンブルではない。
【０３９７】
例えば、第１識別子はＣ−ＲＮＴＩである。
【０３９８】
可能な実施において、本願のこの実施形態で提供される方法は、第３条件において、ネットワークデバイスが第２ＤＣＩを端末へ送信し、そして、端末に対して、第２時間領域リソース割り当てに基づいて、第２ＤＣＩによってスケジューリングされたダウンリンクデータチャネルを送信することを更に含む。その上、第３条件において、端末は、ネットワークデバイスによって送信された第２ＤＣＩを受信し、そして、端末は、第２時間領域リソース割り当てに基づいて、第２ＤＣＩによってスケジューリングされたダウンリンクデータチャネルを受信する。
【０３９９】
例えば、第３条件は、次の、ダウンリンク再送タイマが実行中であること、アップリンク再送タイマが実行中であること、競合解除タイマが実行中であること、端末によって送信されたスケジューリング要求がペンディング中であること、端末が、ランダムアクセス応答ＲＡＲの受信に成功した後で、初期伝送を示すダウンリンク制御チャネルを受信しないこと、のうちの１つ以上を含む。初期伝送を示すダウンリンク制御チャネルは、第１識別子を使用することによってスクランブルされ、ＲＡＲは、目標ランダムアクセスプリアンブルに対する応答であり、目標ランダムアクセスプリアンブルは、競合に基づくランダムアクセスプリアンブルではない。
【０４００】
本願の実施形態において、端末は、ＳＣｅｌｌ、デフォルトＢＷＰ、又は初期ＢＷＰ（最初にアクティブにされたＢＷＰとも呼ばれ得る）において、実施形態１及び実施形態２で説明された方法を実行してよい。
【０４０１】
上記は、ネットワーク要素間のインタラクションの観点から、本願の実施形態における解決法について主に記載している。上記の機能を実装するために、通信装置などのネットワーク要素は、それらの機能を実行するための対応するハードウェア構造及び／又はソフトウェアモジュールを含む、ことが理解され得る。当業者であれば、本明細書中で開示されている実施形態で説明されている例のユニット及びアルゴリズムステップと組み合わせて、本願がハードウェア又はハードウェアとコンピュータソフトウェアとの組み合わせによって実装され得ることに容易に気付くはずである。機能がハードウェア又はコンピュータソフトウェアによって駆動されるハードウェアによって実行されるかどうかは、技術的解決法の特定の用途及び設計制約に依存する。当業者は、夫々の特定の用途ごとに、記載されている機能を実装するよう異なる方法を使用し得るが、実施は本願の範囲を超えると考えられるべきではない。
【０４０２】
本願の実施形態において、通信装置は、上記の方法の例に基づいて機能ユニットに分割されてよい。例えば、各機能ユニットは、対応する機能に基づいて分割を通じて取得されてよく、あるいは、２つ以上の機能は、１つの処理ユニットに一体化されてよい。一体化されたユニットは、ハードウェアの形で実施されてよく、あるいは、ソフトウェア機能ユニットの形で実施されてもよい。留意されるべきは、本願の実施形態において、ユニットへの分割は例であり、論理的な機能分割にすぎない点である。実際の実施では、他の分割様態が使用されてもよい。
【０４０３】
以下では、機能モジュールが対応する機能に基づいて分割を通じて取得される例を使用することによって、説明が与えられている。
【０４０４】
一体化されたユニットが使用される場合に、図１３は、上記の実施形態における通信装置のとり得る略構造図である。通信装置は、端末又は端末に適用されたチップであってよい。通信装置は、送信ユニット１０１及び受信ユニット１０２を含む。任意に、通信装置は、処理ユニット１０３を更に含んでもよい。
【０４０５】
可能な実施において、送信ユニット１０１は、上記の実施形態におけるＳ１０１を実行することにおいて通信装置を支援するよう構成される。受信ユニット１０２は、上記の実施形態におけるＳ１０４を実行することにおいて通信装置を支援するよう構成される。処理ユニット１０３は、上記の実施形態におけるＳ１０６、Ｓ１０７及びＳ１０９を実行することにおいて通信装置を支援するよう構成される。
【０４０６】
他の可能な実施では、端末が実施形態２におけるステップを独立して実行する場合に、通信装置は送信ユニット１０１を含まなくてもよい。この場合に、処理ユニット１０３は、上記の実施形態におけるＳ２０１を実行することにおいて通信装置を支援するよう構成される。受信ユニット１０２は、上記の実施形態におけるＳ２０３及びＳ２０５を実行することにおいて通信装置を支援するよう構成される。
【０４０７】
上記の方法の実施形態におけるステップの全ての関連する内容は、対応する機能モジュールの機能説明で引用され得る。詳細は、ここで再び説明されない。
【０４０８】
一体化されたユニットが使用される場合に、図１４は、上記の実施形態における通信装置のとり得る略構造図である。通信装置は、端末又は端末に適用されたチップであってよい。通信装置は、処理モジュール１１２及び通信モジュール１１３を含む。任意に、通信装置は、通信装置のプログラムコード及びデータを記憶するよう構成された記憶モジュール１１１を更に含んでもよい。
【０４０９】
処理モジュール１１２は、通信装置の動作を制御及び管理するよう構成される。例えば、処理モジュール１１２は、通信装置側でメッセージ又はデータ処理ステップを実行するよう構成される。通信モジュール１１３は、通信装置側でメッセージ又はデータ処理ステップを実行するよう構成される。
【０４１０】
可能な実施において、通信モジュール１１３は、上記の実施形態におけるＳ１０１及びＳ１０４を実行することにおいて通信装置を支援するよう構成される。処理モジュール１１２は、上記の実施形態におけるＳ１０６、Ｓ１０７及びＳ１０９を実行することにおいて通信装置を支援するよう構成される。
【０４１１】
他の可能な実施では、処理モジュール１１２は、上記の実施形態においてＳ２０１を実行し、Ｓ２０３及びＳ２０５で第１条件／第２条件が満足されるかどうかを決定することにおいて通信装置を支援するよう構成される。通信モジュール１１３は、上記の実施形態においてＳ２０３及びＳ２０５で情報／ダウンリンクデータチャネル受信プロセスを実行することにおいて通信装置を支援するよう構成される。
【０４１２】
処理モジュール１１２は、プロセッサ又はコントローラであってよい。例えば、処理モジュール１１２は、中央演算処理装置、汎用プロセッサ、デジタル信号プロセッサ、特定用途向け集積回路、フィールド・プログラマブル・ゲート・アレイ若しくは他のプログラム可能なロジックデバイス、トランジスタロジックデバイス、ハードウェア部品、又はそれらの任意の組み合わせであってよい。処理モジュール１１２は、本発明で開示されている内容を参照して記載されている様々な例となる論理ブロック、モジュール、及び回路を実装又は実行してよい。あるいは、プロセッサは、コンピューティング機能を実装するプロセッサの組み合わせ、例えば、１つ以上のマイクロプロセッサの組み合わせ、又はデジタル信号プロセッサとマイクロプロセッサとの組み合わせであってよい。通信モジュール１１３は、通信インターフェース、トランシーバ、トランシーバ回路、インターフェース回路、などであってよい。記憶モジュール１１１はメモリであってよい。
【０４１３】
処理モジュール１１２がプロセッサ１２１１であり、通信モジュール１１３がインターフェース回路又はトランシーバ１２１２であり、記憶モジュール１１１がメモリ１２１３である場合に、本願の通信装置は、図６に示されているデバイスであってよい。
【０４１４】
例えば、トランシーバ１２１２は、Ｓ１０１及びＳ１０４を実行することにおいて通信装置を支援する。プロセッサ１２１１は、本願で提供されるＳ１０６、Ｓ１０７及びＳ１０９を実装するために、メモリ１２１３に記憶されているプログラムコード及びデータを実行することにおいて通信装置を支援するよう構成される。
【０４１５】
他の例では、トランシーバ１２１２は、Ｓ２０３及びＳ２０５で情報／ダウンリンクデータチャネル受信プロセスを実行することにおいて通信装置を支援する。プロセッサ１２１１は、Ｓ２０１を実装し、本願で提供されるＳ２０３及びＳ２０５で第１条件／第２条件が満足されるかどうかを決定するために、メモリ１２１３に記憶されているプログラムコード及びデータを実行することにおいて通信装置を支援するよう構成される。
【０４１６】
一体化されたユニットが使用される場合に、図１５は、上記の実施形態における通信装置のとり得る略構造図である。通信装置は、ネットワークデバイス又はネットワークデバイスに適用されたチップであってよい。通信装置は、受信ユニット２０１及び送信ユニット２０２を含む。任意に、通信装置は、決定ユニット２０３を更に含んでもよい。
【０４１７】
可能な実施において、受信ユニット２０１は、上記の実施形態におけるＳ１０２を実行することにおいて通信装置を支援するよう構成される。送信ユニット２０２は、上記の実施形態におけるＳ１０３及びＳ１０５を実行することにおいて通信装置を支援するよう構成される。決定ユニット２０３は、上記の実施形態におけるＳ１０８を実行することにおいて通信装置を支援するよう構成される。
【０４１８】
他の可能な実施では、ネットワークデバイスが実施形態２におけるステップを独立して実行する場合に、通信装置は受信ユニット２０１を含まなくてもよい。この場合に、決定ユニット２０３は、上記の実施形態におけるＳ２０２及びＳ２０４で第１条件及び第２条件が満足されるかどうかを決定することにおいて通信装置を支援するよう構成される。送信ユニット２０２は、上記の実施形態におけるＳ２０２及びＳ２０４でメッセージ又はデータを送信することにおいて通信装置を支援するよう構成される。
【０４１９】
上記の方法の実施形態におけるステップの全ての関連する内容は、対応する機能モジュールの機能説明で引用され得る。詳細は、ここで再び説明されない。
【０４２０】
一体化されたユニットが使用される場合に、図１６は、上記の実施形態における通信装置のとり得る略構造図である。通信装置は、ネットワークデバイス又はネットワークデバイスに適用されたチップであってよい。通信装置は、処理モジュール２１２及び通信モジュール２１３を含む。任意に、通信装置は、通信装置のプログラムコード及びデータを記憶するよう構成された記憶モジュール２１１を更に含んでもよい。
【０４２１】
処理モジュール２１２は、通信装置の動作を制御及び管理するよう構成される。例えば、処理モジュール２１２は、通信装置側でメッセージ又はデータ処理ステップを実行するよう構成される。通信モジュール２１３は、通信装置側でメッセージ又はデータ処理ステップを実行するよう構成される。
【０４２２】
可能な実施において、通信モジュール２１３は、上記の実施形態におけるＳ１０３及びＳ１０５を実行することにおいて通信装置を支援するよう構成される。処理モジュール２１２は、上記の実施形態におけるＳ１０８を実行することにおいて通信装置を支援するよう構成される。
【０４２３】
他の可能な実施では、処理モジュール２１２は、上記の実施形態においてＳ２０２及びＳ２０４で第１条件及び第２条件が満足されるかどうかを決定することにおいて通信装置を支援するよう構成される。通信モジュール２１３は、上記の実施形態においてＳ２０２及びＳ２０４でメッセージ又はデータを送信することにおいて通信装置を支援するよう構成される。
【０４２４】
処理モジュール２１２は、プロセッサ又はコントローラであってよい。例えば、処理モジュール２１２は、中央演算処理装置、汎用プロセッサ、デジタル信号プロセッサ、特定用途向け集積回路、フィールド・プログラマブル・ゲート・アレイ若しくは他のプログラム可能なロジックデバイス、トランジスタロジックデバイス、ハードウェア部品、又はそれらの任意の組み合わせであってよい。処理モジュール２１２は、本発明で開示されている内容を参照して記載されている様々な例となる論理ブロック、モジュール、及び回路を実装又は実行してよい。あるいは、プロセッサは、コンピューティング機能を実装するプロセッサの組み合わせ、例えば、１つ以上のマイクロプロセッサの組み合わせ、又はデジタル信号プロセッサとマイクロプロセッサとの組み合わせであってよい。通信モジュール１１３は、通信インターフェース、トランシーバ、トランシーバ回路、インターフェース回路、などであってよい。記憶モジュール２１１はメモリであってよい。
【０４２５】
処理モジュール２１２がプロセッサ１１１１であり、通信モジュール２１３がインターフェース回路又はトランシーバ１１１３であり、記憶モジュール２１１がメモリ１１１２である場合に、本願の通信装置は、図５に示されているデバイスであってよい。
【０４２６】
例えば、トランシーバ１１１３は、Ｓ１０１及びＳ１０４を実行することにおいて通信装置を支援する。プロセッサ１１１１は、本願で提供されるＳ１０８を実装するために、メモリ１１１２に記憶されているプログラムコード及びデータを実行することにおいて通信装置を支援するよう構成される。
【０４２７】
他の例では、トランシーバ１１１３は、Ｓ２０２及びＳ２０４でメッセージ又はデータを送信することにおいて通信装置を支援する。プロセッサ１１１１は、上記の実施形態におけるＳ２０２及びＳ２０４で、第１条件及び第２条件が満足されるかどうかを決定するプロセスと、第３条件が満足されるかどうかを決定するプロセスとを実行することにおいて通信装置を支援するよう構成される。
【０４２８】
留意されるべきは、本願の実施形態において、受信ユニット又は処理ユニット（又は受信／取得のために使用されるユニット）は、装置のインターフェース回路であり、他の装置から信号を受信するよう構成される点である。例えば、装置がチップにより実装される場合に、受信ユニットは、他のチップ又は装置から信号を受信するよう構成されるチップのインターフェース回路である。送信ユニット又は電装ユニット（又は送信／伝送のために使用されるユニット）は、装置のインターフェース回路であり、信号を他の装置へ送信するよう構成される。例えば、装置がチップにより実装される場合に、送信ユニットは、他のチップ又は装置へ信号を送信するよう構成されるチップのインターフェース回路である。本願の実施形態における処理ユニット又は決定ユニットは、装置のプロセッサであり、受信された信号処理するよう又は装置の信号を処理するよう構成される。例えば、装置がチップにより実装される場合に、処理ユニット又は決定ユニットは、他のチップ又は装置から受信された信号を処理するよう構成されるチップのプロセッサであってよい。
【０４２９】
図１７は、本発明の実施形態に従うチップ１５０の略構造図である。チップ１５０は、１つ以上（２つを含む）のプロセッサ１５１０及びインターフェース回路１５３０を含む。
【０４３０】
任意に、チップ１５０は、メモリ１５４０を更に含む。メモリ１５４０は、リード・オンリー・メモリ及びランダム・アクセス・メモリを含み、プロセッサ１５１０のための動作命令及びデータを供給してよい。メモリ１５４０の一部は、不揮発性ランダム・アクセス・メモリ（non-volatile  random  access  memory，ＮＶＲＡＭ）を更に含んでもよい。
【０４３１】
いくつかの実施では、メモリ１５４０は、次の要素、実行可能モジュール若しくはデータ構造、又はそのサブセット、又はその拡張セットを記憶する。
【０４３２】
本発明のこの実施形態では、対応する動作は、メモリ１５４０に記憶されている動作命令を呼び出すことによって実行される（動作命令は、オペレーティング・システムに記憶されてよい）。
【０４３３】
可能な実施において、通信装置は、類似のチップ構造を使用し、異なる装置は、各々の機能を実装するために異なるチップを使用してよい。
【０４３４】
プロセッサ１５１０は、通信装置の動作を制御する。プロセッサ１５１０は、中央演算処理装置（central  processing  unit，ＣＰＵ）とも呼ばれ得る。メモリ１５４０は、リード・オンリー・メモリ及びランダム・アクセス・メモリを含み、命令及びデータをプロセッサ１５１０へ供給してよい。メモリ１５４０の一部は、不揮発性ランダム・アクセス・メモリ（non-volatile  random  access  memory，ＮＶＲＡＭ）を更に含んでもよい。例えば、適用中に、メモリ１５４０、インターフェース回路１５３０、及びメモリ１５４０は、バスシステム１５２０を使用することによって結合される。バスシステム１５２０は、データバスに加えて、電力バス、制御バス、ステータス信号バス、などを更に含んでもよい。しかし、明りょうな説明のために、図１７では、様々なタイプのバスがバスシステム１５２０として表記されている。
【０４３５】
本発明の上記の実施形態で開示されている方法は、プロセッサ１５１０に適用されるか、あるいは、プロセッサ１５１０によって実装されてよい。プロセッサ１５１０は、集積回路チップであってよく、信号処理能力を備える。実施プロセスにおいて、上記の方法のステップは、プロセッサ１５１０内のハードウェア集積論理回路を使用することによって、又はソフトウェアの形で命令を使用することによって、実装可能である。プロセッサ１５１０は、汎用プロセッサ、デジタル信号プロセッサ（digital  signal  processor，ＤＳＰ）、特定用途向け集積回路（application  specific  integrated  circuit，ＡＳＩＣ）、フィールド・プログラマブル・ゲート・アレイ（field-programmable  gate  array，ＦＰＧＡ）若しくは他のプログラム可能なロジックデバイス、ディスクリートゲート若しくはトランジスタロジックデバイス、又はディスクリートハードウェア部品であってよい。それは、本発明の実施形態で開示されている方法、ステップ、及び論理ブロック図を実装又は実行してよい。汎用プロセッサは、マイクロプロセッサであってよく、あるいは、プロセッサは、如何なる従来のプロセッサなどであってもよい。本発明の実施形態を参照して開示されている方法のステップは、ハードウェア復号化プロセッサによって直接実行され達成されてよく、あるいは、復号化プロセッサ内のハードウェア及びソフトウェアモジュールの組み合わせを使用することによって実行及び達成されてよい。ソフトウェアモジュールは、ランダム・アクセス・メモリ、フラッシュメモリ、リード・オンリー・メモリ、プログラム可能なリード・オンリー・メモリ、電気的消去可能なプログラム可能メモリ、又はレジスタなどの当該技術における成熟した記憶媒体に位置してもよい。記憶媒体はメモリ１５４０に位置し、プロセッサ１５１０は、メモリ１５４０内の情報を読み出し、プロセッサのハードウェアと組み合わせて上記の方法におけるステップを完遂する。
【０４３６】
可能な実施において、インターフェース回路１５３０は、図８、図９、図１０、及び図１１に示されている実施形態における端末及びネットワークデバイスの受信及び送信ステップを実行するよう構成される。プロセッサ１５１０は、図８、図９、図１０、及び図１１に示されている実施形態における端末及びネットワークデバイスの処理ステップを実行するよう構成される。
【０４３７】
上記の実施形態において、メモリに記憶されており、プロセッサによって実行されるべきである命令は、コンピュータプログラム製品の形で実装されてもよい。コンピュータプログラム製品は、前もってメモリに書き込まれていてよく、あるいは、ソフトウェアの形でダウンロードされてメモリにインストールされてもよい。
【０４３８】
コンピュータプログラム製品は、１つ以上のコンピュータ命令を含む。コンピュータプログラム命令がコンピュータでロード及び実行される場合に、本願の実施形態に従うプロシージャ又は機能は、全て又は部分的に生成される。コンピュータは、汎用のコンピュータ、専用のコンピュータ、コンピュータネットワーク、又は他のプログラム可能な装置であってよい。コンピュータ命令は、コンピュータ可読記憶媒体に記憶されてよく、あるいは、コンピュータ可読記憶媒体から他のコンピュータ可読記憶媒体へ伝送されてもよい。例えば、コンピュータ命令は、ウェブサイト、コンピュータ、サーバ、又はデータセンターから他のウェブサイト、コンピュータ、サーバ、又はデータセンターへ有線（例えば、同軸ケーブル、光ファイバ、若しくはデジタル加入者回線（ＤＳＬ））又は無線（例えば、赤外線、電波、若しくはマイクロ波）方式で伝送されてよい。コンピュータ可読記憶媒体は、コンピュータで保持され得るあらゆる使用可能な媒体、あるいは、１つ以上の使用可能な媒体を組み込む、サーバ又はデータセンターなどのデータ記憶デバイスであってよい。使用可能な媒体は、磁気媒体（例えば、フロッピーディスク、ハードディスク、又は磁気テープ）、光学媒体（例えば、ＤＶＤ）、半導体媒体（例えば、固体状態ドライブsolid  state  disk，ＳＳＤ）、などであってよい。
【０４３９】
一態様に従って、コンピュータ可読記憶媒体が提供される。コンピュータ可読記憶媒体は命令を記憶する。命令が実行される場合に、端末又は端末に適用されたチップは、実施形態におけるＳ１０１、Ｓ１０４、Ｓ１０６、Ｓ１０７、及びＳ１０９を実行することを可能にされる。
【０４４０】
他の態様に従って、コンピュータ可読記憶媒体が提供される。コンピュータ可読記憶媒体は命令を記憶する。命令が実行される場合に、端末又は端末に適用されたチップは、実施形態におけるＳ２０１、Ｓ２０３、及びＳ２０５を実行することを可能にされる。
【０４４１】
更なる他の態様に従って、コンピュータ可読記憶媒体が提供される。コンピュータ可読記憶媒体は命令を記憶する。命令が実行される場合に、ネットワークデバイス又はネットワークデバイスに適用されたチップは、実施形態におけるＳ１０３、Ｓ１０５、及びＳ１０８を実行することを可能にされ、かつ／あるいは、本明細書中で記載されている技術においてネットワークデバイス又はネットワークデバイスに適用されたチップによって実行される他のプロセスを実行するよう構成される。
【０４４２】
別の他の態様に従って、コンピュータ可読記憶媒体が提供される。コンピュータ可読記憶媒体は命令を記憶する。命令が実行される場合に、ネットワークデバイス又はネットワークデバイスに適用されたチップは、実施形態におけるＳ２０２及びＳ２０４を実行することを可能にされる。
【０４４３】
上記の可読記憶媒体は、リムーバブルハードディスク、リード・オンリー・メモリ、ランダム・アクセス・メモリ、磁気ディスク、光ディスクなどの、プログラムコードを記憶することができる如何なる媒体も含んでよい。
【０４４４】
一態様に従って、命令を含むコンピュータプログラム製品が提供される。コンピュータプログラム製品は命令を記憶する。命令が実行される場合に、端末又は端末に適用されたチップは、実施形態におけるＳ１０１、Ｓ１０４、Ｓ１０６、Ｓ１０７、及びＳ１０９を実行することを可能にされ、かつ／あるいは、本明細書中で記載されている技術において端末又は端末に適用されたチップによって実行される他のプロセスを実行するよう構成される。
【０４４５】
他の態様に従って、命令を含むコンピュータプログラム製品が提供される。コンピュータプログラム製品は命令を記憶する。命令が実行される場合に、ネットワークデバイス又はネットワークデバイスに適用されたチップは、実施形態におけるステップＳ１０３、Ｓ１０５、及びＳ１０８を実行することを可能にされ、かつ／あるいは、本明細書中で記載されている技術においてネットワークデバイス又はネットワークデバイスに適用されたチップによって実行される他のプロセスを実行するよう構成される。
【０４４６】
他の態様に従って、命令を含むコンピュータプログラム製品が提供される。コンピュータプログラム製品は命令を記憶する。命令が実行される場合に、ネットワークデバイス又はネットワークデバイスに適用されたチップは、実施形態におけるステップＳ２０２及びＳ２０４を実行することを可能にされ、かつ／あるいは、本明細書中で記載されている技術においてネットワークデバイス又はネットワークデバイスに適用されたチップによって実行される他のプロセスを実行するよう構成される。
【０４４７】
上記の実施形態の全部又は一部は、ソフトウェア、ハードウェア、ファームウェア、又はそれらの任意の組み合わせを使用することによって実装されてよい。ソフトウェアプログラムが実施形態を実装するために使用される場合に、実施形態は、完全に又は部分的にコンピュータプログラム製品の形で実装されてよい。コンピュータプログラム製品は、１つ以上のコンピュータ命令を含む。コンピュータプログラム命令がコンピュータでロード及び実行される場合に、本願の実施形態に従うプロシージャ又は機能は、全て又は部分的に生成される。コンピュータは、汎用のコンピュータ、専用のコンピュータ、コンピュータネットワーク、又は他のプログラム可能な装置であってよい。コンピュータ命令は、コンピュータ可読記憶媒体に記憶されてよく、あるいは、コンピュータ可読記憶媒体から他のコンピュータ可読記憶媒体へ伝送されてもよい。例えば、コンピュータ命令は、ウェブサイト、コンピュータ、サーバ、又はデータセンターから他のウェブサイト、コンピュータ、サーバ、又はデータセンターへ有線（例えば、同軸ケーブル、光ファイバ、若しくはデジタル加入者回線（digital  subscriber  line，略してＤＳＬ））又は無線（例えば、赤外線、電波、若しくはマイクロ波）方式で伝送されてよい。コンピュータ可読記憶媒体は、コンピュータによってアクセス可能なあらゆる使用可能な媒体、あるいは、１つ以上の使用可能な媒体を組み込む、サーバ又はデータセンターなどのデータ記憶デバイスであってよい。使用可能な媒体は、磁気媒体（例えば、フロッピーディスク、ハードディスク、又は磁気テープ）、光学媒体（例えば、ＤＶＤ）、半導体媒体（例えば、固体状態ドライブ（solid  state  disk，略してＳＳＤ））、などであってよい。
【０４４８】
本願は実施形態を参照して説明されているが、保護を請求する本願を実装する過程で、当業者であれば、添付の図面、開示内容、及び添付の特許請求の範囲を見ることによって、開示されている実施形態の他の変形を理解及び実施し得る。特許請求の範囲中。「有する」（comprising）は、他のコンポーネント又は他のステップを除外せず、「１つ」又は「１つ」は、複数の場合を除外し得ない。単一のプロセッサ又は他のユニットが、特許請求の範囲で列挙されているいくつかの機能を実装してもよい。いくつかの手段は、互いに異なる従属請求項で記録されているが、このことは、それらの手段が、より良い効果を消磁するよう組み合わされ得ないことを意味しない。
【０４４９】
本願は具体的な特徴及びその実施形態を参照して説明されているが、様々な変更及び結合が、本願の精神及び範囲から逸脱せずに、それらに対して行われてよいことは、明らかである。相応して、明細書及び添付の図面は、添付の特許請求の範囲によって定義されている本願の例となる説明にすぎず、本願の範囲をカバーする変更、変形、結合、又は均等のいずれか又は全てと見なされる。当業者であれば、本願の精神及び範囲から逸脱せずに、本願に対して様々な変更及び変形を行うことができることは、明らかである。本願は、本願のこれらの変更及び変形を、それらが、続く特許請求の範囲及びそれらの同等の技術によって定義された保護の範囲内にあるという条件で、カバーするよう意図される。
【図１】
2021536199.tif 000006
【図２】
2021536199.tif 000007
【図３】
2021536199.tif 000008
【図４】
2021536199.tif 000009
【図５】
2021536199.tif 000010
【図６】
2021536199.tif 000011
【図７】
2021536199.tif 000012
【図８】
2021536199.tif 000013
【図９】
2021536199.tif 000014
【図１０】
2021536199.tif 000015
【図１１】
2021536199.tif 000016
【図１２】
2021536199.tif 000017
【図１３】
2021536199.tif 000018
【図１４】
2021536199.tif 000019
【図１５】
2021536199.tif 000020
【図１６】
2021536199.tif 000021
【図１７】
2021536199.tif 000022
【手続補正書】
【提出日】令和3年3月25日(2021.3.25)
【手続補正１】
【補正対象書類名】特許請求の範囲
【補正対象項目名】全文
【補正方法】変更
【補正の内容】
【特許請求の範囲】
【請求項１】
ユーザ装置（ＵＥ）によって、ネットワークデバイスから第１情報を受信することであり、前記第１情報は、第２時間領域オフセットを示す情報を有する、ことと、
前記ＵＥによって第１ダウンリンク制御情報（ＤＣＩ）を受信することであり、前記第１ＤＣＩは時間領域リソース割り当てフィールドを有する、ことと、
前記ＵＥによって、前記時間領域リソース割り当てフィールドに基づいて、前記第１ＤＣＩによってスケジューリングされたダウンリンクデータチャネルの第３時間領域オフセットを決定することであり、前記第２時間領域オフセットは前記第３時間領域オフセット以下である、ことと、
前記ＵＥによって、前記第３時間領域オフセットに基づいて、前記ダウンリンクデータチャネルを受信することと
を有する通信方法。
【請求項２】
当該通信方法は、
前記ＵＥによって前記ネットワークデバイスに対して、第１時間領域オフセットを示すために使用される情報を送信することを更に有し、
前記第１時間領域オフセットは、前記ＵＥによって期待される最小時間領域オフセットを有する、
請求項１に記載の通信方法。
【請求項３】
前記ＵＥによって前記ネットワークデバイスに対して、第１時間領域オフセットを示すために使用される情報を送信することは、
前記ＵＥによってユーザ装置（ＵＥ）支援情報を前記ネットワークデバイスへ送信することを有し、
前記ＵＥ支援情報は、前記第１時間領域オフセットを示すために使用される前記情報を有する、
請求項２に記載の通信方法。
【請求項４】
前記第２時間領域オフセットは、前記第１時間領域オフセット以上である、
請求項２又は３に記載の通信方法。
【請求項５】
前記第２時間領域オフセットは、前記ネットワークデバイスからの最小時間領域オフセットである、
請求項１乃至４のうちいずれか一項に記載の通信方法。
【請求項６】
前記ＵＥによって、前記時間領域リソース割り当てフィールドに基づいて、前記第１ＤＣＩによってスケジューリングされたダウンリンクデータチャネルの第３時間領域オフセットを決定することは、
前記ＵＥによって前記時間領域リソース割り当てフィールドに基づいてインデックスを決定することと、
前記ＵＥによって前記インデックスに基づいて１つ以上の時間領域リソース割り当てから時間領域リソース割り当てを決定することであり、該時間領域リソース割り当ては、前記インデックスに対応し、前記第１ＤＣＩによってスケジューリングされた前記ダウンリンクデータチャネルの時間領域オフセットを有する、ことと
を有する、
請求項１乃至５のうちいずれか一項に記載の通信方法。
【請求項７】
前記１つ以上の時間領域リソース割り当ては、時間領域リソース割り当てリストに含まれ、該時間領域リソース割り当てリストは、無線リソース制御（ＲＲＣ）シグナリングを使用することによって構成される、
請求項６に記載の通信方法。
【請求項８】
前記１つ以上の時間領域リソース割り当ては、時間領域リソース割り当てテーブル内にある、
請求項６に記載の通信方法。
【請求項９】
前記第１ＤＣＩによってスケジューリングされた前記ダウンリンクデータチャネルの前記第３時間領域オフセットは、
前記第１ＤＣＩが位置する時間スロットに対する、前記第１ＤＣＩによってスケジューリングされた前記ダウンリンクデータチャネルが位置する時間スロットのオフセットを有し、
前記ダウンリンクデータチャネルは、物理ダウンリンク共有チャネルである、
請求項１乃至８のうちいずれか一項に記載の通信方法。
【請求項１０】
ネットワークデバイスによって第１情報をユーザ装置（ＵＥ）へ送信することであり、前記第１情報は、第２時間領域オフセットを示す情報を有する、ことと、
前記ネットワークデバイスによって第１ダウンリンク制御情報（ＤＣＩ）を送信することであり、前記第１ＤＣＩは時間領域リソース割り当てフィールドを有し、前記第１ＤＣＩは、前記ＵＥに、前記第１ＤＣＩに含まれる時間領域リソース割り当てフィールドに基づいて、前記第１ＤＣＩによってスケジューリングされたダウンリンクデータチャネルの時間領域オフセットを決定するよう指示し、前記第２時間領域オフセットは、前記第１ＤＣＩによってスケジューリングされた前記ダウンリンクデータチャネルの前記時間領域オフセット以下である、ことと、
前記ネットワークデバイスによって前記ＵＥに対して前記ダウンリンクデータチャネルを送信することと
を有する通信方法。
【請求項１１】
前記第１ＤＣＩによってスケジューリングされた前記ダウンリンクデータチャネルの前記時間領域オフセットは、
前記第１ＤＣＩが位置する時間スロットに対する、前記第１ＤＣＩによってスケジューリングされた前記ダウンリンクデータチャネルが位置する時間スロットのオフセットを有し、
前記ダウンリンクデータチャネルは、物理ダウンリンク共有チャネルである、
請求項１０に記載の通信方法。
【請求項１２】
当該通信方法は、
前記ネットワークデバイスによって前記ＵＥから、第１時間領域オフセットを示すために使用される情報を受信することを有し、
前記第１時間領域オフセットは、前記ＵＥ支援情報によって期待される最小時間領域オフセットを有する、
請求項１０又は１１に記載の通信方法。
【請求項１３】
前記ネットワークデバイスによって前記ＵＥから、第１時間領域オフセットを示すために使用される情報を受信することは、
前記ネットワークデバイスによってユーザ装置（ＵＥ）支援情報を前記ＵＥから受信することを有し、
前記ＵＥ支援情報は、前記第１時間領域オフセットを示すために使用される前記情報を有する、
請求項１２に記載の通信方法。
【請求項１４】
前記第２時間領域オフセットは、前記第１時間領域オフセット以上である、
請求項１２又は１３に記載の通信方法。
【請求項１５】
請求項１乃至９のうちいずれか一項に記載の通信方法を実行する手段を有する通信装置。
【請求項１６】
請求項１０乃至１４のうちいずれか一項に記載の通信方法を実行する手段を有する通信装置。
【請求項１７】
命令を記憶するコンピュータ可読記憶媒体であり、
前記命令がコンピュータで実行される場合に、該コンピュータは、請求項１乃至９のうちいずれか一項に記載の通信方法を実行することを可能にされる、
コンピュータ可読記憶媒体。
【請求項１８】
命令を有し、該命令がコンピュータで実行される場合に、該コンピュータは、請求項１乃至９のうちいずれか一項に記載の通信方法を実行することを可能にされる、
コンピュータプログラム。
【請求項１９】
命令を記憶するコンピュータ可読記憶媒体であり、
前記命令がコンピュータで実行される場合に、該コンピュータは、請求項１０乃至１４のうちいずれか一項に記載の通信方法を実行することを可能にされる、
コンピュータ可読記憶媒体。
【請求項２０】
命令を有し、該命令がコンピュータで実行される場合に、該コンピュータは、請求項１０乃至１４のうちいずれか一項に記載の通信方法を実行することを可能にされる、
コンピュータプログラム。
【手続補正２】
【補正対象書類名】明細書
【補正対象項目名】００４４
【補正方法】変更
【補正の内容】
【００４４】
留意されるべきは、端末が２つ以上の時間領域リソース割り当て（例えば、第１時間領域リソース割り当て及び第２時間領域ソース割り当て）を有する場合に、本願のこの実施形態で提供されるネットワークデバイスは、第４の態様又は第４の態様のいずれかの可能な実施でネットワークデバイスによって実行されるステップを更に実行してもよい点である。詳細については、以下の第４の態様における説明を参照されたい。詳細はここでは記載されない。
【手続補正３】
【補正対象書類名】明細書
【補正対象項目名】０１４１
【補正方法】変更
【補正の内容】
【０１４１】
第１１の態様乃至第１１の態様の第２の可能な実施のうちのいずれか１つを参照して、第１１の態様の第４の可能な実施において、第３条件が満足される場合に、送信ユニットは、第２時間領域リソース割り当てに基づいて、第２ＤＣＩによってスケジューリングされたダウンリンクデータチャネルを端末へ送信するよう構成され、第３条件は、次の、ダウンリンク再送タイマが実行中であることと、アップリンク再送タイマが実行中であることと、競合解除タイマが実行中であることと、端末によって送信されたスケジューリング要求がペンディング中であることと、端末が、ランダムアクセス応答ＲＡＲの受信に成功した後に、初期伝送を示すダウンリンク制御チャネルを受信しないこととのうちの１つ以上を含み、初期伝送を示すダウンリンク制御チャネルは、第１識別子を使用することによってスクランブルされ、ＲＡＲは、目標ランダムアクセスプリアンブルに対する応答であり、目標ランダムアクセスプリアンブルは、競合に基づくランダムアクセスプリアンブルではなく、第１識別子は、ランダムアクセスプロシージャにおいて端末によってアクセスされるセル内で端末を識別するために使用される。
【手続補正４】
【補正対象書類名】明細書
【補正対象項目名】０１８８
【補正方法】変更
【補正の内容】
【０１８８】
本願の実施形態において、端末（terminal）２００は、ユーザのためにボイス及び／又はデータ接続性を提供するデバイス、例えば、無線接続機能を備えた手持ち式デバイス又は車載型デバイスである。端末は、ユーザ設備（User  Equipment，ＵＥ）、アクセス端末（Access  Terminal）、ユーザユニット（User  Unit）、ユーザ局（User  Station）、モバイル局（Mobile  Station）、モバイルコンソール（Mobile）、リモート局（Remote  Station）、リモート端末（Remote  Terminal）、モバイル機器（Mobile  Equipment）、ユーザ端末（User  Terminal）、無線テレコム設備（Wireless  Telecom  Equipment）、ユーザエージェント（User  Agent）、又はユーザ装置とも呼ばれ得る。端末は、無線ローカル・エリア・ネットワーク（Wireless  Local  Area  Networks，ＷＬＡＮ）における局（Station，ＳＴＡ）であってよく、あるいは、携帯電話機、コードレス電話機、セッション開始プロトコル（Session  Initiation  Protocol，ＳＩＰ）電話機、無線ローカルループ（Wireless  Local  Loop，ＷＬＬ）局、パーソナル・デジタル・アシスタント（Personal  Digital  Assistant，ＰＤＡ）デバイス、無線通信機能を備えた手持ち式デバイス、無線モデムへ接続されたコンピューティングデバイス若しくは他の処理デバイス、車載型デバイス、ウェアラブルデバイス、次世代通信システム（例えば、第５世代（Fifth-Generation，５Ｇ）通信ネットワーク）における端末、将来の進化した公衆陸上移動体ネットワーク（Public  Land  Mobile  Network，ＰＬＭＮ）における端末、などであってよい。５Ｇは、ニュー・ラジオ（New  Radio，ＮＲ）とも呼ばれ得る。
【手続補正５】
【補正対象書類名】明細書
【補正対象項目名】０２０５
【補正方法】変更
【補正の内容】
【０２０５】
端末は、少なくとも１つのプロセッサ１２１１、少なくとも１つのトランシーバ１２１２、及び少なくとも１つのメモリ１２１３を含む。プロセッサ１２１１、メモリ１２１３、及びトランシーバ１２１２は、互いに接続される。任意に、端末は、出力デバイス１２１４、入力デバイス１２１５、及び１つ以上のアンテナ１２１６を更に含んでよい。アンテナ１２１６はトランシーバ１２１２へ接続され、出力デバイス１２１４及び入力デバイス１２１５はプロセッサ１２１１へ接続される。
【手続補正６】
【補正対象書類名】明細書
【補正対象項目名】０２２３
【補正方法】変更
【補正の内容】
【０２２３】
ＮＲでは、ＤＲＸ動作は、次のパラメータのうちの１つ以上を使用することによって、ＲＲＣ接続中に制御される：
ｄｒｘ−ｏｎＤｕｒａｔｉｏｎＴｉｍｅｒ：ＤＲＸサイクル（ｃｙｃｌｅ）から始まる存続期間（タイマの名称は、ＬＴＥではｏｎＤｕｒａｔｉｏｎＴｉｍｅである）；
ｄｒｘ−ＳｌｏｔＯｆｆｓｅｔ：ｄｒｘ−ｏｎＤｕｒａｔｉｏｎＴｉｍｅｒが開始される前の遅延；
ｄｒｘ−ＳｔａｒｔＯｆｆｓｅｔ：ＤＲＸサイクルの介しサブフレーム（名称は、ＬＴＥではｄｒｘＳｔａｒｔＯｆｆｓｅｔである）；
ｄｒｘ−ＩｎａｃｔｉｖｉｔｙＴｉｍｅｒ：ダウンリンク制御チャネルオケージョン後の存続期間であり、ダウンリンク制御チャネルオケージョンでのダウンリンク制御チャネルは、端末への初期アップリンク（Uplink，ＵＬ）伝送又はダウンリンク（Downlink，ＤＬ）伝送を示す；
ｄｒｘ−ＲｅｔｒａｎｓｍｉｓｓｉｏｎＴｉｍｅｒＤＬ（ＤＬ  ＨＡＲＱプロセスごと）：ダウンリンク再送が受信されるまでの最大存続期間（タイマの名称は、ＬＴＥではｄｒｘ−ＲｅｔｒａｎｓｍｉｓｓｉｏｎＴｉｍｅｒである）；
ｄｒｘ−ＲｅｔｒａｎｓｍｉｓｓｉｏｎＴｉｍｅｒＵＬ（ＵＬ  ＨＡＲＱプロセスごと）：アップリンク再送に対する許可（grant）が受信されるまでの最大存続期間（ＵＬ再送に対する許可が受信されるまでの最大存続期間）（タイマの名称は、ＬＴＥではｄｒｘ−ＵＬＲｅｔｒａｎｓｍｉｓｓｉｏｎＴｉｍｅｒである）；
ｄｒｘ−ＬｏｎｇＣｙｃｌｅ：長いＤＲＸサイクル（名称は、ＬＴＥではｌｏｎｇＤＲＸ−Ｃｙｃｌｅである）；
ｄｒｘ−ＳｈｏｒｔＣｙｃｌｅ（任意に）：短いＤＲＸサイクル（名称は、ＬＴＥではｓｈｏｒｔＤＲＸ−Ｃｙｃｌｅである）；及び
ｄｒｘ−ＳｈｏｒｔＣｙｃｌｅＴｉｍｅｒ（任意）：端末が短いＤＲＸサイクルを使用する存続期間（名称は、ＬＴＥではｄｒｘＳｈｏｒｔＣｙｃｌｅＴｉｍｅｒである）。
【手続補正７】
【補正対象書類名】明細書
【補正対象項目名】０３０２
【補正方法】変更
【補正の内容】
【０３０２】
例えば、時間領域オフセットは、開始シンボルで表現される。端末によって期待される最大時間領域オフセットはＭシンボルである、と仮定される。この場合に、第４時間領域オフセット１０１４がＮシンボルであるならば、ネットワークデバイスは、第２時間領域オフセット１０１２が（Ｎ−Ｍ）シンボルであると決定し得る。第４時間領域オフセット１０１４が６シンボルである場合には、ネットワークデバイスは、第２時間領域オフセット１０１２が（６−Ｍ）シンボルであると決定し得る。
【手続補正８】
【補正対象書類名】明細書
【補正対象項目名】０４２４
【補正方法】変更
【補正の内容】
【０４２４】
処理モジュール２１２は、プロセッサ又はコントローラであってよい。例えば、処理モジュール２１２は、中央演算処理装置、汎用プロセッサ、デジタル信号プロセッサ、特定用途向け集積回路、フィールド・プログラマブル・ゲート・アレイ若しくは他のプログラム可能なロジックデバイス、トランジスタロジックデバイス、ハードウェア部品、又はそれらの任意の組み合わせであってよい。処理モジュール２１２は、本発明で開示されている内容を参照して記載されている様々な例となる論理ブロック、モジュール、及び回路を実装又は実行してよい。あるいは、プロセッサは、コンピューティング機能を実装するプロセッサの組み合わせ、例えば、１つ以上のマイクロプロセッサの組み合わせ、又はデジタル信号プロセッサとマイクロプロセッサとの組み合わせであってよい。通信モジュール２１３は、通信インターフェース、トランシーバ、トランシーバ回路、インターフェース回路、などであってよい。記憶モジュール２１１はメモリであってよい。
【手続補正９】
【補正対象書類名】明細書
【補正対象項目名】０４２７
【補正方法】変更
【補正の内容】
【０４２７】
例えば、トランシーバ１１１３は、Ｓ１０３及びＳ１０５を実行することにおいて通信装置を支援する。プロセッサ１１１１は、本願で提供されるＳ１０８を実装するために、メモリ１１１２に記憶されているプログラムコード及びデータを実行することにおいて通信装置を支援するよう構成される。
【手続補正１０】
【補正対象書類名】明細書
【補正対象項目名】０４３４
【補正方法】変更
【補正の内容】
【０４３４】
プロセッサ１５１０は、通信装置の動作を制御する。プロセッサ１５１０は、中央演算処理装置（central  processing  unit，ＣＰＵ）とも呼ばれ得る。メモリ１５４０は、リード・オンリー・メモリ及びランダム・アクセス・メモリを含み、命令及びデータをプロセッサ１５１０へ供給してよい。メモリ１５４０の一部は、不揮発性ランダム・アクセス・メモリ（non-volatile  random  access  memory，ＮＶＲＡＭ）を更に含んでもよい。例えば、適用中に、プロセッサ１５１０、インターフェース回路１５３０、及びメモリ１５４０は、バスシステム１５２０を使用することによって結合される。バスシステム１５２０は、データバスに加えて、電力バス、制御バス、ステータス信号バス、などを更に含んでもよい。しかし、明りょうな説明のために、図１７では、様々なタイプのバスがバスシステム１５２０として表記されている。
【国際調査報告】
2021536199.tif 000023
2021536199.tif 000024
2021536199.tif 000025
2021536199.tif 000026
2021536199.tif 000027
2021536199.tif 000028